(57)【要約】      （修正有）【課題】ワイヤレス通信において、アンライセンススペクトラムを利用して公称帯域幅占有率を上げる方法を提供する。【解決手段】基地局１０５−ａは、ライセンススペクトラムＦ２において第１の直交周波数分割多元接続（ＯＦＤＭＡ）通信信号をワイヤレスノード１１５−ａに送信し、第１のＯＦＤＭＡ通信信号の送信と同時に、アンライセンススペクトラムＦ１において第２のＯＦＤＭＡ通信信号をワイヤレスノードに送信する。基地局は、ライセンススペクトラムＦ２において第１のシングルキャリア周波数分割多元接続（ＳＣ−ＦＤＭＡ）通信信号をワイヤレスノードから受信し、第１のＳＣ−ＦＤＭＡ通信信号受信と同時に、アンライセンススペクトラムＦ１において第２のＳＤーＦＤＭＡ通信信号を受信する。第２のＳＤ−ＦＤＭＡ信号は、インターリーブされた信号を備え、インターリーブされた信号はアンライセンススペクトラムにおける公称帯域幅占有率を上げる。【選択図】図２Ａ
2020048201.tif 000002
【特許請求の範囲】
【請求項１】
ワイヤレス通信のための方法であって、
ライセンススペクトラムにおいて第１の直交周波数分割多元接続（ＯＦＤＭＡ）通信信号をワイヤレスノードに送信することと、
前記第１のＯＦＤＭＡ通信信号の前記送信と同時に、アンライセンススペクトラムにおいて第２のＯＦＤＭＡ通信信号を前記ワイヤレスノードに送信することと、
を備える方法。
【請求項２】
前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、請求項１に記載の方法。
【請求項３】
前記固定されたオフセットは０に等しい、請求項２に記載の方法。
【請求項４】
前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信することをさらに備える、請求項１に記載の方法。
【請求項５】
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信することをさらに備える、請求項４に記載の方法。
【請求項６】
前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、請求項４に記載の方法。
【請求項７】
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信することをさらに備える、請求項６に記載の方法。
【請求項８】
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信することをさらに備える、請求項１に記載の方法。
【請求項９】
前記ワイヤレスノードはユーザ機器（ＵＥ）を備える、請求項１に記載の方法。
【請求項１０】
前記第１のＯＦＤＭＡ通信信号および前記第２のＯＦＤＭＡ通信信号は、進化型ノードＢ（ｅＮＢ）から送信される、請求項１に記載の方法。
【請求項１１】
前記第１のＯＦＤＭＡ通信信号および前記第２のＯＦＤＭＡ通信信号の各々は、ロングタームエボリューション（ＬＴＥ）信号を備える、請求項１に記載の方法。
【請求項１２】
ワイヤレス通信のための装置であって、
ライセンススペクトラムにおいて第１の直交周波数分割多元接続（ＯＦＤＭＡ）通信信号をワイヤレスノードに送信するための手段と、
前記第１のＯＦＤＭＡ通信信号の前記送信と同時に、アンライセンススペクトラムにおいて第２のＯＦＤＭＡ通信信号を前記ワイヤレスノードに送信するための手段と、
を備える装置。
【請求項１３】
前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、請求項１２に記載の装置。
【請求項１４】
前記固定されたオフセットは０に等しい、請求項１３に記載の装置。
【請求項１５】
前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信するための手段をさらに備える、請求項１２に記載の装置。
【請求項１６】
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するための手段をさらに備える、請求項１５に記載の装置。
【請求項１７】
前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、請求項１５に記載の装置。
【請求項１８】
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するための手段をさらに備える、請求項１７に記載の装置。
【請求項１９】
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信するための手段をさらに備える、請求項１２に記載の装置。
【請求項２０】
前記ワイヤレスノードはユーザ機器（ＵＥ）を備える、請求項１２に記載の装置。
【請求項２１】
前記第１のＯＦＤＭＡ通信信号および前記第２のＯＦＤＭＡ通信信号は、進化型ノードＢ（ｅＮＢ）から送信される、請求項１２に記載の装置。
【請求項２２】
前記第１のＯＦＤＭＡ通信信号および前記第２のＯＦＤＭＡ通信信号の各々は、ロングタームエボリューション（ＬＴＥ）信号を備える、請求項１２に記載の装置。
【請求項２３】
ワイヤレス通信のための装置であって、
プロセッサと、
前記プロセッサと電気的に通信しているメモリと、
前記メモリに記憶された命令と、を備え、前記命令は、
ライセンススペクトラムにおいて第１の直交周波数分割多元接続（ＯＦＤＭＡ）通信信号をワイヤレスノードに送信し、
前記第１のＯＦＤＭＡ通信信号の前記送信と同時に、アンライセンススペクトラムにおいて第２のＯＦＤＭＡ通信信号を前記ワイヤレスノードに送信するように、前記プロセッサによって実行可能である、装置。
【請求項２４】
前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、請求項２３に記載の装置。
【請求項２５】
前記固定されたオフセットは０に等しい、請求項２４に記載の装置。
【請求項２６】
前記命令は、
前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信するように、前記プロセッサによって実行可能である、請求項２３に記載の装置。
【請求項２７】
前記命令は、
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するように、前記プロセッサによって実行可能である、請求項２６に記載の装置。
【請求項２８】
前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、請求項２６に記載の装置。
【請求項２９】
前記命令は、
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するように、前記プロセッサによって実行可能である、請求項２８に記載の装置。
【請求項３０】
前記命令は、
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信するように、前記プロセッサによって実行可能である、請求項２３に記載の装置。
【請求項３１】
前記ワイヤレスノードはユーザ機器（ＵＥ）を備える、請求項２３に記載の装置。
【請求項３２】
前記第１のＯＦＤＭＡ通信信号および前記第２のＯＦＤＭＡ通信信号は、進化型ノードＢ（ｅＮＢ）から送信される、請求項２３に記載の装置。
【請求項３３】
前記第１のＯＦＤＭＡ通信信号および前記第２のＯＦＤＭＡ通信信号の各々は、ロングタームエボリューション（ＬＴＥ）信号を備える、請求項２３に記載の装置。
【請求項３４】
ワイヤレス通信システムにおけるワイヤレス通信装置による通信のためのコンピュータプログラム製品であって、前記ワイヤレス通信装置に、
ライセンススペクトラムにおいて第１の直交周波数分割多元接続（ＯＦＤＭＡ）通信信号をワイヤレスノードへ送信させ、
前記第１のＯＦＤＭＡ通信信号の前記送信と同時に、アンライセンススペクトラムにおいて第２のＯＦＤＭＡ通信信号を前記ワイヤレスノードへ送信させるように、
プロセッサによって実行可能な命令を記憶した、非一時的コンピュータ可読媒体を備える、コンピュータプログラム製品。
【請求項３５】
前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期する、請求項３４に記載のコンピュータプログラム製品。
【請求項３６】
前記固定されたオフセットは０に等しい、請求項３５に記載のコンピュータプログラム製品。
【請求項３７】
前記命令は、前記ワイヤレス通信装置に、
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信させ、前記アンライセンススペクトラムにおいて前記ワイヤレスノードから第２のＳＣ−ＦＤＭＡ通信信号を受信させるように、前記プロセッサによって実行可能である、請求項３４に記載のコンピュータプログラム製品。
【請求項３８】
前記ワイヤレスノードはユーザ機器（ＵＥ）を備える、請求項３４に記載のコンピュータプログラム製品。
【請求項３９】
ワイヤレス通信のための方法であって、
ライセンススペクトラムにおいて第１のＳＣ−ＦＤＭＡ通信信号をワイヤレスノードから受信することと、
前記第１のＳＣ−ＦＤＭＡ通信信号の前記受信と同時に、アンライセンススペクトラムにおいて第２のＳＣ−ＦＤＭＡ信号を前記ワイヤレスノードから受信することと、
を備える方法。
【請求項４０】
前記ワイヤレスノードはユーザ機器（ＵＥ）を備える、請求項３９に記載の方法。
【請求項４１】
前記第１のＳＣ−ＦＤＭＡ通信信号および前記第２のＳＣ−ＦＤＭＡ通信信号は、進化型ノードＢ（ｅＮＢ）において受信される、請求項３９に記載の方法。
【請求項４２】
前記第１のＳＣ−ＦＤＭＡ通信信号および前記第２のＳＣ−ＦＤＭＡ通信信号の各々は、ロングタームエボリューション（ＬＴＥ）信号を備える、請求項３９に記載の方法。
【請求項４３】
ワイヤレス通信のための装置であって、
ライセンススペクトラムにおいて第１のＳＣ−ＦＤＭＡ通信信号をワイヤレスノードから受信するための手段と、
前記第１のＳＣ−ＦＤＭＡ通信信号の前記受信と同時に、アンライセンススペクトラムにおいて第２のＳＣ−ＦＤＭＡ信号を前記ワイヤレスノードから受信するための手段と、
を備える装置。
【請求項４４】
前記ワイヤレスノードはユーザ機器（ＵＥ）を備える、請求項４３に記載の装置。
【請求項４５】
前記第１のＳＣ−ＦＤＭＡ通信信号および前記第２のＳＣ−ＦＤＭＡ通信信号は、進化型ノードＢ（ｅＮＢ）において受信される、請求項４３に記載の方法。
【請求項４６】
前記第１のＳＣ−ＦＤＭＡ通信信号および前記第２のＳＣ−ＦＤＭＡ通信信号の各々は、ロングタームエボリューション（ＬＴＥ）信号を備える、請求項４３に記載の装置。
【請求項４７】
ワイヤレス通信のための装置であって、
プロセッサと、
前記プロセッサと電気的に通信しているメモリと、
前記メモリに記憶された命令と、を備え、前記命令は、
ライセンススペクトラムにおいて第１のＳＣ−ＦＤＭＡ通信信号をワイヤレスノードから受信し、
前記第１のＳＣ−ＦＤＭＡ通信信号の前記受信と同時に、アンライセンススペクトラムにおいて第２のＳＣ−ＦＤＭＡ信号を前記ワイヤレスノードから受信するように、
前記プロセッサによって実行可能である、装置。
【請求項４８】
前記ワイヤレスノードはユーザ機器（ＵＥ）を備える、請求項４７に記載の装置。
【請求項４９】
前記第１のＳＣ−ＦＤＭＡ通信信号および前記第２のＳＣ−ＦＤＭＡ通信信号は、進化型ノードＢ（ｅＮＢ）において受信される、請求項４７に記載の装置。
【請求項５０】
前記第１のＳＣ−ＦＤＭＡ通信信号および前記第２のＳＣ−ＦＤＭＡ通信信号の各々は、ロングタームエボリューション（ＬＴＥ）信号を備える、請求項４７に記載の装置。
【請求項５１】
ワイヤレス通信システムにおけるワイヤレス通信装置による通信のためのコンピュータプログラム製品であって、前記ワイヤレス通信装置に、
ライセンススペクトラムにおいて第１のＳＣ−ＦＤＭＡ通信信号をワイヤレスノードから受信させ、
前記第１のＳＣ−ＦＤＭＡ通信信号の前記受信と同時に、アンライセンススペクトラムにおいて第２のＳＣ−ＦＤＭＡ信号を前記ワイヤレスノードから受信させるように、
プロセッサによって実行可能である命令を記憶した、非一時的コンピュータ可読媒体を備える、コンピュータプログラム製品。
【請求項５２】
前記ワイヤレスノードはユーザ機器（ＵＥ）を備える、請求項５１に記載のコンピュータプログラム製品。
【請求項５３】
ワイヤレス通信のための方法であって、
ライセンススペクトラムにおいて第１の直交周波数分割多元接続（ＯＦＤＭＡ）通信信号をワイヤレスノードから受信することと、
前記第１のＯＦＤＭＡ通信信号の前記受信と同時に、アンライセンススペクトラムにおいて第２のＯＦＤＭＡ通信信号を前記ワイヤレスノードから受信することと、
を備える方法。
【請求項５４】
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信することをさらに備える、請求項５３に記載の方法。
【請求項５５】
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信することをさらに備える、請求項５４に記載の方法。
【請求項５６】
前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、請求項５４に記載の方法。
【請求項５７】
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信することをさらに備える、請求項５６に記載の方法。
【請求項５８】
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信することをさらに備える、請求項５３に記載の方法。
【請求項５９】
前記ワイヤレスノードは進化型ノードＢ（ｅＮＢ）を備える、請求項５３に記載の方法。
【請求項６０】
前記第１のＯＦＤＭＡ通信信号および前記第２のＯＦＤＭＡ通信信号は、ユーザ機器（ＵＥ）において受信される、請求項５３に記載の方法。
【請求項６１】
前記第１のＯＦＤＭＡ通信信号および前記第２のＯＦＤＭＡ通信信号の各々は、ロングタームエボリューション（ＬＴＥ）信号を備える、請求項５３に記載の方法。
【請求項６２】
ワイヤレス通信のための装置であって、
ライセンススペクトラムにおいて第１の直交周波数分割多元接続（ＯＦＤＭＡ）通信信号をワイヤレスノードから受信するための手段と、
前記第１のＯＦＤＭＡ通信信号の前記受信と同時に、アンライセンススペクトラムにおいて第２のＯＦＤＭＡ通信信号を前記ワイヤレスノードから受信するための手段と、
を備える装置。
【請求項６３】
前記第１のＯＦＤＭＡ通信信号および前記第２のＯＦＤＭＡ通信信号の前記受信と同時に、ライセンススペクトラムにおいて前記ワイヤレスノードに第１のＳＣ−ＦＤＭＡ通信信号を送信するための手段をさらに備える、請求項６２に記載の装置。
【請求項６４】
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するための手段をさらに備える、請求項６３に記載の装置。
【請求項６５】
前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、請求項６３に記載の装置。
【請求項６６】
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するための手段をさらに備える、請求項６５に記載の装置。
【請求項６７】
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信するための手段をさらに備える、請求項６２に記載の装置。
【請求項６８】
前記ワイヤレスノードは進化型ノードＢ（ｅＮＢ）を備える、請求項６２に記載の装置。
【請求項６９】
前記第１のＯＦＤＭＡ通信信号および前記第２のＯＦＤＭＡ通信信号は、ユーザ機器（ＵＥ）において受信される、請求項６２に記載の装置。
【請求項７０】
前記第１のＯＦＤＭＡ通信信号および前記第２のＯＦＤＭＡ通信信号の各々はＬＴＥ信号を備える、請求項６２に記載の装置。
【請求項７１】
ワイヤレス通信のための装置であって、
プロセッサと、
前記プロセッサと電気的に通信しているメモリと、
前記メモリに記憶された命令と、
を備え、前記命令は、
ライセンススペクトラムにおいて第１の直交周波数分割多元接続（ＯＦＤＭＡ）通信信号をワイヤレスノードから受信し、
前記第１のＯＦＤＭＡ通信信号の前記受信と同時に、アンライセンススペクトラムにおいて第２のＯＦＤＭＡ通信信号を前記ワイヤレスノードから受信するように、
前記プロセッサによって実行可能である、装置。
【請求項７２】
前記命令は、
前記第１のＯＦＤＭＡ通信信号および前記第２のＯＦＤＭＡ通信信号の前記受信と同時に、ライセンススペクトラムにおいて前記ワイヤレスノードに第１のＳＣ−ＦＤＭＡ通信信号を送信するように、前記プロセッサによって実行可能である、請求項７１に記載の装置。
【請求項７３】
前記命令は、
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するように、前記プロセッサによって実行可能である、請求項７２に記載の装置。
【請求項７４】
前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、請求項７２に記載の装置。
【請求項７５】
前記命令は、
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するように、前記プロセッサによって実行可能である、請求項７４に記載の装置。
【請求項７６】
前記命令は、
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信するように、前記プロセッサによって実行可能である、請求項７１に記載の装置。
【請求項７７】
前記ワイヤレスノードは進化型ノードＢ（ｅＮＢ）を備える、請求項７１に記載の装置。
【請求項７８】
前記第１のＯＦＤＭＡ通信信号および前記第２のＯＦＤＭＡ通信信号は、ユーザ機器（ＵＥ）において受信される、請求項７１に記載の装置。
【請求項７９】
前記第１のＯＦＤＭＡ通信信号および前記第２のＯＦＤＭＡ通信信号の各々はＬＴＥ信号を備える、請求項７１に記載の装置。
【請求項８０】
ワイヤレス通信システムにおけるワイヤレス通信装置による通信のためのコンピュータプログラム製品であって、前記ワイヤレス通信装置に、
ライセンススペクトラムにおいて第１の直交周波数分割多元接続（ＯＦＤＭＡ）通信信号をワイヤレスノードから受信させ、
前記第１のＯＦＤＭＡ通信信号の前記受信と同時に、アンライセンススペクトラムにおいて第２のＯＦＤＭＡ通信信号を前記ワイヤレスノードから受信させるように、
プロセッサによって実行可能な命令を記憶した、非一時的コンピュータ可読媒体を備える、コンピュータプログラム製品。
【請求項８１】
前記命令は、前記ワイヤレス通信装置に、
前記第１のＯＦＤＭＡ通信信号および前記第２のＯＦＤＭＡ通信信号の前記受信と同時に、ライセンススペクトラムにおいて前記ワイヤレスノードへ第１のＳＣ−ＦＤＭＡ通信信号を送信させるように、前記プロセッサによって実行可能である、請求項８０に記載のコンピュータプログラム製品。
【請求項８２】
前記命令は、前記ワイヤレス通信装置に、
前記第１のＯＦＤＭＡ通信信号および前記第２のＯＦＤＭＡ通信信号の前記受信と同時に、前記アンライセンススペクトラムにおいて前記ワイヤレスノードへ第２のＳＣ−ＦＤＭＡ通信信号を送信させるように、前記プロセッサによって実行可能である、請求項８１に記載のコンピュータプログラム製品。
【請求項８３】
前記ワイヤレスノードは進化型ノードＢ（ｅＮＢ）を備える、請求項８０に記載のコンピュータプログラム製品。
【請求項８４】
ワイヤレス通信のための方法であって、
ライセンススペクトラムにおいて第１のＳＣ−ＦＤＭＡ通信信号をワイヤレスノードに送信することと、
前記第１のＳＣ−ＦＤＭＡ通信信号の前記送信と同時に、アンライセンススペクトラムにおいて第２のＳＣ−ＦＤＭＡ通信信号を前記ワイヤレスノードに送信することと、
を備える方法。
【請求項８５】
前記ワイヤレスノードは進化型ノードＢ（ｅＮＢ）を備える、請求項８４に記載の方法。
【請求項８６】
前記第１のＯＦＤＭＡ通信信号および前記第２のＯＦＤＭＡ通信信号は、ユーザ機器（ＵＥ）において受信される、請求項８４に記載の方法。
【請求項８７】
前記第１のＳＣ−ＦＤＭＡ通信信号および前記第２のＳＣ−ＦＤＭＡ通信信号の各々は、ロングタームエボリューション（ＬＴＥ）信号を備える、請求項８４に記載の方法。
【請求項８８】
ワイヤレス通信のための装置であって、
ライセンススペクトラムにおいて第１のＳＣ−ＦＤＭＡ通信信号をワイヤレスノードに送信するための手段と、
前記第１のＳＣ−ＦＤＭＡ通信信号の前記送信と同時に、アンライセンススペクトラムにおいて第２のＳＣ−ＦＤＭＡ通信信号を前記ワイヤレスノードに送信するための手段と、
を備える装置。
【請求項８９】
前記ワイヤレスノードは進化型ノードＢ（ｅＮＢ）を備える、請求項８８に記載の装置。
【請求項９０】
前記第１のＳＣ−ＦＤＭＡ通信信号および前記第２のＳＣ−ＦＤＭＡ通信信号は、ユーザ機器（ＵＥ）から送信される、請求項８８に記載の装置。
【請求項９１】
前記第１のＳＣ−ＦＤＭＡ通信信号および前記第２のＳＣ−ＦＤＭＡ通信信号の各々は、ロングタームエボリューション（ＬＴＥ）信号を備える、請求項８８に記載の装置。
【請求項９２】
ワイヤレス通信のための装置であって、
プロセッサと、
前記プロセッサと電気的に通信しているメモリと、
前記メモリに記憶された命令と、
を備え、前記命令は、
ライセンススペクトラムにおいて第１のＳＣ−ＦＤＭＡ通信信号をワイヤレスノードに送信し、
前記第１のＳＣ−ＦＤＭＡ通信信号の前記送信と同時に、アンライセンススペクトラムにおいて第２のＳＣ−ＦＤＭＡ通信信号を前記ワイヤレスノードに送信するように、
前記プロセッサによって実行可能である、装置。
【請求項９３】
前記ワイヤレスノードは進化型ノードＢ（ｅＮＢ）を備える、請求項９２に記載の装置。
【請求項９４】
前記第１のＳＣ−ＦＤＭＡ通信信号および前記第２のＳＣ−ＦＤＭＡ通信信号は、ユーザ機器（ＵＥ）から送信される、請求項９２に記載の装置。
【請求項９５】
前記第１のＳＣ−ＦＤＭＡ通信信号および前記第２のＳＣ−ＦＤＭＡ通信信号の各々は、ロングタームエボリューション（ＬＴＥ）信号を備える、請求項９２に記載の装置。
【請求項９６】
ワイヤレス通信システムにおけるワイヤレス通信装置による通信のためのコンピュータプログラム製品であって、前記ワイヤレス通信装置に、
ライセンススペクトラムにおいて第１のＳＣ−ＦＤＭＡ通信信号をワイヤレスノードへ送信させ、
前記第１のＳＣ−ＦＤＭＡ通信信号の前記送信と同時に、アンライセンススペクトラムにおいて第２のＳＣ−ＦＤＭＡ通信信号を前記ワイヤレスノードへ送信させるように、
プロセッサによって実行可能な命令を記憶した、非一時的コンピュータ可読媒体を備える、コンピュータプログラム製品。
【請求項９７】
前記ワイヤレスノードは進化型ノードＢ（ｅＮＢ）を備える、請求項９６に記載のコンピュータプログラム製品。
【請求項９８】
ワイヤレス通信のための方法であって、
アンライセンススペクトラムにおけるダウンリンクのための周期的なゲーティング間隔を生成することと、
前記周期的なゲーティング間隔の少なくとも１つの境界を、前記ダウンリンクのプライマリコンポーネントキャリア（ＰＣＣ）と関連付けられる周期的なフレーム構造の少なくとも１つの境界と同期させることと、
を備える方法。
【請求項９９】
前記ＰＣＣはライセンススペクトラム中の搬送波を備える、請求項９８に記載の方法。
【請求項１００】
前記周期的なゲーティング間隔はリッスンビフォアトーク（ＬＢＴ）フレームを備え、前記周期的なフレーム構造はロングタームエボリューション（ＬＴＥ）無線フレームを備える、請求項９８に記載の方法。
【請求項１０１】
前記周期的なゲーティング間隔の継続時間は、前記周期的なフレーム構造の継続時間の整数倍である、請求項９８に記載の方法。
【請求項１０２】
前記周期的なゲーティング間隔の継続時間は、前記周期的なフレーム構造の継続時間の約数である、請求項９８に記載の方法。
【請求項１０３】
前記ダウンリンクはロングタームエボリューション（ＬＴＥ）信号を搬送する、請求項９８に記載の方法。
【請求項１０４】
ワイヤレス通信のための装置であって、
アンライセンススペクトラムにおけるダウンリンクのための周期的なゲーティング間隔を生成するための手段と、
前記周期的なゲーティング間隔の少なくとも１つの境界を、前記ダウンリンクのプライマリコンポーネントキャリア（ＰＣＣ）と関連付けられる周期的なフレーム構造の少なくとも１つの境界と同期させるための手段と、
を備える装置。
【請求項１０５】
前記ＰＣＣはライセンススペクトラム中の搬送波を備える、請求項１０４に記載の装置。
【請求項１０６】
前記周期的なゲーティング間隔はリッスンビフォアトーク（ＬＢＴ）フレームを備え、前記周期的なフレーム構造はロングタームエボリューション（ＬＴＥ）無線フレームを備える、請求項１０４に記載の装置。
【請求項１０７】
前記周期的なゲーティング間隔の継続時間は、前記周期的なフレーム構造の継続時間の整数倍である、請求項１０４に記載の装置。
【請求項１０８】
前記周期的なゲーティング間隔の継続時間は、前記周期的なフレーム構造の継続時間の約数である、請求項１０４に記載の装置。
【請求項１０９】
前記ダウンリンクはロングタームエボリューション（ＬＴＥ）信号を搬送する、請求項１０４に記載の装置。
【請求項１１０】
ワイヤレス通信のための装置であって、
プロセッサと、
前記プロセッサと電気的に通信しているメモリと、
前記メモリに記憶された命令と、
を備え、前記命令は、
アンライセンススペクトラムにおけるダウンリンクのための周期的なゲーティング間隔を生成し、
前記周期的なゲーティング間隔の少なくとも１つの境界を、前記セルラーダウンリンクのプライマリコンポーネントキャリア（ＰＣＣ）と関連付けられる周期的なフレーム構造の少なくとも１つの境界と同期させるように、前記プロセッサによって実行可能である、装置。
【請求項１１１】
前記ＰＣＣはライセンススペクトラム中の搬送波を備える、請求項１１０に記載の装置。
【請求項１１２】
前記周期的なゲーティング間隔はリッスンビフォアトーク（ＬＢＴ）フレームを備え、前記周期的なフレーム構造はロングタームエボリューション（ＬＴＥ）無線フレームを備える、請求項１１０に記載の装置。
【請求項１１３】
前記周期的なゲーティング間隔の継続時間は、前記周期的なフレーム構造の継続時間の整数倍である、請求項１１０に記載の装置。
【請求項１１４】
前記周期的なゲーティング間隔の継続時間は、前記周期的なフレーム構造の継続時間の約数である、請求項１１０に記載の装置。
【請求項１１５】
前記ダウンリンクはロングタームエボリューション（ＬＴＥ）信号を搬送する、請求項１１０に記載の装置。
【請求項１１６】
ワイヤレス通信システムにおけるワイヤレス通信装置による通信のためのコンピュータプログラム製品であって、前記ワイヤレス通信装置に、
アンライセンススペクトラムにおけるダウンリンクのための周期的なゲーティング間隔を生成させ、
前記周期的なゲーティング間隔の少なくとも１つの境界を、前記セルラーダウンリンクのプライマリコンポーネントキャリア（ＰＣＣ）と関連付けられる周期的なフレーム構造の少なくとも１つの境界と同期させるように、
プロセッサによって実行可能な命令を記憶した、非一時的コンピュータ可読媒体を備える、コンピュータプログラム製品。
【請求項１１７】
前記ＰＣＣはライセンススペクトラム中の搬送波を備える、請求項１１６に記載のコンピュータプログラム製品。
【請求項１１８】
前記周期的なゲーティング間隔はリッスンビフォアトーク（ＬＢＴ）フレームを備え、前記周期的なフレーム構造はロングタームエボリューション（ＬＴＥ）無線フレームを備える、請求項１１６に記載のコンピュータプログラム製品。
【発明の詳細な説明】
【優先権の主張】
【０００１】
相互参照
本特許出願は、各々が本出願の譲受人に譲渡された、２０１４年５月１９日に出願された、「Ｃｏｎｃｕｒｒｅｎｔ  Ｗｉｒｅｌｅｓｓ  Ｃｏｍｍｕｎｉｃａｔｉｏｎ  Ｏｖｅｒ  Ｌｉｃｅｎｓｅｄ  ａｎｄ  Ｕｎｌｉｃｅｎｓｅｄ  Ｓｐｅｃｔｒｕｍ」と題される、Ｂｈｕｓｈａｎらによる米国特許出願第１４／２８１，６７７号、および２０１３年５月２０日に出願された、「ＬＴＥ（登録商標）−Ｕｎｌｉｃｅｎｓｅｄ」と題される、Ｂｈｕｓｈａｎらによる米国仮特許出願第６１／８２５，４５９号の優先権を主張する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークは、複数のユーザ機器（ＵＥ）のための通信をサポートすることができる、複数の基地局またはノードＢを含み得る。ＵＥは、ダウンリンクおよびアップリンクを介して基地局と通信することができる。ダウンリンク（または順方向リンク）は基地局からＵＥへの通信リンクを指し、アップリンク（または逆方向リンク）はＵＥから基地局への通信リンクを指す。
【０００４】
[0004]ワイヤレス通信ネットワークがより混雑するようになっているので、通信事業者は容量を増やすための方法に注目し始めている。１つの手法は、トラフィックおよび／またはシグナリングの一部をオフロードするために、ワイヤレスローカルエリアネットワーク（ＷＬＡＮ）を使用することであり得る。ＷＬＡＮ（またはＷｉＦｉ（登録商標）ネットワーク）は、ライセンススペクトラムにおいて動作するセルラーネットワークとは異なり、一般にアンライセンススペクトラムで動作するので魅力的である。その上、より多くの量の帯域が免許を伴わないアクセスのために割り振られており、ＷＬＡＮへのトラフィックおよび／またはシグナリングのオフロードという選択肢をより魅力的にしている。しかしながら、ＷＬＡＮはセルラーネットワークよりも非効率的に帯域を使用する傾向があるので、この手法は、混雑の問題に対して部分的な解決法しか提供できない。その上、ＷＬＡＮに関わる規制およびプロトコルは、セルラーネットワークに対するそれらとは異なる。したがって、アンライセンススペクトラムは、規制上の要件に従ってより効率的に使用されることが可能であれば、混雑を軽減するための理にかなった選択肢であり続け得る。
【発明の概要】
【０００５】
[0005]アンライセンススペクトラムが３ＧＰＰ（登録商標）ロングタームエボリューション（ＬＴＥ）通信のために使用され得る、方法および装置が説明される。ライセンススペクトラムにおけるＬＴＥダウンリンク容量がアンライセンススペクトラムにオフロードされ得る補助的ダウンリンクモードを含む、様々な展開シナリオがサポートされ得る。ＬＴＥダウンリンク容量とＬＴＥアップリンク容量の両方をライセンススペクトラムからアンライセンススペクトラムにオフロードするために、キャリアアグリゲーションモードが使用され得る。スタンドアロンモードにおいて、基地局（たとえば、進化型ノードＢ（ｅＮＢ））とＵＥとの間のＬＴＥダウンリンク通信およびＬＴＥアップリンク通信は、アンライセンススペクトラムにおいて起こり得る。基地局もＵＥも、これらのモードまたは同様のモードの１つまたは複数をサポートすることができる。アンライセンススペクトラムにおけるＬＴＥダウンリンク通信のためには直交周波数分割多元接続（ＯＦＤＭＡ：Orthogonal Frequency-Division Multiple Access）通信信号が使用され得るが、アンライセンススペクトラムにおけるＬＴＥアップリンク通信のためにはシングルキャリア周波数分割多元接続（ＳＣ−ＦＤＭＡ：Single-Carrier Frequency-Division Multiple Access）通信信号が使用され得る。アンライセンススペクトラムのために構成されたＬＴＥの使用は、ＬＴＥ−ＵｎｌｉｃｅｎｓｅｄまたはＬＴＥ−Ｕと呼ばれ得る。
【０００６】
[0006]例示の第１のセットにおいて、ワイヤレス通信のための方法が説明される。一例では、方法は、ライセンススペクトラムにおいて第１の直交周波数分割多元接続（ＯＦＤＭＡ）通信信号をワイヤレスノードに送信することと、第１のＯＦＤＭＡ通信信号の送信と同時に、アンライセンススペクトラムにおいて第２のＯＦＤＭＡ通信信号をワイヤレスノードに送信することとを含む。いくつかの実施形態では、アンライセンススペクトラムにおける第２のＯＦＤＭＡ通信信号の送信は、第１のＯＦＤＭＡ通信信号のフレーム構造と第２のＯＦＤＭＡ通信信号のフレーム構造との間に固定されたオフセットを伴って、ライセンススペクトラムにおける第１のＯＦＤＭＡ通信信号と時間同期される。固定されたオフセットは０に等しくてよい。
【０００７】
[0007]いくつかの実施形態では、方法は、第１のＯＦＤＭＡ通信信号および第２のＯＦＤＭＡ通信信号の送信と同時に、ライセンススペクトラムにおいて第１のシングルキャリア周波数分割多元接続（ＳＣ−ＦＤＭＡ）通信信号をワイヤレスノードから受信することを含む。ライセンススペクトラムにおいてワイヤレスノードから受信される第１のＳＣ−ＦＤＭＡ通信信号は、アンライセンススペクトラムにおいて送信された第２のＯＦＤＭＡ通信信号に関するシグナリング情報または他の制御情報を搬送し得る。いくつかの実施形態では、方法は、第１のＯＦＤＭＡ通信信号および第２のＯＦＤＭＡ通信信号の送信と同時に、アンライセンススペクトラムにおいてワイヤレスノードから第２のＳＣ−ＦＤＭＡ通信信号を受信することを含む。いくつかの実施形態では、方法は、第１のＯＦＤＭＡ通信信号および第２のＯＦＤＭＡ通信信号の送信と同時に、ライセンススペクトラムにおいてワイヤレスノードから第１のＳＣ−ＦＤＭＡ通信信号を受信し、アンライセンススペクトラムにおいてワイヤレスノードから第２のＳＣ−ＦＤＭＡ通信信号を受信することを含む。いくつかの実施形態では、ワイヤレスノードはＵＥを含む。いくつかの実施形態では、第１のＯＦＤＭＡ通信信号および第２のＯＦＤＭＡ通信信号は、ｅＮＢから送信される。いくつかの実施形態では、第１のＯＦＤＭＡ通信信号および第２のＯＦＤＭＡ通信信号の各々は、ロングタームエボリューション（ＬＴＥ）信号を含み得る。
【０００８】
[0008]例示の第２のセットにおいて、ワイヤレス通信のための装置が説明される。一例では、装置は、ライセンススペクトラムにおいて第１のＯＦＤＭＡ通信信号をワイヤレスノードに送信するための手段と、第１のＯＦＤＭＡ通信信号の送信と同時に、アンライセンススペクトラムにおいて第２のＯＦＤＭＡ通信信号をワイヤレスノードに送信するための手段とを含む。いくつかの実施形態では、アンライセンススペクトラムにおける第２のＯＦＤＭＡ通信信号の送信は、第１のＯＦＤＭＡ通信信号のフレーム構造と第２のＯＦＤＭＡ通信信号のフレーム構造との間に固定されたオフセットを伴って、ライセンススペクトラムにおける第１のＯＦＤＭＡ通信信号と時間同期される。固定されたオフセットは０に等しくてよい。
【０００９】
[0009]いくつかの実施形態では、装置は、第１のＯＦＤＭＡ通信信号および第２のＯＦＤＭＡ通信信号の送信と同時に、ライセンススペクトラムにおいてワイヤレスノードから第１のＳＣ−ＦＤＭＡ通信信号を受信するための手段を含む。ライセンススペクトラムにおいてワイヤレスノードから受信される第１のＳＣ−ＦＤＭＡ通信信号は、アンライセンススペクトラムにおいて送信された第２のＯＦＤＭＡ通信信号に関するシグナリング情報または他の制御情報を搬送することができる。いくつかの実施形態では、装置は、第１のＯＦＤＭＡ通信信号および第２のＯＦＤＭＡ通信信号の送信と同時に、アンライセンススペクトラムにおいてワイヤレスノードから第２のＳＣ−ＦＤＭＡ通信信号を受信するための手段を含む。いくつかの実施形態では、装置は、第１のＯＦＤＭＡ通信信号および第２のＯＦＤＭＡ通信信号の送信と同時に、ライセンススペクトラムにおいてワイヤレスノードから第１のＳＣ−ＦＤＭＡ通信信号を受信し、アンライセンススペクトラムにおいてＵＥから第２のＳＣ−ＦＤＭＡ通信信号を受信するための手段を含む。いくつかの実施形態では、ワイヤレスノードはＵＥを含む。いくつかの実施形態では、第１のＯＦＤＭＡ通信信号および第２のＯＦＤＭＡ通信信号は、ｅＮＢから送信される。いくつかの実施形態では、第１のＯＦＤＭＡ通信信号および第２のＯＦＤＭＡ通信信号の各々は、ＬＴＥ信号を含み得る。
【００１０】
[0010]例示の第３のセットにおいて、ワイヤレス通信のための別の装置が説明される。一例では、装置は、プロセッサと、プロセッサと電気的に通信しているメモリと、メモリに記憶された命令とを含む。命令は、ライセンススペクトラムにおいて第１のＯＦＤＭＡ通信信号をワイヤレスノードに送信し、第１のＯＦＤＭＡ通信信号の送信と同時に、アンライセンススペクトラムにおいて第２のＯＦＤＭＡ通信信号をワイヤレスノードに送信するように、プロセッサによって実行可能であり得る。いくつかの実施形態では、アンライセンススペクトラムにおける第２のＯＦＤＭＡ通信信号の送信は、第１のＯＦＤＭＡ通信信号のフレーム構造と第２のＯＦＤＭＡ通信信号のフレーム構造との間に固定されたオフセットを伴って、ライセンススペクトラムにおける第１のＯＦＤＭＡ通信信号と時間同期される。固定されたオフセットは０に等しくてよい。
【００１１】
[0011]いくつかの実施形態では、命令は、第１のＯＦＤＭＡ通信信号および第２のＯＦＤＭＡ通信信号の送信と同時に、ライセンススペクトラムにおいてワイヤレスノードから第１のＳＣ−ＦＤＭＡ通信信号を受信するように、プロセッサによって実行可能である。ライセンススペクトラムにおいてワイヤレスノードから受信される第１のＳＣ−ＦＤＭＡ通信信号は、アンライセンススペクトラムにおいて送信された第２のＯＦＤＭＡ通信信号に関するシグナリング情報または他の制御情報を搬送することができる。いくつかの実施形態では、命令は、第１のＯＦＤＭＡ通信信号および第２のＯＦＤＭＡ通信信号の送信と同時に、アンライセンススペクトラムにおいてワイヤレスノードから第２のＳＣ−ＦＤＭＡ通信信号を受信するように、プロセッサによって実行可能である。いくつかの実施形態では、命令は、第１のＯＦＤＭＡ通信信号および第２のＯＦＤＭＡ通信信号の送信と同時に、ライセンススペクトラムにおいてワイヤレスノードから第１のＳＣ−ＦＤＭＡ通信信号を受信し、アンライセンススペクトラムにおいてＵＥから第２のＳＣ−ＦＤＭＡ通信信号を受信するように、プロセッサによって実行可能である。いくつかの実施形態では、ワイレルスノードはＵＥを含む。いくつかの実施形態では、第１のＯＦＤＭＡ通信信号および第２のＯＦＤＭＡ通信信号は、ｅＮＢから送信される。いくつかの実施形態では、第１のＯＦＤＭＡ通信信号および第２のＯＦＤＭＡ通信信号の各々は、ＬＴＥ信号を含み得る。
【００１２】
[0012]例示の第４のセットにおいて、ワイヤレス通信システムにおけるワイヤレス通信装置による通信のためのコンピュータプログラム製品が説明される。一例では、コンピュータプログラム製品は、ワイヤレス通信装置に、ライセンススペクトラムにおいて第１のＯＦＤＭＡ通信信号をワイヤレスノードへ送信させ、第１のＯＦＤＭＡ通信信号の送信と同時に、アンライセンススペクトラムにおいて第２のＯＦＤＭＡ通信信号をワイヤレスノードへ送信させるように、プロセッサによって実行可能な命令を記憶した、非一時的コンピュータ可読媒体を含む。いくつかの実施形態では、アンライセンススペクトラムにおける第２のＯＦＤＭＡ通信信号の送信は、第１のＯＦＤＭＡ通信信号のフレーム構造と第２のＯＦＤＭＡ通信信号のフレーム構造との間に固定されたオフセットを伴って、ライセンススペクトラムにおける第１のＯＦＤＭＡ通信信号と時間同期される。固定されたオフセットは０に等しくてよい。
【００１３】
[0013]いくつかの実施形態では、命令は、ワイヤレス通信装置に、第１のＯＦＤＭＡ通信信号および第２のＯＦＤＭＡ通信信号の送信と同時に、ライセンススペクトラムにおいてワイヤレスノードから第１のＳＣ−ＦＤＭＡ通信信号を受信させるように、プロセッサによって実行可能である。ライセンススペクトラムにおいてワイヤレスノードから受信される第１のＳＣ−ＦＤＭＡ通信信号は、アンライセンススペクトラムにおいて送信された第２のＯＦＤＭＡ通信信号に関するシグナリング情報または他の制御情報を搬送することができる。いくつかの実施形態では、命令は、ワイヤレス通信装置に、第１のＯＦＤＭＡ通信信号および第２のＯＦＤＭＡ通信信号の送信と同時に、アンライセンススペクトラムにおいてワイヤレスノードから第２のＳＣ−ＦＤＭＡ通信信号を受信させるように、プロセッサによって実行可能である。いくつかの実施形態では、命令は、ワイヤレス通信装置に、第１のＯＦＤＭＡ通信信号および第２のＯＦＤＭＡ通信信号の送信と同時に、ライセンススペクトラムにおいてワイヤレスノードから第１のＳＣ−ＦＤＭＡ通信信号を受信させ、アンライセンススペクトラムにおいてＵＥから第２のＳＣ−ＦＤＭＡ通信信号を受信させるように、プロセッサによって実行可能である。いくつかの実施形態では、ワイヤレスノードはＵＥを含む。いくつかの実施形態では、第１のＯＦＤＭＡ通信信号および第２のＯＦＤＭＡ通信信号は、ｅＮＢから送信される。いくつかの実施形態では、第１のＯＦＤＭＡ通信信号および第２のＯＦＤＭＡ通信信号の各々は、ＬＴＥ信号を含み得る。
【００１４】
[0014]例示の第５のセットにおいて、ワイヤレス通信のための別の方法が説明される。一例では、方法は、ライセンススペクトラムにおいて第１のＳＣ−ＦＤＭＡ通信信号をワイヤレスノードから受信することと、第１のＳＣ−ＦＤＭＡ通信信号の受信と同時に、アンライセンススペクトラムにおいて第２のＳＣ−ＦＤＭＡ信号をワイヤレスノードから受信することとを含む。いくつかの実施形態では、ワイヤレスノードはＵＥを含み得る。いくつかの実施形態では、第１のＳＣ−ＦＤＭＡ通信信号および第２のＳＣ−ＦＤＭＡ通信信号は、ｅＮＢにおいて受信される。いくつかの実施形態では、第１のＳＣ−ＦＤＭＡ通信信号および第２のＳＣ−ＦＤＭＡ通信信号の各々は、ＬＴＥ信号を含み得る。
【００１５】
[0015]例示の第６のセットにおいて、ワイヤレス通信のための別の装置が説明される。一例では、装置は、ライセンススペクトラムにおいて第１のＳＣ−ＦＤＭＡ通信信号をワイヤレスノードから受信するための手段と、第１のＳＣ−ＦＤＭＡ通信信号の受信と同時に、アンライセンススペクトラムにおいて第２のＳＣ−ＦＤＭＡ信号をワイヤレスノードから受信するための手段とを含む。第１のＳＣ−ＦＤＭＡ通信信号および第２のＳＣ−ＦＤＭＡ通信信号の各々は、ＬＴＥ信号を含み得る。いくつかの実施形態では、ワイレルスノードはＵＥを含み得る。いくつかの実施形態では、第１のＳＣ−ＦＤＭＡ通信信号および第２のＳＣ−ＦＤＭＡ通信信号は、ｅＮＢにおいて受信される。いくつかの実施形態では、第１のＳＣ−ＦＤＭＡ通信信号および第２のＳＣ−ＦＤＭＡ通信信号の各々は、ＬＴＥ信号を含み得る。
【００１６】
[0016]例示の第７のセットにおいて、ワイヤレス通信のための別の装置が説明される。一例では、装置は、プロセッサと、プロセッサと電気的に通信しているメモリと、メモリに記憶された命令とを含む。命令は、ライセンススペクトラムにおいて第１のＳＣ−ＦＤＭＡ通信信号をワイヤレスノードから受信し、第１のＳＣ−ＦＤＭＡ通信信号の受信と同時に、アンライセンススペクトラムにおいて第２のＳＣ−ＦＤＭＡ信号をワイヤレスノードから受信するように、プロセッサによって実行可能であり得る。第１のＳＣ−ＦＤＭＡ通信信号および第２のＳＣ−ＦＤＭＡ通信信号の各々は、ＬＴＥ信号を含み得る。いくつかの実施形態では、ワイレルスノードはＵＥを含み得る。いくつかの実施形態では、第１のＳＣ−ＦＤＭＡ通信信号および第２のＳＣ−ＦＤＭＡ通信信号は、ｅＮＢにおいて受信される。いくつかの実施形態では、第１のＳＣ−ＦＤＭＡ通信信号および第２のＳＣ−ＦＤＭＡ通信信号の各々は、ＬＴＥ信号を含み得る。
【００１７】
[0017]例示の第８のセットにおいて、ワイヤレス通信システムにおけるワイヤレス通信装置による通信のためのコンピュータプログラム製品が説明される。一例では、コンピュータプログラム製品は、ワイヤレス通信装置に、ライセンススペクトラムにおいて第１のＳＣ−ＦＤＭＡ通信信号をワイヤレスノードから受信させ、第１のＳＣ−ＦＤＭＡ通信信号の受信と同時に、アンライセンススペクトラムにおいて第２のＳＣ−ＦＤＭＡ信号をワイヤレスノードから受信させるように、プロセッサによって実行可能な命令を記憶した、非一時的コンピュータ可読媒体を含む。第１のＳＣ−ＦＤＭＡ通信信号および第２のＳＣ−ＦＤＭＡ通信信号の各々は、ＬＴＥ信号を含み得る。いくつかの実施形態では、ワイレルスノードはＵＥを含み得る。いくつかの実施形態では、第１のＳＣ−ＦＤＭＡ通信信号および第２のＳＣ−ＦＤＭＡ通信信号は、ｅＮＢにおいて受信される。いくつかの実施形態では、第１のＳＣ−ＦＤＭＡ通信信号および第２のＳＣ−ＦＤＭＡ通信信号の各々は、ＬＴＥ信号を含み得る。
【００１８】
[0018]例示の第９のセットにおいて、ワイヤレス通信のための方法が説明される。一例では、方法は、ライセンススペクトラムにおいて第１のＯＦＤＭＡ通信信号をワイヤレスノードから受信することと、第１のＯＦＤＭＡ通信信号の受信と同時に、アンライセンススペクトラムにおいて第２のＯＦＤＭＡ通信信号をワイヤレスノードから受信することとを含む。いくつかの実施形態では、方法は、第１のＯＦＤＭＡ通信信号および第２のＯＦＤＭＡ通信信号の受信と同時に、ライセンススペクトラムにおいてワイヤレスノードに第１のＳＣ−ＦＤＭＡ通信信号を送信することを含む。ライセンススペクトラムにおいてワイヤレスノードに送信される第１のＳＣ−ＦＤＭＡ通信信号は、アンライセンススペクトラムにおいて受信された第２のＯＦＤＭＡ信号に関するシグナリング情報または他の制御情報を搬送することができる。いくつかの実施形態では、方法は、第１のＯＦＤＭＡ通信信号および第２のＯＦＤＭＡ通信信号の受信と同時に、アンライセンススペクトラムにおいてワイヤレスノードに第２のＳＣ−ＦＤＭＡ通信信号を送信することを含む。いくつかの実施形態では、方法は、第１のＯＦＤＭＡ通信信号および第２のＯＦＤＭＡ通信信号の受信と同時に、ライセンススペクトラムにおいてワイヤレスノードに第１のＳＣ−ＦＤＭＡ通信信号を送信し、アンライセンススペクトラムにおいてワイレルスノードに第２のＳＣ−ＦＤＭＡ通信信号を送信することを含む。いくつかの実施形態では、ワイヤレスノードはｅＮＢを含む。いくつかの実施形態では、第１のＯＦＤＭＡ通信信号および第２のＯＦＤＭＡ通信信号は、ＵＥにおいて受信される。いくつかの実施形態では、第１のＯＦＤＭＡ通信信号および第２のＯＦＤＭＡ通信信号の各々は、ＬＴＥ信号を含み得る。
【００１９】
[0019]例示の第１０のセットにおいて、ワイヤレス通信のための別の装置は、ライセンススペクトラムにおいて第１のＯＦＤＭＡ通信信号をワイヤレスノードから受信するための手段と、第１のＯＦＤＭＡ通信信号の受信と同時に、アンライセンススペクトラムにおいて第２のＯＦＤＭＡ通信信号をワイヤレスノードから受信するための手段とを含む。いくつかの実施形態では、装置は、第１のＯＦＤＭＡ通信信号および第２のＯＦＤＭＡ通信信号の受信と同時に、ライセンススペクトラムにおいてワイヤレスノードに第１のＳＣ−ＦＤＭＡ通信信号を送信するための手段を含む。ライセンススペクトラムにおいてワイヤレスノードに送信される第１のＳＣ−ＦＤＭＡ通信信号は、アンライセンススペクトラムにおいて受信された第２のＯＦＤＭＡ信号に関するシグナリング情報または他の制御情報を搬送することができる。いくつかの実施形態では、装置は、第１のＯＦＤＭＡ通信信号および第２のＯＦＤＭＡ通信信号の受信と同時に、アンライセンススペクトラムにおいてワイヤレスノードに第２のＳＣ−ＦＤＭＡ通信信号を送信するための手段を含む。いくつかの実施形態では、装置は、第１のＯＦＤＭＡ通信信号および第２のＯＦＤＭＡ通信信号の受信と同時に、ライセンススペクトラムにおいてワイヤレスノードに第１のＳＣ−ＦＤＭＡ通信信号を送信し、アンライセンススペクトラムにおいてワイヤレスノードに第２のＳＣ−ＦＤＭＡ通信信号を送信するための手段を含む。いくつかの実施形態では、ワイヤレスノードはｅＮＢを含む。いくつかの実施形態では、第１のＯＦＤＭＡ通信信号および第２のＯＦＤＭＡ通信信号は、ＵＥにおいて受信される。いくつかの実施形態では、第１のＯＦＤＭＡ通信信号および第２のＯＦＤＭＡ通信信号の各々は、ＬＴＥ信号を含み得る。
【００２０】
[0020]例示の第１１のセットにおいて、ワイヤレス通信のための別の装置が説明される。一例では、装置は、プロセッサと、プロセッサと電気的に通信しているメモリと、メモリに記憶された命令とを含む。命令は、ライセンススペクトラムにおいて第１のＯＦＤＭＡ通信信号をワイヤレスノードから受信し、第１のＯＦＤＭＡ通信信号の受信と同時に、アンライセンススペクトラムにおいて第２のＯＦＤＭＡ信号をワイヤレスノードから受信するように、プロセッサによって実行可能であり得る。いくつかの実施形態では、命令は、第１のＯＦＤＭＡ通信信号および第２のＯＦＤＭＡ通信信号の受信と同時に、ライセンススペクトラムにおいてワイヤレスノードに第１のＳＣ−ＦＤＭＡ通信信号を送信するように、プロセッサによって実行可能である。ライセンススペクトラムにおいてワイヤレスノードに送信される第１のＳＣ−ＦＤＭＡ通信信号は、アンライセンススペクトラムにおいて受信された第２のＯＦＤＭＡ信号に関するシグナリング情報または他の制御情報を搬送することができる。いくつかの実施形態では、命令は、第１のＯＦＤＭＡ通信信号および第２のＯＦＤＭＡ通信信号の受信と同時に、アンライセンススペクトラムにおいてワイヤレスノードに第２のＳＣ−ＦＤＭＡ通信信号を送信するように、プロセッサによって実行可能である。いくつかの実施形態では、命令は、第１のＯＦＤＭＡ通信信号および第２のＯＦＤＭＡ通信信号の受信と同時に、ライセンススペクトラムにおいてワイヤレスノードに第１のＳＣ−ＦＤＭＡ通信信号を送信し、アンライセンススペクトラムにおいてワイヤレスノードに第２のＳＣ−ＦＤＭＡ通信信号を送信するように、プロセッサによって実行可能である。いくつかの実施形態では、ワイヤレスノードはｅＮＢを含む。いくつかの実施形態では、第１のＯＦＤＭＡ通信信号および第２のＯＦＤＭＡ通信信号は、ＵＥにおいて受信される。いくつかの実施形態では、第１のＯＦＤＭＡ通信信号および第２のＯＦＤＭＡ通信信号の各々は、ＬＴＥ信号を含み得る。
【００２１】
[0021]例示の第１２のセットにおいて、ワイヤレス通信システムにおけるワイヤレス通信装置による通信のための別のコンピュータプログラム製品が説明される。一例では、コンピュータプログラム製品は、ワイヤレス通信装置に、ライセンススペクトラムにおいて第１のＯＦＤＭＡ通信信号をワイヤレスノードから受信させ、第１のＯＦＤＭＡ通信信号の受信と同時に、アンライセンススペクトラムにおいて第２のＯＦＤＭＡ通信信号をワイヤレスノードから受信させるように、プロセッサによって実行可能な命令を記憶した、非一時的コンピュータ可読媒体を含む。いくつかの実施形態では、命令は、ワイヤレス通信装置に、第１のＯＦＤＭＡ通信信号および第２のＯＦＤＭＡ通信信号の受信と同時に、ライセンススペクトラムにおいてワイヤレスノードへ第１のＳＣ−ＦＤＭＡ通信信号を送信させるように、プロセッサによって実行可能である。ライセンススペクトラムにおいてワイヤレスノードに送信される第１のＳＣ−ＦＤＭＡ通信信号は、アンライセンススペクトラムにおいて受信された第２のＯＦＤＭＡ信号に関するシグナリング情報または他の制御情報を搬送することができる。いくつかの実施形態では、命令は、ワイヤレス通信装置に、第１のＯＦＤＭＡ通信信号および第２のＯＦＤＭＡ通信信号の受信と同時に、アンライセンススペクトラムにおいてワイヤレスノードへ第２のＳＣ−ＦＤＭＡ通信信号を送信させるように、プロセッサによって実行可能である。いくつかの実施形態では、命令は、ワイヤレス通信装置に、第１のＯＦＤＭＡ通信信号および第２のＯＦＤＭＡ通信信号の受信と同時に、ライセンススペクトラムにおいてワイヤレスノードへ第１のＳＣ−ＦＤＭＡ通信信号を送信させ、アンライセンススペクトラムにおいてワイヤレスノードへ第２のＳＣ−ＦＤＭＡ通信信号を送信させるように、プロセッサによって実行可能である。いくつかの実施形態では、ワイヤレスノードはｅＮＢを含む。いくつかの実施形態では、第１のＯＦＤＭＡ通信信号および第２のＯＦＤＭＡ通信信号は、ＵＥにおいて受信される。いくつかの実施形態では、第１のＯＦＤＭＡ通信信号および第２のＯＦＤＭＡ通信信号の各々は、ＬＴＥ信号を含み得る。
【００２２】
[0022]例示の第１３のセットにおいて、ワイヤレス通信のための別の方法が説明される。一例では、方法は、ライセンススペクトラムにおいて第１のＳＣ−ＦＤＭＡ通信信号をワイヤレスノードに送信することと、第１のＳＣ−ＦＤＭＡ通信信号の送信と同時に、アンライセンススペクトラムにおいて第２のＳＣ−ＦＤＭＡ通信信号をワイヤレスノードに送信することとを含む。いくつかの実施形態では、ワイヤレスノードはｅＮＢを含む。いくつかの実施形態では、第１のＳＣ−ＦＤＭＡ通信信号および第２のＳＣ−ＦＤＭＡ通信信号は、ＵＥから送信される。いくつかの実施形態では、第１のＳＣ−ＦＤＭＡ通信信号および第２のＳＣ−ＦＤＭＡ通信信号の各々は、ＬＴＥ信号を含み得る。
【００２３】
[0023]例示の第１４のセットにおいて、ワイヤレス通信のための別の装置が説明される。一例では、装置は、ライセンススペクトラムにおいて第１のＳＣ−ＦＤＭＡ通信信号をワイヤレスノードに送信するための手段と、第１のＳＣ−ＦＤＭＡ通信信号の送信と同時に、アンライセンススペクトラムにおいて第２のＳＣ−ＦＤＭＡ通信信号をワイヤレスノードに送信するための手段とを含む。いくつかの実施形態では、ワイヤレスノードはｅＮＢを含む。いくつかの実施形態では、第１のＳＣ−ＦＤＭＡ通信信号および第２のＳＣ−ＦＤＭＡ通信信号は、ＵＥから送信される。いくつかの実施形態では、第１のＳＣ−ＦＤＭＡ通信信号および第２のＳＣ−ＦＤＭＡ通信信号の各々は、ＬＴＥ信号を含み得る。
【００２４】
[0024]例示の第１５のセットにおいて、ワイヤレス通信のための装置が説明される。一例では、装置は、プロセッサと、プロセッサと電気的に通信しているメモリと、メモリに記憶された命令とを含む。命令は、ライセンススペクトラムにおいて第１のＳＣ−ＦＤＭＡ通信信号をｅＮＢに送信し、第１のＳＣ−ＦＤＭＡ通信信号の送信と同時に、アンライセンススペクトラムにおいて第２のＳＣ−ＦＤＭＡ通信信号をワイヤレスノードに送信するように、プロセッサによって実行可能であり得る。いくつかの実施形態では、ワイヤレスノードはｅＮＢを含む。いくつかの実施形態では、第１のＳＣ−ＦＤＭＡ通信信号および第２のＳＣ−ＦＤＭＡ通信信号は、ＵＥから送信される。いくつかの実施形態では、第１のＳＣ−ＦＤＭＡ通信信号および第２のＳＣ−ＦＤＭＡ通信信号の各々は、ＬＴＥ信号を含み得る。
【００２５】
[0025]例示の第１６のセットにおいて、ワイヤレス通信システムにおけるワイヤレス通信装置による通信のための別のコンピュータプログラム製品が説明される。一例では、コンピュータプログラム製品は、ワイヤレス通信装置に、ライセンススペクトラムにおいて第１のＳＣ−ＦＤＭＡ通信信号をｅＮＢへ送信させ、第１のＳＣ−ＦＤＭＡ通信信号の送信と同時に、アンライセンススペクトラムにおいて第２のＳＣ−ＦＤＭＡ通信信号をワイヤレスノードへ送信させるように、プロセッサによって実行可能な命令を記憶した、非一時的コンピュータ可読媒体を含む。いくつかの実施形態では、ワイヤレスノードはｅＮＢを含む。いくつかの実施形態では、第１のＳＣ−ＦＤＭＡ通信信号および第２のＳＣ−ＦＤＭＡ通信信号は、ＵＥから送信される。いくつかの実施形態では、第１のＳＣ−ＦＤＭＡ通信信号および第２のＳＣ−ＦＤＭＡ通信信号の各々は、ＬＴＥ信号を含み得る。
【００２６】
[0026]例示の第１７のセットにおいて、ワイヤレス通信のための別の方法は、アンライセンススペクトラムにおいてダウンリンクのための周期的なゲーティング間隔を生成することと、周期的なゲーティング間隔の少なくとも１つの境界を、ダウンリンクのプライマリコンポーネントキャリア（ＰＣＣ）と関連付けられる周期的なフレーム構造の少なくとも１つの境界と同期させることとを含む。いくつかの実施形態では、ＰＣＣはライセンススペクトラム中の搬送波を含む。いくつかの実施形態では、周期的なゲーティング間隔はリッスンビフォアトーク（ＬＢＴ）フレームを含んでよく、周期的なフレーム構造はＬＴＥ無線フレームを含んでよい。周期的なゲーティング間隔の継続時間は、周期的なフレーム構造の継続時間の整数倍または約数（整数分の１）であり得る。いくつかの実施形態では、ダウンリンクはＬＴＥ信号を搬送する。
【００２７】
[0027]例示の第１８のセットにおいて、ワイヤレス通信のための別の装置が説明される。一例では、装置は、アンライセンススペクトラムにおいてダウンリンクのための周期的なゲーティング間隔を生成するための手段と、周期的なゲーティング間隔の少なくとも１つの境界を、ＰＣＣと関連付けられる周期的なフレーム構造の少なくとも１つの境界と同期させるための手段とを含む。いくつかの実施形態では、ＰＣＣはライセンススペクトラム中の搬送波を含む。いくつかの実施形態では、周期的なゲーティング間隔はＬＢＴフレームを含んでよく、周期的なフレーム構造はＬＴＥ無線フレームを含んでよい。周期的なゲーティング間隔の継続時間は、周期的なフレーム構造の継続時間の整数倍または約数であり得る。いくつかの実施形態では、ダウンリンクはＬＴＥ信号を搬送する。
【００２８】
[0028]例示の第１９のセットにおいて、ワイヤレス通信のための別の装置が説明される。一例では、装置は、プロセッサと、プロセッサと電気的に通信しているメモリと、メモリに記憶された命令とを含む。命令は、アンライセンススペクトラムにおいてダウンリンクのための周期的なゲーティング間隔を生成し、周期的なゲーティング間隔の少なくとも１つの境界を、ＰＣＣと関連付けられる周期的なフレーム構造の少なくとも１つの境界と同期させるように、プロセッサによって実行可能であり得る。いくつかの実施形態では、ＰＣＣはライセンススペクトラム中の搬送波を含む。いくつかの実施形態では、周期的なゲーティング間隔はＬＢＴフレームを含んでよく、周期的なフレーム構造はＬＴＥ無線フレームを含んでよい。周期的なゲーティング間隔の継続時間は、周期的なフレーム構造の継続時間の整数倍または約数であり得る。いくつかの実施形態では、ダウンリンクはＬＴＥ信号を搬送する。
【００２９】
[0029]例示の第２０のセットにおいて、ワイヤレス通信システムにおけるワイヤレス通信装置による通信のための別のコンピュータプログラム製品が説明される。一例では、コンピュータプログラム製品は、ワイヤレス通信装置に、アンライセンススペクトラムにおいてダウンリンクのための周期的なゲーティング間隔を生成させ、周期的なゲーティング間隔の少なくとも１つの境界を、プライマリコンポーネントキャリア（ＰＣＣ）中のダウンリンクと関連付けられる周期的なフレーム構造の少なくとも１つの境界と同期させるように、プロセッサによって実行可能な命令を記憶した、非一時的コンピュータ可読媒体を含む。ＰＣＣは、ライセンススペクトラム中の搬送波を備える。
【００３０】
[0030]上では、以下の発明を実施するための形態がより良く理解され得るように、本開示による例の特徴と技術的利点とをやや広く概説した。以下で、さらなる特徴および利点が説明される。開示される概念および具体例は、本開示の同じ目的を遂行するための他の構造を修正または設計するための基礎として容易に利用され得る。そのような等価な構成は、添付の特許請求の範囲の趣旨および範囲から逸脱しない。本明細書で開示される概念の特性であると考えられる特徴は、それらの編成と動作方法の両方に関して、付随する図とともに検討されると、関連付けられる利点とともに以下の説明からより良く理解されるだろう。図の各々は、特許請求の範囲の限界を定めるものとしてではなく、例示および説明のみの目的で与えられる。
【００３１】
[0031]本開示の性質および利点のさらなる理解は、以下の図面の参照によって実現され得る。添付の図面では、同様のコンポーネントまたは特徴が、同じ参照ラベルを有することがある。さらに、同じタイプの様々なコンポーネントは、参照ラベルに、ダッシュと、同様のコンポーネントを区別する第２のラベルとを続けることによって、区別され得る。第１の参照ラベルだけが本明細書で使用される場合、その説明は、第２の参照ラベルにかかわらず、同じ第１の参照ラベルを有する同様のコンポーネントのいずれにも適用可能である。
【図面の簡単な説明】
【００３２】
【図１】様々な実施形態による、ワイヤレス通信システムの例を示す図。
【図２Ａ】様々な実施形態による、アンライセンススペクトラムにおいてＬＴＥを使用するための展開シナリオの例を示す図。
【図２Ｂ】様々な実施形態による、アンライセンススペクトラムにおいてＬＴＥを使用するための展開シナリオの別の例を示す図。
【図３】様々な実施形態による、ライセンススペクトラムおよびアンライセンススペクトラムにおいて同時にＬＴＥを使用するときのキャリアアグリゲーションの例を示す図。
【図４Ａ】様々な実施形態による、基地局でのライセンススペクトラムおよびアンライセンススペクトラムにおけるＬＴＥの同時使用のための方法の例のフローチャート。
【図４Ｂ】様々な実施形態による、基地局でのライセンススペクトラムおよびアンライセンススペクトラムにおけるＬＴＥの同時使用のための方法の別の例のフローチャート。
【図５Ａ】様々な実施形態による、ＵＥでのライセンススペクトラムおよびアンライセンススペクトラムにおけるＬＴＥの同時使用のための方法の例のフローチャート。
【図５Ｂ】様々な実施形態による、ＵＥでのライセンススペクトラムおよびアンライセンススペクトラムにおけるＬＴＥの同時使用のための方法のさらに別の例のフローチャート。
【図６Ａ】様々な実施形態による、周期的なフレーム構造に揃えられた周期的なゲーティング構造の例を示す図。
【図６Ｂ】様々な実施形態による、周期的なフレーム構造の半分である周期的なゲーティング構造の例を示す図。
【図６Ｃ】様々な実施形態による、周期的なフレーム構造の２倍である周期的なゲーティング構造の例を示す図。
【図６Ｄ】様々な実施形態による、周期的なフレーム構造より小さい周期的なゲーティング構造の例を示す図。
【図７Ａ】様々な実施形態による、周期的なゲーティング構造波形の例を示す図。
【図７Ｂ】様々な実施形態による、周期的なゲーティング構造波形の別の例を示す図。
【図８】様々な実施形態による、周期的なフレーム構造に周期的なゲーティング構造を同期させるための方法の例のフローチャート。
【図９Ａ】様々な実施形態による、周期的なゲーティング構造におけるＳ’サブフレームの例を示す図。
【図９Ｂ】様々な実施形態による、Ｓ’サブフレームにおけるクリアチャネルアセスメント（ＣＣＡ）スロットの配置オプションの例を示す図。
【図９Ｃ】様々な実施形態による、周期的なゲーティング構造におけるＳ’サブフレームの別の例を示す図。
【図９Ｄ】様々な実施形態による、周期的なゲーティング構造におけるＳ’サブフレームの別の例を示す図。
【図１０Ａ】様々な実施形態による、前のゲーティング間隔の終わりにチャネル使用の評価が発生するときの、ゲーティングの例を示す図。
【図１０Ｂ】様々な実施形態による、前のゲーティング間隔の初めにチャネル使用の評価が発生するときの、ゲーティングの例を示す図。
【図１０Ｃ】様々な実施形態による、ＷｉＦｉ送信アクティビティに応答したゲーティングの例を示す図。
【図１０Ｄ】様々な実施形態による、１４個の直交周波数分割多重化（ＯＦＤＭ）シンボルをもつ周期的なゲーティング構造波形の例を示す図。
【図１０Ｅ】様々な実施形態による、１４個のＯＦＤＭシンボルをもつ周期的なゲーティング構造波形の別の例を示す図。
【図１０Ｆ】様々な実施形態による、２個のサブフレームをもつ周期的なゲーティング構造波形の例を示す図。
【図１０Ｇ】様々な実施形態による、２個のサブフレームをもつ周期的なゲーティング構造波形の別の例を示す図。
【図１１】様々な実施形態による、周期的な構造をゲーティングするための方法の例のフローチャート。
【図１２Ａ】様々な実施形態による、複数の基地局にわたってＣＡＡスロットを同期させるための方法の例のフローチャート。
【図１２Ｂ】様々な実施形態による、複数の基地局にわたってＣＡＡスロットを同期せるための方法の別の例のフローチャート。
【図１３Ａ】様々な実施形態による、複数の基地局にわたってＣＣＡスロットが同期するときにＣＡＡを実行するための方法の例のフローチャート。
【図１３Ｂ】様々な実施形態による、複数の基地局にわたってＣＣＡスロットが同期するときにＣＡＡを実行するための方法の別の例のフローチャート。
【図１４Ａ】様々な実施形態による、アンライセンススペクトラムにおいてチャネルをリザーブするための、チャネル使用ビーコン信号（ＣＵＢＳ：Channel Usage Beacon Signal）の使用の例を示す図。
【図１４Ｂ】様々な実施形態による、アンライセンススペクトラムにおいてチャネルをリザーブするための、ＣＵＢＳの使用の別の例を示す図。
【図１４Ｃ】様々な実施形態による、アンライセンススペクトラムにおいてチャネルをリザーブするための、ＣＵＢＳの使用のさらに別の例を示す図。
【図１５】様々な実施形態による、アンライセンススペクトラムをリザーブするための信号を送信するための方法の例のフローチャート。
【図１６】様々な実施形態による、アンライセンススペクトラムにおいて送信される信号に向けた、ライセンススペクトラムにおいて送信されるフィードバック情報の例を示す図。
【図１７Ａ】様々な実施形態による、ライセンススペクトラムにおいてプライマリコンポーネントキャリア（ＰＣＣ：Primary Component Carrier）アップリンクを介してフィードバック情報を受信するための方法の例のフローチャート。
【図１７Ｂ】様々な実施形態による、ライセンススペクトラムにおいてＰＣＣアップリンクを介してフィードバック情報を送信するための方法の例のフローチャート。
【図１８Ａ】様々な実施形態による、アンライセンススペクトラムにおけるＬＴＥ−Ｕビーコン信号のブロードキャストの例を示す図。
【図１８Ｂ】様々な実施形態による、ＬＴＥ−Ｕビーコン信号におけるペイロードの例を示す図。
【図１９Ａ】様々な実施形態による、アンライセンススペクトラムにおいてＬＴＥ−Ｕビーコン信号をブロードキャストするための方法の例のフローチャート。
【図１９Ｂ】様々な実施形態による、アンライセンススペクトラムにおいてＬＴＥ−Ｕビーコン信号をブロードキャストするための方法の別の例のフローチャート。
【図２０】様々な実施形態による、アンライセンススペクトラムにおけるリクエストツーセンド（ＲＴＳ：request-to-send）信号およびクリアツーセンド（ＣＴＳ：clear-to-send）信号の例を示す図。
【図２１】様々な実施形態による、アンライセンススペクトラムにおいてＲＴＳ信号を送信しＣＴＳ信号を受信するための方法の例のフローチャート。
【図２２Ａ】様々な実施形態による、ライセンススペクトラムにおける仮想ＣＴＳ（Ｖ−ＣＴＳ）の例を示す図。
【図２２Ｂ】様々な実施形態による、ライセンススペクトラムにおける仮想ＲＴＳ（Ｖ−ＲＴＳ）信号および仮想Ｖ−ＣＴＳ信号の例を示す図。
【図２３】様々な実施形態による、ＲＴＳ信号またはＶ−ＲＴＳ信号を送信するための方法の例のフローチャート。
【図２４】様々な実施形態による、ＲＴＳ信号またはＶ−ＲＴＳ信号に応答してＶ−ＣＴＳ信号を受信するための方法の例のフローチャート。
【図２５】様々な実施形態による、アンライセンススペクトラムにおける通常のサブフレームおよびロバストなサブフレームの例を示す図。
【図２６】様々な実施形態による、過去の送信アクティビティに基づいてアンライセンススペクトラムにおいて通常のサブフレームまたはロバストなサブフレームを送信するための方法の例のフローチャート。
【図２７】様々な実施形態による、アンライセンススペクトラムのための物理アップリンク制御チャネル（ＰＵＣＣＨ）信号および物理アップリンク共有チャネル（ＰＵＳＣＨ）信号の例を示す図。
【図２８】様々な実施形態による、アンライセンススペクトラムのためのＰＵＣＣＨ信号および／またはＰＵＳＣＨ信号を生成するための方法の例のフローチャート。
【図２９】様々な実施形態による、アンライセンススペクトラムにおける負荷ベースゲーティングの例を示す図。
【図３０】様々な実施形態による、ＵＥのアーキテクチャの例を示すブロック図。
【図３１】様々な実施形態による、基地局のアーキテクチャの例を示すブロック図。
【図３２】様々な実施形態による、多入力多出力（ＭＩＭＯ）通信システムの例を示すブロック図。
【発明を実施するための形態】
【００３３】
[0088]アンライセンススペクトラムがＬＴＥ通信のために使用される、様々なシステム、方法、および装置が説明される。ＬＴＥダウンリンクトラフィックがアンライセンススペクトラムにオフロードされ得る補助的ダウンリンクモードを含む、様々な展開シナリオがサポートされ得る。ＬＴＥダウンリンクトラフィックとＬＴＥアップリンクトラフィックの両方をライセンススペクトラムからアンライセンススペクトラムにオフロードするために、キャリアアグリゲーションモードが使用され得る。スタンドアロンモードにおいて、基地局（たとえば、ｅＮＢ）とＵＥとの間のＬＴＥダウンリンク通信およびＬＴＥアップリンク通信は、アンライセンススペクトラムにおいて発生し得る。ＬＴＥ基地局および他の基地局およびＵＥが、これらの動作モードまたは同様の動作モードの１つまたは複数をサポートすることができる。アンライセンススペクトラムにおけるＬＴＥダウンリンク通信のためにはＯＦＤＭＡ通信信号が使用され得るが、アンライセンススペクトラムにおけるＬＴＥアップリンク通信のためにはＳＣ−ＦＤＭＡ通信信号が使用され得る。
【００３４】
[0089]通信事業者はこれまで、セルラーネットワークにおける上がり続ける混雑のレベルを軽減するために、アンライセンススペクトラムを使用するための主要な機構として、ＷｉＦｉに注目してきた。しかしながら、アンライセンススペクトラムにおけるＬＴＥ（ＬＴＥ−Ｕ）に基づくニューキャリアタイプ（ＮＣＴ：new carrier type）は、キャリアグレードＷｉＦｉと互換性があることがあり、ＬＴＥ−ＵをＷｉＦｉの代替物にしている。ＬＴＥ−Ｕは、ＬＴＥの概念を利用することができ、アンライセンススペクトラムにおけるより効率的な動作を実現するため、および規制上の要件を満たすために、ネットワークまたはネットワークデバイスの物理層（ＰＨＹ）および媒体アクセス制御（ＭＡＣ）の態様に、何らかの修正を導入することができる。たとえば、アンライセンススペクトラムは６００メガヘルツ（ＭＨｚ）から６ギガヘルツ（ＧＨｚ）にわたり得る。いくつかのシナリオでは、ＬＴＥ−ＵはＷｉＦｉよりもはるかに良好に動作し得る。たとえば、（単一または複数の通信事業者について）すべてがＬＴＥ−Ｕである展開では、または、密集した小さなセルのＬＴＥ−Ｕの展開があるとき、ＬＴＥ−Ｕは、ＷｉＦｉよりもはるかに良好に動作し得る。ＬＴＥ−Ｕはまた、他のシナリオでも、たとえば（単一または複数の通信事業者について）ＬＴＥ−ＵがＷｉＦｉと混合しているときも、ＷｉＦｉより良好に動作し得る。
【００３５】
[0090]単一のサービスプロバイダ（ＳＰ）に対して、アンライセンススペクトラム上のＬＴＥ−Ｕネットワークは、ライセンススペクトラム上のＬＴＥネットワークと同期するように構成され得る。いくつかの実施形態では、複数のＳＰによって所与のチャネル上で展開されるＬＴＥ−Ｕネットワークの一部またはすべても、複数のＳＰにわたって同期するように構成され得る。上の特徴の両方を組み込むための１つのアプローチは、所与のＳＰに対して、ＬＴＥとＬＴＥ−Ｕとの間で一定のタイミングオフセットを使用することを伴い得る。いくつかの実施形態では、複数のＳＰによって所与のチャネル上で展開されるＬＴＥ−Ｕネットワークの一部またはすべては、複数のＳＰにわたって同期しないように構成され得る。ＬＴＥ−Ｕネットワークは、ＳＰの要望に従って、ユニキャストサービスおよび／またはマルチキャストサービスを提供することができる。その上、ＬＴＥ−Ｕネットワークは、ＬＴＥセルがアンカーとしてふるまい、関連するＬＴＥ−Ｕセル情報（たとえば、無線フレームのタイミング、共通チャネルの構成、システムフレーム番号すなわちＳＦＮなど）を提供する、ブートストラップモードで動作することができる。このモードでは、ＬＴＥとＬＴＥ−Ｕとの間には密接な連係動作があり得る。たとえば、ブートストラップモードは、上で説明された補助的ダウンリンクモードとキャリアアグリゲーションモードとをサポートすることができる。ＬＴＥ−ＵネットワークのＰＨＹ−ＭＡＣ層は、ＬＴＥ−ＵネットワークがＬＴＥネットワークとは独立に動作する、スタンドアロンモードで動作することができる。この場合、たとえば、同じ位置にあるＬＴＥ／ＬＴＥ−ＵセルによるＲＬＣレベルのアグリゲーション、または複数のセルおよび／または基地局にわたるマルチフローに基づく、ＬＴＥとＬＴＥ−Ｕとの間の緩い連係動作があり得る。
【００３６】
[0091]本明細書で説明される技法はＬＴＥには限定されず、ＣＤＭＡ、ＴＤＭＡ、ＦＤＭＡ、ＯＦＤＭＡ、ＳＣ−ＦＤＭＡおよび他のシステムのような、様々なワイヤレス通信システムにも使用され得る。「システム」と「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などのような無線技術を実装し得る。ＣＤＭＡ２０００は、ＩＳ−２０００、ＩＳ−９５およびＩＳ−８５６規格を包含する。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））と、ＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））のような無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＬＴＥおよびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する組織からの文書に記載されている。ＣＤＭＡ２０００およびＵＭＢは、「第３世代パートナーシッププロジェクト２」（３ＧＰＰ２）と称する組織からの文書に記載されている。本明細書で説明される技法は、上で言及されたシステムおよび無線技術、ならびに他のシステムおよび無線技術のために使用され得る。しかしながら、以下の説明は、例示を目的にＬＴＥシステムを説明し、以下の説明の大部分においてＬＴＥ用語が使用されるが、本技法はＬＴＥ適用例以外に適用可能である。この説明では、ＬＴＥ−Ａｄｖａｎｃｅｄ（ＬＴＥ−Ａ）通信は、ＬＴＥ通信のサブセットであると見なされ、したがって、ＬＴＥ通信への言及はＬＴＥ−Ａ通信を包含する。
【００３７】
[0092]以下の説明は例を提供するものであり、特許請求の範囲に記載される範囲、適用性、または構成を限定するものではない。本開示の趣旨および範囲から逸脱することなく、論じられる要素の機能および構成において変更が行われ得る。様々な実施形態は、必要に応じて様々な手順またはコンポーネントを省略し、置換し、または追加することができる。たとえば、説明される方法は、説明される順序とは異なる順序で実行されてよく、様々なステップが追加され、省略され、または組み合わせられ得る。また、いくつかの実施形態に関して説明される特徴は、他の実施形態において組み合わせられ得る。
【００３８】
[0093]最初に図１を参照すると、図解が、ワイヤレス通信システムまたはネットワーク１００の例を示す。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示されず）の制御下で通信デバイス１１５と通信することができる。基地局１０５は、バックホールリンク１３２を通じて制御情報および／またはユーザデータをコアネットワーク１３０と通信することができる。実施形態では、基地局１０５は、有線またはワイヤレス通信リンクであり得るバックホールリンク１３４を通じて、直接的にまたは間接的に、互いに通信することができる。システム１００は、複数のキャリア（異なる周波数の波形信号）上での動作をサポートすることができる。マルチキャリア送信機は、複数のキャリア上で同時に、変調された信号を送信することができる。たとえば、各通信リンク１２５は、上で説明された様々な無線技術に従って変調されたマルチキャリア信号であり得る。各々の変調された信号は、異なるキャリア上で送られてよく、制御情報（たとえば、基準信号、制御チャネルなど）、オーバーヘッド情報、データなどを搬送することができる。
【００３９】
[0094]基地局１０５は、１つまたは複数の基地局アンテナを介してデバイス１１５とワイヤレスに通信することができる。基地局１０５の場所の各々は、それぞれの地理的エリア１１０に通信カバレッジを与え得る。いくつかの実施形態では、基地局１０５は、基地局装置、無線基地局、アクセスポイント、無線送受信機、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適切な用語で呼ばれることがある。基地局のカバレッジエリア１１０は、カバレッジエリアの一部分のみを構成するセクタ（図示されず）に分割され得る。システム１００は、異なるタイプの基地局１０５（たとえば、マクロ基地局、マイクロ基地局、および／またはピコ基地局）を含み得る。異なる技術のための重複するカバレッジエリアがあり得る。
【００４０】
[0095]いくつかの実施形態では、システム１００は、１つまたは複数のＬＴＥ−Ｕ動作モードまたは展開シナリオをサポートする、ＬＴＥ／ＬＴＥ−Ａネットワークであり得る。他の実施形態では、システム１００は、アンライセンススペクトラムと、ＬＴＥ−Ｕとは異なるアクセス技術とを使用して、または、ライセンススペクトラムと、ＬＴＥ／ＬＴＥ−Ａとは異なるアクセス技術とを使用して、ワイヤレス通信をサポートすることができる。進化型ノードＢ（ｅＮＢ）およびユーザ機器（ＵＥ）という用語は一般に、それぞれ基地局１０５およびデバイス１１５を表すために使用され得る。システム１００は、異なるタイプのｅＮＢがその中で様々な地理的領域に対するカバレッジを与える、異種（Heterogeneous）ＬＴＥ／ＬＴＥ−Ａ／ＬＴＥ−Ｕネットワークであり得る。たとえば、各ｅＮＢ１０５は、マクロセル、ピコセル、フェムトセル、および／または他のタイプのセルの通信カバレッジを与え得る。ピコセル、フェムトセル、および／または他のタイプのセルのような小さなセルは、低電力ノードすなわちＬＰＮを含み得る。マクロセルは、一般に、比較的大きい地理的エリア（たとえば、半径数キロメートル）をカバーし、ネットワークプロバイダとのサービスに加入しているＵＥによる無制限アクセスを可能にすることができる。ピコセルは、一般に、比較的小さい地理的エリアをカバーすることになり、ネットワークプロバイダとのサービスに加入しているＵＥによる無制限アクセスを可能にすることができる。フェムトセルも、一般に、比較的小さい地理的エリア（たとえば、自宅）をカバーすることになり、無制限アクセスに加えて、フェムトセルとの関連付けを有するＵＥ（たとえば、限定加入者グループ（ＣＳＧ）中のＵＥ、自宅の中のユーザのＵＥなど）による制限されたアクセスも実現することができる。マクロセルのためのｅＮＢは、マクロｅＮＢと呼ばれ得る。ピコセルのためのｅＮＢは、ピコｅＮＢと呼ばれ得る。また、フェムトセルのためのｅＮＢは、フェムトｅＮＢまたはホームｅＮＢと呼ばれ得る。ｅＮＢは、１つまたは複数（たとえば、２つ、３つ、４つなど）のセルをサポートすることができる。
【００４１】
[0096]コアネットワーク１３０は、バックホール１３２（たとえば、Ｓ１など）を介してｅＮＢ１０５と通信することができる。ｅＮＢ１０５はまた、たとえば、バックホールリンク１３４（たとえば、Ｘ２など）を介して、および／またはバックホールリンク１３２を介して（たとえば、コアネットワーク１３０を通じて）、直接的にまたは間接的に、互いに通信することができる。システム１００は同期動作または非同期動作をサポートし得る。同期動作では、ｅＮＢは類似するフレームタイミングおよび／またはゲーテイングタイミングを有することがあり、異なるｅＮＢからの送信は、時間的にほぼ揃えられ（aligned）得る。非同期動作では、ｅＮＢは異なるフレームタイミングおよび／またはゲーテイングタイミングを有することがあり、異なるｅＮＢからの送信は、時間的に揃えられないことがある。本明細書で説明される技法は、同期動作または非同期動作のいずれかに使用され得る。
【００４２】
[0097]ＵＥ１１５は、システム１００全体にわたって分散されてよく、各ＵＥは固定式または移動式であってよい。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれ得る。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００４３】
[0098]システム１００に示された通信リンク１２５は、モバイルデバイス１１５から基地局１０５へのアップリンク（ＵＬ）送信、および／または基地局１０５からモバイルデバイス１１５へのダウンリンク（ＤＬ）送信を含み得る。ダウンリンク送信は順方向リンク送信と呼ばれることもあり、一方、アップリンク送信は逆方向リンク送信と呼ばれることもある。ダウンリンク送信は、ライセンススペクトラム（たとえば、ＬＴＥ）、アンライセンススペクトラム（たとえば、ＬＴＥ−Ｕ）、または両方（ＬＴＥ／ＬＴＥ−Ｕ）を使用して行われ得る。同様に、アップリンク送信は、ライセンススペクトラム（たとえば、ＬＴＥ）、アンライセンススペクトラム（たとえば、ＬＴＥ−Ｕ）、または両方（ＬＴＥ／ＬＴＥ−Ｕ）を使用して行われ得る。
【００４４】
[0099]システム１００のいくつかの実施形態では、ライセンススペクトラム中のＬＴＥダウンリンク容量がアンライセンススペクトラムにオフロードされ得る補助的ダウンリンクモード、ＬＴＥダウンリンク容量とＬＴＥアップリンク容量の両方がライセンススペクトラムからアンライセンススペクトラムにオフロードされ得るキャリアアグリゲーションモード、および、基地局（たとえば、ｅＮＢ）とＵＥとの間のＬＴＥダウンリンク通信およびＬＴＥアップリンク通信がアンライセンススペクトラムにおいて起こり得るスタンドアロンモードを含む、ＬＴＥ−Ｕの様々な展開シナリオがサポートされ得る。基地局１０５もＵＥ１１５も、これらの動作モードまたは同様の動作モードの１つまたは複数をサポートすることができる。アンライセンススペクトラムにおけるＬＴＥダウンリンク送信のためには、通信リンク１２５においてＯＦＤＭＡ通信信号が使用され得るが、アンライセンススペクトラムにおけるＬＴＥアップリンク送信のためには、通信リンク１２５においてＳＣ−ＦＤＭＡ通信信号が使用され得る。システム１００のようなシステムにおけるＬＴＥ−Ｕ展開シナリオまたは動作モードの実装形態に関する追加の詳細、さらにはＬＴＥ−Ｕの動作に関する他の特徴および機能が、図２Ａ〜図３２を参照して以下で与えられる。
【００４５】
[0100]次に図２Ａを見ると、図解２００は、ＬＴＥ−ＵをサポートするＬＴＥネットワークの補助的ダウンリンクモードおよびキャリアアグリゲーションモードの例を示す。図解２００は、図１のシステム１００の部分の例であり得る。その上、基地局１０５−ａは、図１の基地局１０５の例であり得るが、ＵＥ１１５−ａは、図１のＵＥ１１５の例であり得る。
【００４６】
[0101]図解２００に示される補助的ダウンリンクモードの例では、基地局１０５−ａは、ダウンリンク２０５を使用してＯＦＤＭＡ通信信号をＵＥ１１５−ａに送信することができる。ダウンリンク２０５は、アンライセンススペクトラム中の周波数Ｆ１と関連付けられ得る。基地局１０５−ａは、双方向リンク２１０を使用してＯＦＤＭＡ通信信号を同じＵＥ１１５−ａに送信することができ、双方向リンク２１０を使用してＳＣ−ＦＤＭＡ通信信号をそのＵＥ１１５−ａから受信することができる。双方向リンク２１０は、ライセンススペクトラム中の周波数Ｆ４と関連付けられ得る。アンライセンススペクトラム中のダウンリンク２０５およびライセンススペクトラム中の双方向リンク２１０は、同時に動作することができる。ダウンリンク２０５は、基地局１０５−ａのためのダウンリンク容量のオフロードを提供することができる。いくつかの実施形態では、ダウンリンク２０５は、ユニキャストサービス（たとえば、１つのＵＥに宛てられる）またはマルチキャストサービス（たとえば、いくつかのＵＥに宛てられる）のために使用され得る。このシナリオは、ライセンススペクトラムを使用しライセンススペクトラムにおけるトラフィックおよび／またはシグナリングの混雑の一部を軽減する必要がある、任意のサービスプロバイダ（たとえば、従来のモバイルネットワーク通信事業者すなわちＭＮＯ）について発生し得る。
【００４７】
[0102]図解２００の中のキャリアアグリゲーションモードショーエンの一例では、基地局１０５−ａは、双方向リンク２１５を使用してＯＦＤＭＡ通信信号をＵＥ１１５−ａに送信することができ、双方向リンク２１５を使用してＳＣ−ＦＤＭＡ通信信号を同じＵＥ１１５−ａから受信することができる。双方向リンク２１５は、アンライセンススペクトラム中の周波数Ｆ１と関連付けられ得る。基地局１０５−ａはまた、双方向リンク２２０を使用してＯＦＤＭＡ通信信号を同じＵＥ１１５−ａに送信することができ、双方向リンク２２０を使用してＳＣ−ＦＤＭＡ通信信号を同じＵＥ１１５−ａから受信することができる。双方向リンク２２０は、ライセンススペクトラム中の周波数Ｆ２と関連付けられ得る。双方向リンク２１５は、基地局１０５−ａのためにダウンリンク容量とアップリンク容量のオフロードを提供することができる。上で説明された補助的ダウンリンクのように、このシナリオは、ライセンススペクトラムを使用しトラフィックおよび／またはシグナリングの混雑の一部を軽減する必要がある任意のサービスプロバイダ（たとえば、ＭＮＯ）について発生し得る。
【００４８】
[0103]図解２００に示されるキャリアアグリゲーションモードの別の例では、基地局１０５−ａは、双方向リンク２２５を使用してＯＦＤＭＡ通信信号をＵＥ１１５−ａに送信することができ、双方向リンク２２５を使用してＳＣ−ＦＤＭＡ通信信号を同じＵＥ１１５−ａから受信することができる。双方向リンク２１５は、アンライセンススペクトラム中の周波数Ｆ３と関連付けられ得る。基地局１０５−ａはまた、双方向リンク２３０を使用してＯＦＤＭＡ通信信号を同じＵＥ１１５−ａに送信することができ、双方向リンク２３０を使用してＳＣ−ＦＤＭＡ通信信号を同じＵＥ１１５−ａから受信することができる。双方向リンク２３０は、ライセンススペクトラム中の周波数Ｆ２と関連付けられ得る。双方向リンク２２５は、基地局１０５−ａのためにダウンリンク容量とアップリンク容量のオフロードを提供することができる。この例、および上で与えられた例は、例示を目的に提示されており、容量のオフロードのためにＬＴＥとＬＴＥ−Ｕを組み合わせる他の同様の動作モードまたは展開シナリオがあり得る。
【００４９】
[0104]上で説明されたように、ＬＴＥ−Ｕ（アンライセンススペクトラム中のＬＴＥ）を使用することによってもたらされる容量のオフロードから利益を得ることができる典型的なサービスプロバイダは、ＬＴＥライセンススペクトラムを有する従来のＭＮＯである。これらのサービスプロバイダに対しては、動作構成は、ライセンススペクトラム上のＬＴＥプライマリコンポーネントキャリア（ＰＣＣ）とアンライセンススペクトラム上のＬＴＥ−Ｕセカンダリコンポーネントキャリア（ＳＣＣ）とを使用する、ブートストラップモード（たとえば、補助的ダウンリンク、キャリアアグリゲーション）を含み得る。
【００５０】
[0105]補助的ダウンリンクモードでは、ＬＴＥ−Ｕに対する制御は、ＬＴＥアップリンク（たとえば、双方向リンク２１０のアップリンク部分）を通じて輸送され得る。ダウンリンク容量のオフロードを提供する理由の１つは、データの要求の大部分がダウンリンク側の消費によって駆り立てられるからである。その上、このモードでは、ＵＥがアンライセンススペクトラムにおいて送信していないので、規制上の影響はないことがある。いくつかの実施形態では、ＵＥに対してリッスンビフォアトーク（ＬＢＴ：listen-before-talk）または搬送波感知多元接続（ＣＳＭＡ：carrier sense multiple access）の要件を実装する必要がないことがある。しかしながら、ＬＢＴは、たとえば、周期的な（たとえば、１０ミリ秒ごとの）クリアチャネルアセスメント（ＣＣＡ）および／または無線フレームの境界と揃えられた獲得および放棄（ｇｒａｂ−ａｎｄ−ｒｅｌｉｎｑｕｉｓｈ）の機構を使用することによって、基地局（たとえば、ｅＮＢ）上で実装され得る。
【００５１】
[0106]キャリアアグリゲーションモードでは、データおよび制御はＬＴＥ（たとえば、双方向リンク２１０、２２０、および２３０）で通信され得るが、データはＬＴＥ−Ｕ（たとえば、双方向リンク２１５および２２５）で通信され得る。ＬＴＥ−Ｕを使用するときにサポートされるキャリアアグリゲーション機構は、ハイブリッドの周波数分割二重化−時分割二重化（ＦＤＤ−ＴＤＤ）キャリアアグリゲーション、または、複数のコンポーネントキャリアにわたる異なる対称性をもつＴＤＤ−ＴＤＤキャリアアグリゲーションに属し得る。
【００５２】
[0107]図２Ｂは、ＬＴＥ−Ｕのためのスタンドアロンモードの例を示す図解２００−ａを示す。図解２００−ａは、図１のシステム１００の部分の例であり得る。その上、基地局１０５−ｂは、図１の基地局１０５および図２Ａの基地局１０５−ａの例であり得るが、ＵＥ１１５−ｂは、図１のＵＥ１１５および／または図２ＡのＵＥ１１５−ａの例であり得る。
【００５３】
[0108]図解２００−ａに示されるスタンドアロンモードの例では、基地局１０５−ｂは、双方向リンク２４０を使用してＯＦＤＭＡ通信信号をＵＥ１１５−ｂに送信することができ、双方向リンク２４０を使用してＳＣ−ＦＤＭＡ通信信号をＵＥ１１５−ｂから受信することができる。双方向リンク２４０は、図２Ａを参照して上で説明されたアンライセンススペクトラム中の周波数Ｆ３と関連付けられ得る。スタンドアロンモードは、競技場の中でのアクセスのシナリオ（たとえば、ユニキャスト、マルチキャスト）のような、非従来型のワイヤレスアクセスのシナリオにおいて使用され得る。この動作モードの典型的なサービスプロバイダは、競技場の所有者、ケーブルテレビ会社、イベント主催者、ホテル、企業、および／またはライセンススペクトラムを有しない大企業であり得る。これらのサービスプロバイダに対しては、スタンドアロンモードのための動作構成は、アンライセンススペクトラム上のＬＴＥ−Ｕ  ＰＣＣを使用し得る。その上、ＬＢＴは、基地局とＵＥの両方で実装され得る。
【００５４】
[0109]次に図３を見ると、図解３００は、様々な実施形態による、ライセンススペクトラムおよびアンライセンススペクトラムにおいて同時にＬＴＥを使用するときのキャリアアグリゲーションの例を示す。図解３００のキャリアアグリゲーション方式は、図２Ａを参照して上で説明されたハイブリッドＦＤＤ−ＴＤＤキャリアアグリゲーションに対応し得る。このタイプのキャリアアグリゲーションは、図１のシステム１００の少なくとも部分において使用され得る。その上、このタイプのキャリアアグリゲーションは、図１および図２Ａのそれぞれ基地局１０５および１０５−ａにおいて、ならびに／または、図１および図２ＡのそれぞれＵＥ１１５および１１５−ａにおいて使用され得る。
【００５５】
[0110]この例では、ＦＤＤ（ＦＤＤ−ＬＴＥ）がダウンリンクにおいてＬＴＥに関連して実行されてよく、第１のＴＤＤ（ＴＤＤ１）がＬＴＥ−Ｕに関連して実行されてよく、第２のＴＤＤ（ＴＤＤ２）がＬＴＥに関連して実行されてよく、別のＦＤＤ（ＦＤＤ−ＬＴＥ）がアップリンクにおいてＬＴＥに関連して実行されてよい。ＴＤＤ１は６：４というＤＬ：ＵＬの比率をもたらすが、ＴＤＤ２の比率は７：３である。時間軸では、様々な実効ＤＬ：ＵＬ比は、３：１、１：３、２：２、３：１、２：２、および３：１である。この例は例示を目的に提示されており、ＬＴＥとＬＴＥ−Ｕの動作を組み合わせる他のキャリアアグリゲーション方式があり得る。
【００５６】
[0111]図４Ａは、様々な実施形態による、第１のワイヤレスノード（たとえば、基地局またはｅＮＢ）によるライセンススペクトラムおよびアンライセンススペクトラムにおけるＬＴＥの同時使用のための方法４００のフローチャートを示す。方法４００は、たとえば、図１、図２Ａ、および図２Ｂの、それぞれ基地局またはｅＮＢ１０５、１０５−ａ、および１０５−ｂを使用して、ならびに／または、図１のシステム１００、および図２Ａおよび図２Ｂのシステム２００および／または２００−ａの部分を使用して、実施され得る。一実装形態では、基地局またはｅＮＢ１０５の１つは、以下で説明される機能を実行するように基地局またはｅＮＢ１０５の機能要素を制御するためのコードの１つまたは複数のセットを実行することができる。
【００５７】
[0112]ブロック４０５において、第１のＯＦＤＭＡ通信信号が、ライセンススペクトラムにおいて第２のワイヤレスノード（たとえば、ＵＥ１１５）に送信され得る。ブロック４１０において、第２のＯＦＤＭＡ通信信号は、第１のＯＦＤＭＡ通信信号の送信と同時に、アンライセンススペクトラムにおいて第２のワイヤレスノードに送信され得る。いくつかの実施形態では、第１のＯＦＤＭＡ通信信号および第２のＯＦＤＭＡ通信信号は、少なくとも１つの基地局またはｅＮＢから送信され得る。
【００５８】
[0113]方法４００のいくつかの実施形態では、アンライセンススペクトラムにおける第２のＯＦＤＭＡ通信信号の送信は、第１のＯＦＤＭＡ通信信号のフレーム構造と第２のＯＦＤＭＡ通信信号のフレーム構造との間に固定されたオフセットを伴って、ライセンススペクトラムにおける第１のＯＦＤＭＡ通信信号の送信と時間同期され得る。いくつかの実施形態では、固定されたオフセットは０または実質的に０であり得る。
【００５９】
[0114]方法４００のいくつかの実施形態では、第１のＳＣ−ＦＤＭＡ通信信号は、第１のＯＦＤＭＡ通信信号および第２のＯＦＤＭＡ通信信号の送信と同時に、ライセンススペクトラムにおいて第２のワイヤレスノードから受信され得る。ライセンススペクトラムにおいて第２のワイヤレスノードから受信される第１のＳＣ−ＦＤＭＡ通信信号は、アンライセンススペクトラムにおいて送信された第２のＯＦＤＭＡ通信信号に関するシグナリング情報または他の制御情報を搬送することができる。方法は、第１のＯＦＤＭＡ通信信号および第２のＯＦＤＭＡ通信信号の送信と同時に、アンライセンススペクトラムにおいて第２のワイヤレスノードから第２のＳＣ−ＦＤＭＡ通信信号を受信することを含み得る。方法は、第１のＯＦＤＭＡ通信信号および第２のＯＦＤＭＡ通信信号の送信と同時に、ライセンススペクトラムにおいてから第１のＳＣ−ＦＤＭＡ通信信号を受信し、アンライセンススペクトラムにおいてＵＥから第２のＳＣ−ＦＤＭＡ通信信号を受信することを含み得る。いくつかの実施形態では、第１のＯＦＤＭＡ通信信号および第２のＯＦＤＭＡ通信信号の各々は、ＬＴＥ信号を含み得る。
【００６０】
[0115]図４Ｂは、様々な実施形態による、第１のワイヤレスノード（たとえば、基地局またはｅＮＢ）によるライセンススペクトラムおよびアンライセンススペクトラムにおけるＬＴＥの同時使用のための方法４００−ａのフローチャートを示す。上の方法４００のような方法４００−ａは、たとえば、図１、図２Ａ、および図２Ｂの、それぞれ基地局またはｅＮＢ１０５、１０５−ａ、および１０５−ｂを使用して、ならびに／または、図１のシステム１００、および図２Ａおよび図２Ｂのシステム２００および／または２００−ａの部分を使用して、実施され得る。一実装形態では、基地局またはｅＮＢ１０５の１つは、以下で説明される機能を実行するように基地局またはｅＮＢ１０５の機能要素を制御するためのコードの１つまたは複数のセットを実行することができる。
【００６１】
[0116]ブロック４１５において、第１のＳＣ−ＦＤＭＡ通信信号が、ライセンススペクトラムにおいて第２のワイヤレスノード（たとえば、ＵＥ１１５）から受信され得る。
【００６２】
[0117]ブロック４２０において、第２のＳＣ−ＦＤＭＡ通信信号は、第１のＯＦＤＭＡ通信信号の受信と同時に、アンライセンススペクトラムにおいて第２のワイヤレスノードから受信され得る。いくつかの実施形態では、第１のＳＣ−ＦＤＭＡ通信信号および第２のＳＣ−ＦＤＭＡ通信信号は、少なくとも１つのＵＥから受信され得る。いくつかの実施形態では、第１のＳＣ−ＦＤＭＡ通信信号および第２のＳＣ−ＦＤＭＡ通信信号の各々は、ＬＴＥ信号を含み得る。
【００６３】
[0118]図５Ａは、様々な実施形態による、第１のワイヤレスノード（たとえば、ＵＥ）によるライセンススペクトラムおよびアンライセンススペクトラムにおけるＬＴＥの同時使用のための方法５００のフローチャートを示す。方法５００は、たとえば、図１、図２Ａ、および図２Ｂの、それぞれＵＥ１１５、１１５−ａ、および１１５−ｂを使用して、ならびに／または、図１のシステム１００、および図２Ａおよび図２Ｂのシステム２００および／または２００−ａの部分を使用して、実施され得る。一実装形態では、ＵＥ１１５の１つは、以下で説明される機能を実行するためにＵＥ１１５の機能要素を制御するためのコードの１つまたは複数のセットを実行することができる。
【００６４】
[0119]ブロック５０５において、第１のＯＦＤＭＡ通信信号が、ライセンススペクトラムにおいて第２のワイヤレスノード（たとえば、基地局またはｅＮＢ１０５）から受信され得る。
【００６５】
[0120]ブロック５１０において、第２のＯＦＤＭＡ通信信号は、第１のＯＦＤＭＡ通信信号の受信と同時に、アンライセンススペクトラムにおいて第２のワイヤレスノードから受信され得る。いくつかの実施形態では、第１のＯＦＤＭＡ通信信号および第２のＯＦＤＭＡ通信信号は、ＵＥにおいて受信され得る。
【００６６】
[0121]方法５００のいくつかの実施形態では、第１のＳＣ−ＦＤＭＡ通信信号は、第１のＯＦＤＭＡ通信信号および第２のＯＦＤＭＡ通信信号の受信と同時に、ライセンススペクトラムにおいて第２のワイヤレスノードに送信され得る。ライセンススペクトラムにおいて第２のワイヤレスノードに送信され受信される第１のＳＣ−ＦＤＭＡ通信信号は、アンライセンススペクトラムで受信される第２のＯＦＤＭＡ通信信号に関するシグナリング情報または他の制御情報を搬送することができる。方法は、第１のＯＦＤＭＡ通信信号および第２のＯＦＤＭＡ通信信号の受信と同時に、アンライセンススペクトラムにおいて第２のワイヤレスノードに第２のＳＣ−ＦＤＭＡ通信信号を送信することを含み得る。方法は、第１のＯＦＤＭＡ通信信号および第２のＯＦＤＭＡ通信信号の受信と同時に、ライセンススペクトラムにおいて第２のワイヤレスノードに第１のＳＣ−ＦＤＭＡ通信信号を送信し、アンライセンススペクトラムにおいて第２のワイヤレスノードに第２のＳＣ−ＦＤＭＡ通信信号を送信することを含み得る。第１のＯＦＤＭＡ通信信号および第２のＯＦＤＭＡ通信信号の各々は、ＬＴＥ信号を含み得る。
【００６７】
[0122]図５Ｂは、様々な実施形態による、第１のワイヤレスノード（たとえば、ＵＥ）によるライセンススペクトラムおよびアンライセンススペクトラムにおけるＬＴＥの同時使用のための方法５００−ａのフローチャートを示す。上の方法５００のような方法５００−ａは、たとえば、図１、図２Ａ、および図２Ｂの、それぞれＵＥ１１５、１１５−ａ、および１１５−ｂを使用して、ならびに／または、図１のシステム１００、および図２Ａおよび図２Ｂのシステム２００および／または２００−ａの部分を使用して、実施され得る。一実装形態では、ＵＥ１１５の１つは、以下で説明される機能を実行するためにＵＥ１１５の機能要素を制御するためのコードの１つまたは複数のセットを実行することができる。
【００６８】
[0123]ブロック５１５において、第１のＳＣ−ＦＤＭＡ通信信号が、ライセンススペクトラムにおいて第２のワイヤレスノード（たとえば、基地局またはｅＮＢ１０５）に送信され得る。
【００６９】
[0124]ブロック５２０において、第２のＳＣ−ＦＤＭＡ通信信号は、第１のＳＣ−ＦＤＭＡ通信信号の送信と同時に、アンライセンススペクトラムにおいて第２のワイヤレスノードに送信され得る。いくつかの実施形態では、第１のＳＣ−ＦＤＭＡ通信信号および第２のＳＣ−ＦＤＭＡ通信信号は、ＵＥから送信され得る。いくつかの実施形態では、第１のＳＣ−ＦＤＭＡ通信信号および第２のＳＣ−ＦＤＭＡ通信信号の各々は、ＬＴＥ信号を含み得る。
【００７０】
[0125]いくつかの実施形態では、基地局、ｅＮＢ１０５、ＵＥ１１５（または送信デバイスの送信機）のような送信デバイスは、アンライセンススペクトラムのチャネルに対するアクセスを得るために、ゲーティング間隔を使用することができる。ゲーティング間隔は、ＥＴＳＩ（ＥＮ３０１８９３）において規定されるＬＢＴプロトコルに基づくリッスンビフォアトーク（ＬＢＴ）プロトコルのような、コンテンションベースプロトコルの適用を定義することができる。ＬＢＴプロトコルの適用を定義するゲーティング間隔を使用するとき、ゲーティング間隔は、送信デバイスがいつクリアチャネルアセスメント（ＣＣＡ）を実行する必要があるかを示し得る。ＣＣＡの結果は、アンライセンススペクトラムのチャネルが利用可能かどうか、または使用されているかどうかを、送信デバイスに示す。チャネルが利用可能である（たとえば、使用について「クリア」）ことをＣＣＡが示すとき、ゲーティング間隔は、送信デバイスがチャネルを使用することを、通常は事前に定義された時間期間、可能にし得る。チャネルが利用可能ではない（たとえば、使用されている、またはリザーブされている）ことをＣＣＡが示すとき、ゲーティング間隔は、送信デバイスがチャネルを使用するのをある時間期間防ぐことができる。
【００７１】
[0126]いくつかの場合には、定期的にゲーティング間隔を生成し、ゲーティング間隔の少なくとも１つの境界を周期的なフレーム構造の少なくとも１つの境界と同期させることが、送信デバイスにとって有用であり得る。たとえば、アンライセンススペクトラムにおけるダウンリンクのための周期的なゲーティング間隔を生成し、周期的なゲーティング間隔の少なくとも１つの境界を、ダウンリンクと関連付けられる周期的なフレーム構造の少なくとも１つの境界と同期することが、有用であり得る。そのような同期の例が、図６Ａ、図６Ｂ、図６Ｃ、および図６Ｄに示されている。
【００７２】
[0127]図６Ａは、アンライセンススペクトラムにおける送信（アップリンクおよび／またはダウンリンク）のための周期的なゲーティング間隔６０５の第１の例６００を示す。周期的なゲーティング間隔６０５は、ＬＴＥ−ＵをサポートするｅＮＢ（ＬＴＥ−Ｕ  ｅＮＢ）によって使用され得る。そのようなｅＮＢの例は、図１、図２Ａ、および図２Ｂの、それぞれ基地局１０５、１０５−ａ、および１０５−ｂであり得る。ゲーティング間隔６０５は、図１のシステム１００とともに、ならびに図２Ａおよび図２Ｂに示されるシステム２００および／または２００−ａの部分とともに使用され得る。
【００７３】
[0128]例として、周期的なゲーティング間隔６０５の継続時間は、周期的なフレーム構造６１０の継続時間と等しい（またはほぼ等しい）ように示される。いくつかの実施形態では、周期的なフレーム構造６１０は、ダウンリンクのプライマリコンポーネントキャリア（ＰＣＣ）と関連付けられ得る。いくつかの実施形態では、「ほぼ等しい」は、周期的なゲーティング間隔６０５の継続時間が周期的なフレーム構造６１０の継続時間という巡回プレフィックス（ＣＰ）の継続時間内にあることを意味する。
【００７４】
[0129]周期的なゲーティング間隔６０５の少なくとも１つの境界は、周期的なフレーム構造６１０の少なくとも１つの境界と同期され得る。いくつかの場合には、周期的なゲーティング間隔６０５は、周期的なフレーム構造６１０のフレーム境界と揃えられた境界を有し得る。他の場合には、周期的なゲーティング間隔６０５は、周期的なフレーム構造６１０のフレーム境界と同期されているがそれからずれている（offset）境界を有し得る。たとえば、周期的なゲーティング間隔６０５の境界は、周期的なフレーム構造６１０のサブフレーム境界と、または、周期的なフレーム構造６１０のサブフレーム中心点境界（たとえば、特定のサブフレームの中心点）と揃えられ得る。
【００７５】
[0130]いくつかの場合には、各々の周期的なフレーム構造６１０は、ＬＴＥ無線フレーム（たとえば、ＬＴＥ無線フレーム（Ｎ−１）、ＬＴＥ無線フレーム（Ｎ）、またはＬＴＥ無線フレーム（Ｎ＋１））を含み得る。各ＬＴＥ無線フレームは、１０ミリ秒という継続時間を有してよく、周期的なゲーティング間隔６０５も、１０ミリ秒という継続時間を有してよい。これらの場合には、周期的なゲーティング間隔６０５の境界は、ＬＴＥ無線フレーム（たとえば、ＬＴＥ無線フレーム（Ｎ））の１つの境界（たとえば、フレーム境界、サブフレーム境界、またはサブフレーム中心点境界）と同期され得る。
【００７６】
[0131]図６Ｂは、アンライセンススペクトラムにおける送信（アップリンクおよび／またはダウンリンク）のための周期的なゲーティング間隔６０５−ａの第２の例６００−ａを示す。周期的なゲーティング間隔６０５−ａは、ＬＴＥ−ＵをサポートするｅＮＢ（ＬＴＥ−Ｕ  ｅＮＢ）によって使用され得る。そのようなｅＮＢの例は、図１、図２Ａ、および図２Ｂの、それぞれ基地局１０５、１０５−ａ、および１０５−ｂであり得る。ゲーティング間隔６０５は、図１のシステム１００とともに、ならびに図２Ａおよび図２Ｂに示されるシステム２００および／または２００−ａの部分とともに使用され得る。
【００７７】
[0132]例として、周期的なゲーティング間隔６０５−ａの継続時間は、周期的なフレーム構造６１０の継続時間の約数（sub-multiple）（または、ほぼ約数）となるように示される。いくつかの実施形態では、「ほぼ約数」は、周期的なゲーティング間隔６０５−ａの継続時間が周期的なフレーム構造６１０の約数（たとえば、半分）の継続時間という巡回プレフィックス（ＣＰ）の継続時間内にあることを意味する。
【００７８】
[0133]周期的なゲーティング間隔６０５−ａの少なくとも１つの境界は、周期的なフレーム構造６１０の少なくとも１つの境界と同期され得る。いくつかの場合には、周期的なゲーティング間隔６０５−ａは、周期的なフレーム構造６１０の先端または後端のフレーム境界と揃えられる、先端または後端の境界を有し得る。他の場合には、周期的なゲーティング間隔６０５−ａは、周期的なフレーム構造６１０のフレーム境界の各々と同期されているがそれからオフずれている境界を有し得る。たとえば、周期的なゲーティング間隔６０５−ａの境界は、周期的なフレーム構造６１０のサブフレーム境界と、または、周期的なフレーム構造６１０のサブフレーム中心点境界（たとえば、特定のサブフレームの中心点）と揃えられ得る。
【００７９】
[0134]いくつかの場合には、各々の周期的なフレーム構造６１０は、ＬＴＥ無線フレーム（たとえば、ＬＴＥ無線フレーム（Ｎ−１）、ＬＴＥ無線フレーム（Ｎ）、またはＬＴＥ無線フレーム（Ｎ＋１））を含み得る。各ＬＴＥ無線フレームは、１０ミリ秒という継続時間を有してよく、周期的なゲーティング間隔６０５−ａは、５ミリ秒という継続時間を有してよい。これらの場合には、周期的なゲーティング間隔６０５−ａの境界は、ＬＴＥ無線フレーム（たとえば、ＬＴＥ無線フレーム（Ｎ））の１つの境界（たとえば、フレーム境界、サブフレーム境界、またはサブフレーム中心点境界）と同期され得る。周期的なゲーティング間隔６０５−ａは次いで、たとえば、周期的なフレーム構造６１０ごとに、周期的なフレーム構造６１０ごとに１回よりも多く（たとえば２回）、またはＮ個の周期的なフレーム構造６１０ごとに１回（たとえば、Ｎ＝２、３、．．．に対して）、繰り返され得る。
【００８０】
[0135]図６Ｃは、アンライセンススペクトラムにおける送信（アップリンクおよび／またはダウンリンク）のための周期的なゲーティング間隔６０５−ｂの第３の例６００−ｂを示す。周期的なゲーティング間隔６０５−ｂは、ＬＴＥ−ＵをサポートするｅＮＢ（ＬＴＥ−Ｕ  ｅＮＢ）によって使用され得る。そのようなｅＮＢの例は、図１、図２Ａ、および図２Ｂの、それぞれ基地局１０５、１０５−ａ、および１０５−ｂであり得る。ゲーティング間隔６０５は、図１のシステム１００とともに、ならびに図２Ａおよび図２Ｂに示されるシステム２００および／または２００−ａの部分とともに使用され得る。
【００８１】
[0136]例として、周期的なゲーティング間隔６０５−ｂの継続時間は、周期的なフレーム構造６１０の継続時間の整数倍（または、ほぼ整数倍）となるように示される。いくつかの実施形態では、「ほぼ整数倍」は、周期的なゲーティング間隔６０５−ｂの継続時間が周期的なフレーム構造６１０の継続時間の整数倍（たとえば、２倍）という巡回プレフィックス（ＣＰ）の継続時間内にあることを意味する。
【００８２】
[0137]周期的なゲーティング間隔６０５−ｂの少なくとも１つの境界は、周期的なフレーム構造６１０の少なくとも１つの境界と同期され得る。いくつかの場合には、周期的なゲーティング間隔６０５−ｂは、周期的なフレーム構造６１０のそれぞれの先端または後端のフレーム境界と揃えられる、先端の境界および後端の境界を有し得る。他の場合には、周期的なゲーティング間隔６０５−ｂは、周期的なフレーム構造６１０のフレーム境界と同期されているがそれからずれている境界を有し得る。たとえば、周期的なゲーティング間隔６０５−ｂの境界は、周期的なフレーム構造６１０のサブフレーム境界と、または、周期的なフレーム構造６１０のサブフレーム中心点境界（たとえば、特定のサブフレームの中心点）と揃えられ得る。
【００８３】
[0138]いくつかの場合には、各々の周期的なフレーム構造６１０は、ＬＴＥ無線フレーム（たとえば、ＬＴＥ無線フレーム（Ｎ−１）、ＬＴＥ無線フレーム（Ｎ）、またはＬＴＥ無線フレーム（Ｎ＋１））を含み得る。各ＬＴＥ無線フレームは、１０ミリ秒という継続時間を有してよく、周期的なゲーティング間隔６０５−ｂは、２０ミリ秒という継続時間を有してよい。これらの場合には、周期的なゲーティング間隔６０５−ｂの境界は、ＬＴＥ無線フレームの１つまたは２つ（たとえば、ＬＴＥ無線フレーム（Ｎ）およびＬＴＥ無線フレーム（Ｎ＋１））の境界（たとえば、フレーム境界、サブフレーム境界、またはサブフレーム中心点境界）と同期され得る。
【００８４】
[0139]図６Ｄは、アンライセンススペクトラムにおける送信（アップリンクおよび／またはダウンリンク）のための周期的なゲーティング間隔６０５−ｃの第４の例６００−ｃを示す。周期的なゲーティング間隔６０５−ｃは、ＬＴＥ−ＵをサポートするｅＮＢ（ＬＴＥ−Ｕ  ｅＮＢ）によって使用され得る。そのようなｅＮＢの例は、図１、図２Ａ、および図２Ｂの、それぞれ基地局１０５、１０５−ａ、および１０５−ｂであり得る。ゲーティング間隔６０５は、図１のシステム１００とともに、ならびに図２Ａおよび図２Ｂに示されるシステム２００および／または２００−ａの部分とともに使用され得る。
【００８５】
[0140]例として、周期的なゲーティング間隔６０５−ｃの継続時間は、周期的なフレーム構造６１０の継続時間の約数（sub-multiple）（または、ほぼ約数）となるように示される。約数は、周期的なフレーム構造６１０の継続時間の１０分の１であり得る。
【００８６】
[0141]周期的なゲーティング間隔６０５−ｃの少なくとも１つの境界は、周期的なフレーム構造６１０の少なくとも１つの境界と同期され得る。いくつかの場合には、周期的なゲーティング間隔６０５−ｃは、周期的なフレーム構造６１０の先端または後端のフレーム境界と揃えられる、先端または後端の境界を有し得る。他の場合には、周期的なゲーティング間隔６０５−ｃは、周期的なフレーム構造６１０のフレーム境界の各々と同期されているがそれからずれている境界を有し得る。たとえば、周期的なゲーティング間隔６０５−ｃの境界は、周期的なフレーム構造６１０のサブフレーム境界と、または、周期的なフレーム構造６１０のサブフレーム中心点境界（たとえば、特定のサブフレームの中心点）と揃えられ得る。
【００８７】
[0142]いくつかの場合には、各々の周期的なフレーム構造６１０は、ＬＴＥ無線フレーム（たとえば、ＬＴＥ無線フレーム（Ｎ−１）、ＬＴＥ無線フレーム（Ｎ）、またはＬＴＥ無線フレーム（Ｎ＋１））を含み得る。各ＬＴＥ無線フレームは、１０ミリ秒という継続時間を有してよく、周期的なゲーティング間隔６０５−ｃは、１ミリ秒という継続時間（たとえば、１つのサブフレームの継続時間）を有してよい。これらの場合には、周期的なゲーティング間隔６０５−ｃの境界は、ＬＴＥ無線フレーム（たとえば、ＬＴＥ無線フレーム（Ｎ））の１つの境界（たとえば、フレーム境界、サブフレーム境界、またはサブフレーム中心点境界）と同期され得る。周期的なゲーティング間隔６０５−ｃは次いで、たとえば、周期的なフレーム構造６１０ごとに、周期的なフレーム構造６１０ごとに１回よりも多く、またはＮ個の周期的なフレーム構造６１０ごとに１回（たとえば、Ｎ＝２、３、．．．に対して）、繰り返され得る。
【００８８】
[0143]図７Ａは、アンライセンススペクトラムにおける送信（アップリンクおよび／またはダウンリンク）のための周期的なゲーティング間隔６０５−ｄ−１の第５の例７００を示す。周期的なゲーティング間隔６０５−ｄ−１は、ＬＴＥ−ＵをサポートするｅＮＢ（ＬＴＥ−Ｕ  ｅＮＢ）によって使用され得る。そのようなｅＮＢの例は、図１、図２Ａ、および図２Ｂの、それぞれ基地局１０５、１０５−ａ、および１０５−ｂであり得る。ゲーティング間隔６０５−ｄ−１は、図１のシステム１００とともに、ならびに図２Ａおよび図２Ｂに示されるシステム２００および／または２００−ａの部分とともに使用され得る。
【００８９】
[0144]例として、周期的なゲーティング間隔６０５−ｄ−１の継続時間は、周期的なフレーム構造６１０−ａの継続時間と等しい（またはほぼ等しい）ように示されている。いくつかの実施形態では、周期的なフレーム構造６１０−ａは、ダウンリンクのプライマリコンポーネントキャリア（ＰＣＣ）と関連付けられ得る。周期的なゲーティング間隔６０５−ｄ−１の境界は、周期的なフレーム構造６１０−ａの境界と同期され得る（たとえば、揃えられ得る）。
【００９０】
[0145]周期的なフレーム構造６１０−ａは、１０個のサブフレームを有するＬＴＥ無線フレーム（たとえば、ＳＦ０、ＳＦ１、．．．、ＳＦ９）を含み得る。サブフレームＳＦ０〜ＳＦ８は、ダウンリンク（Ｄ）サブフレーム７１０であってよく、サブフレームＳＦ９は、特別（Ｓ’）サブフレーム７１５であってよい。Ｄサブフレーム７１０および／またはＳ’サブフレーム７１５は、ＬＴＥ無線フレームのチャネル占有時間を集合的に定義することができ、Ｓ’サブフレーム７１５の少なくとも一部はチャネルアイドル時間を定義することができる。現在のＬＴＥ規格のもとでは、ＬＴＥ無線フレームは、１ミリ秒と９．５ミリ秒の間の最大チャネル占有時間（オン時間）と、チャネル占有時間の５パーセント（たとえば、最小で５０マイクロ秒）の最小チャネルアイドル時間（オフ時間）とを有し得る。ＬＴＥ規格との適合を確実にするために、周期的なゲーティング間隔６０５−ｄは、Ｓ’サブフレーム７１５の一部として０．５ミリ秒のガード期間（すなわち、オフ時間）を提供することによって、ＬＴＥ規格のこれらの要件に従うことができる。
【００９１】
[0146]Ｓ’サブフレーム７１５は１ミリ秒という継続時間を有するので、Ｓ’サブフレーム７１５は、アンライセンススペクトラムの特定のチャネルについて競合する送信デバイスがＣＣＡを実行し得る、１つまたは複数のＣＣＡスロット７２０（たとえば、タイムスロット）を含み得る。チャネルが利用可能であることを送信デバイスのＣＣＡが示すが、デバイスのＣＣＡが周期的なゲーティング間隔６０５−ｄ−１の終了の前に完了するとき、デバイスは、周期的なゲーティング間隔６０５−ｄ−１の終了まで、チャネルをリザーブするために１つまたは複数の信号を送信することができる。いくつかの場合には、１つまたは複数の信号は、チャネル使用パイロット信号（ＣＵＰＳ）またはチャネル使用ビーコン信号（ＣＵＢＳ）７３０を含む。ＣＵＢＳ７３０は、この説明において後で詳細に説明されるが、チャネル同期とチャネルリザーブの両方のために使用され得る。すなわち、別のデバイスがチャネル上でＣＵＢＳを送信し始めた後で当該チャネルのためにＣＣＡを実行するデバイスは、ＣＵＢＳ７３０のエネルギーを検出し、チャネルが現在利用不可能であると決定することができる。
【００９２】
[0147]あるチャネルのためのＣＣＡの完了に送信デバイスが成功したこと、および／またはあるチャネルを通じたＣＵＢＳ７３０の送信に続いて、送信デバイスは、最大で所定の時間期間（たとえば、１つのゲーティング間隔または１つのＬＴＥ無線フレーム）、波形（たとえば、ＬＴＥに基づく波形７４０）を送信するためにそのチャネルを使用することができる。
【００９３】
[0148]図７Ｂは、アンライセンススペクトラムにおける送信（アップリンクおよび／またはダウンリンク）のための周期的なゲーティング間隔６０５−ｄ−２の第６の例７０５を示す。周期的なゲーティング間隔６０５−ｄ−２は、ＬＴＥ−ＵをサポートするｅＮＢまたはＵＥ（ＬＴＥ−Ｕ  ｅＮＢまたはＬＴＥ−Ｕ  ＵＥ）によって使用され得る。そのようなｅＮＢの例は、図１、図２Ａ、および図２Ｂの、それぞれ基地局１０５、１０５−ａ、および１０５−ｂであってよく、そのようなＵＥの例は、図１のＵＥ１１５、１１５−ａ、および１１５−ｂであってよい。ゲーティング間隔６０５−ｄ−２は、図１のシステム１００とともに、ならびに図２Ａおよび図２Ｂに示されるシステム２００および／または２００−ａの部分とともに使用され得る。
【００９４】
[0149]例として、周期的なゲーティング間隔６０５−ｄ−２の継続時間は、周期的なフレーム構造６１０−ａの継続時間と等しい（またはほぼ等しい）ように示されている。いくつかの実施形態では、周期的なフレーム構造６１０−ａは、ダウンリンクのプライマリコンポーネントキャリア（ＰＣＣ）と関連付けられ得る。周期的なゲーティング間隔６０５−ｄ−２の境界は、周期的なフレーム構造６１０−ａの境界と同期され得る（たとえば、揃えられ得る）。
【００９５】
[0150]周期的なフレーム構造６１０−ｂは、１０個のサブフレームを有するＬＴＥ無線フレーム（たとえば、ＳＦ０、ＳＦ１、．．．、ＳＦ９）を含み得る。サブフレームＳＦ０からＳＦ４はダウンリンク（Ｄ）サブフレーム７１０であってよく、サブフレームＳＦ５は特別（Ｓ）サブフレーム７３５であってよく、サブフレームＳＦ６からＳＦ８はアップリンク（Ｕ）サブフレーム７４５であってよく、サブフレームＳＦ９は特別（Ｓ’）サブフレーム７１５であってよい。Ｄサブフレーム７１０、Ｓサブフレーム７３５、Ｕサブフレーム７４５、および／またはＳ’サブフレーム７１５は、ＬＴＥ無線フレームのチャネル占有時間を集合的に定義することができ、Ｓサブフレーム７３５および／またはＳ’サブフレーム７１５の少なくとも一部はチャネルアイドル時間を定義することができる。現在のＬＴＥ規格のもとでは、ＬＴＥ無線フレームは、１ミリ秒と９．５ミリ秒の間の最大チャネル占有時間（オン時間）と、チャネル占有時間の５パーセント（たとえば、最小で５０マイクロ秒）の最小チャネルアイドル時間（オフ時間）とを有し得る。ＬＴＥ規格との適合を確実にするために、周期的なゲーティング間隔６０５−ｄ−２は、Ｓサブフレーム７３５および／またはＳ’サブフレーム７１５の一部として０．５ミリ秒のガード期間またはサイレンス期間（すなわち、オフ時間）を提供することによって、ＬＴＥ規格のこれらの要件に従うことができる。
【００９６】
[0151]Ｓ’サブフレーム７１５は１ミリ秒という継続時間を有するので、Ｓ’サブフレーム７１５は、アンライセンススペクトラムの特定のチャネルについて競合する送信デバイスがＣＣＡを実行し得る、１つまたは複数のＣＣＡスロット７２０（たとえば、タイムスロット）を含み得る。チャネルが利用可能であることを送信デバイスのＣＣＡが示すが、デバイスのＣＣＡが周期的なゲーティング間隔６０５−ｄ−２の終了の前に完了するとき、デバイスは、周期的なゲーティング間隔６０５−ｄ−２の終了まで、チャネルをリザーブするために１つまたは複数の信号を送信することができる。１つまたは複数の信号は、いくつかの場合には、ＣＵＰＳまたはＣＵＢＳ７３０を含み得る。ＣＵＢＳ７３０は、この説明において後で詳細に説明されるが、チャネル同期とチャネルリザーブの両方のために使用され得る。すなわち、別のデバイスがチャネル上でＣＵＢＳを送信し始めた後で当該チャネルのためにＣＣＡを実行するデバイスは、ＣＵＢＳ７３０のエネルギーを検出し、チャネルが現在利用不可能であると決定することができる。
【００９７】
[0152]あるチャネルのためのＣＣＡの完了に送信デバイスが成功したこと、および／またはあるチャネルを通じたＣＵＢＳ７３０の送信に続いて、送信デバイスは、最大で所定の時間の期間（たとえば、１つのゲーティング間隔または１つのＬＴＥ無線フレーム）、波形（たとえば、ＬＴＥに基づく波形７４０）を送信するためにそのチャネルを使用することができる。
【００９８】
[0153]アンライセンススペクトラムのチャネルが、たとえば、ゲーティング間隔またはＬＴＥ無線フレームのために基地局またはｅＮＢによってリザーブされるとき、基地局またはｅＮＢは、いくつかの場合には、時間領域多重化（ＴＤＭ）の使用のためにチャネルをリザーブすることができる。これらの例では、基地局またはｅＮＢは、いくつかのＤサブフレーム（たとえば、サブフレームＳＦ０からＳＦ４）においてデータを送信し、次いで、基地局またはｅＮＢが通信しているＵＥがＳサブフレーム（たとえば、サブフレームＳＦ５）においてＣＣＡ７５０（たとえば、アップリンクＣＣＡ）を実行することを、可能にし得る。ＣＣＡ７５０が成功すると、ＵＥは、いくつかのＵサブフレーム（たとえば、サブフレームＳＦ６からＳＦ８）において基地局またはｅＮＢにデータを送信することができる。
【００９９】
[0154]ゲーティング間隔がＥＴＳＩ（ＥＮ３０１８９３）において規定されるＬＢＴプロトコルの適用を定義するとき、ゲーティング間隔は、ＬＢＴ  Ｆｉｘｅｄ  Ｂａｓｅｄ  Ｅｑｕｉｐｍｅｎｔ（ＬＢＴ−ＦＢＥ）ゲーティング間隔、または、ＬＢＴ  Ｌｏａｄ  Ｂａｓｅｄ  Ｅｑｕｉｐｍｅｎｔ（ＬＢＴ−ＬＢＥ）ゲーティング間隔という形式をとり得る。ＬＢＴ−ＦＢＥゲーティング間隔は、固定された／周期的なタイミングを有してよく、トラフィック需要によって直接影響され得ない（たとえば、そのタイミングは再構成を通じて変更され得る）。対照的に、ＬＢＴ−ＬＢＥゲーティング間隔は、固定されたタイミングを有さなくてよく（たとえば、非同期的であってよく）、トラフィック需要によって大きく影響され得る。図６Ａ、図６Ｂ、図６Ｃ、図６Ｄ、および図７は各々、周期的なゲーティング間隔６０５の例を示し、この周期的なゲーティング間隔６０５はＬＢＴ−ＦＢＥゲーティング間隔であり得る。図６Ａを参照して説明される周期的なゲーティング間隔６０５の潜在的な利点は、現在のＬＴＥ規格において定義される１０ミリ秒のＬＴＥ無線フレーム構造を保つことができるということである。しかしながら、ゲーティング間隔の継続時間がＬＴＥ無線フレームの継続時間より短いとき（たとえば、図６Ｂまたは図６Ｄを参照して説明されたように）、ＬＴＥ無線フレーム構造を保つという利点はもはや存在せず、ＬＢＴ−ＬＢＥゲーティング間隔が有利であり得る。ＬＢＴ−ＬＢＥゲーティング間隔を使用することの潜在的な利点は、ゲーティング間隔の初めまたは終わりにおけるシンボルのパンクチャを何ら伴わずに、ＬＴＥ  ＰＨＹチャネルの構造を保持できるということである。しかしながら、ＬＢＴ−ＬＢＥゲーティング間隔を使用することの潜在的な欠点は、ＬＴＥ−Ｕ通信事業者の異なるｅＮＢの間でゲーティング間隔の使用を同期させることができない（たとえば、各ｅＮＢが拡張されたＣＣＡのためにランダムなバックオフ時間を使用するので）ということである。
【０１００】
[0155]図８は、ワイヤレス通信のための方法８００の例を示すフローチャートである。明快のために、方法８００は、図１、図２Ａ、および／または図２Ｂに示されたｅＮＢ１０５とＵＥ１１５の１つを参照して以下で説明される。一実装形態では、ｅＮＢ１０５とＵＥ１１５の１つは、以下で説明される機能を実行するためにｅＮＢ１０５またはＵＥ１１５の機能要素を制御するためのコードの１つまたは複数のセットを実行することができる。
【０１０１】
[0156]ブロック８０５において、アンライセンススペクトラムにおけるダウンリンクのための周期的なゲーティング間隔が生成され得る。
【０１０２】
[0157]ブロック８１０において、周期的なゲーティング間隔の少なくとも１つの境界は、ダウンリンクのＰＣＣと関連付けられる周期的なフレーム構造の少なくとも１つの境界と同期され得る。いくつかの実施形態では、ＰＣＣはライセンススペクトラム中の搬送波を含み得る。
【０１０３】
[0158]いくつかの実施形態では、周期的なゲーティング間隔はＬＢＴフレームを含んでよく、および／または、周期的なフレーム構造はＬＴＥ無線フレームを含んでよい。
【０１０４】
[0159]いくつかの実施形態では、周期的なゲーティング間隔の継続時間は、周期的なフレーム構造の継続時間の整数倍であり得る。そのような実施形態の例は、図６Ａおよび図６Ｃを参照して上で説明された。他の実施形態では、周期的なゲーティング間隔の継続時間は、周期的なフレーム構造の継続時間の約数であり得る。そのような実施形態の例は、図６Ｂおよび図６Ｄを参照して上で説明された。
【０１０５】
[0160]したがって、方法８００はワイヤレス通信を規定することができる。方法８００は一実装形態にすぎないこと、および方法８００の動作は、他の実装形態が可能であるように並べ替えられてよく、または別様に修正されてよいことに留意されたい。
【０１０６】
[0161]図９Ａ、図９Ｂ、図９Ｃ、および図９Ｄは、ＬＢＴのようなコンテンションに基づくプロトコルが、図７Ａまたは図７Ｂを参照して説明された１０ミリ秒のゲーティング間隔６０５−ｄ−１または６０５−ｄ−２のＳ’サブフレームのような、ゲーティング間隔のＳ’サブフレーム７２５−ａ内でどのように実装され得るかの、例９００、９００−ａ、９２０、９５０を示す。コンテンションに基づくプロトコルは、たとえば、図１、図２Ａ、および図２Ｂの、それぞれ基地局１０５、１０５−ａ、および１０５−ｂとともに使用され得る。コンテンションに基づくプロトコルは、図１のシステム１００とともに、ならびに図２Ａおよび図２Ｂに示されるシステム２００および／または２００−ａの部分とともに使用され得る。
【０１０７】
[0162]ここで図９Ａおよび図９Ｂを見ると、ガード期間９０５とＣＣＡ期間９１０とを有する、Ｓ’サブフレーム７２５−ａ−１の例９００／９００−ａが示されている。例として、ガード期間９０５およびＣＣＡ期間９１０の各々は、０．５ミリ秒の継続時間を有し、７個のＯＦＤＭシンボル位置９１５を含み得る。図９Ｂに示されるように、ＣＣＡ期間９１０の中のＯＦＤＭシンボル位置９１５の各々は、ＣＣＡを実行するためにＯＦＤＭシンボル位置９１５をｅＮＢが選択すると、ＣＣＡスロット７２０−ａに変換され得る。いくつかの場合、ＯＦＤＭシンボル位置９１５の同じ１つまたは異なる１つが、複数のｅＮＢの１つによって擬似ランダムに選択されてよく、これによってある種のＣＣＡの時間ディザリングを実現する。ｅＮＢは、単一のＬＴＥ−Ｕ通信事業者または異なるＬＴＥ−Ｕ通信事業者によって運営され得る。ＯＦＤＭシンボル位置９１５は、ｅＮＢが異なるときにＯＦＤＭシンボル位置の異なる１つを選択するように構成され得るという点で、擬似ランダムに選択されてよく、これによって、時間的に最も早く発生するＯＦＤＭシンボル位置９１５を選択する機会を複数のｅＮＢの各々に与える。これは、成功裏のＣＣＡを実行すべき第１のｅＮＢがアンライセンススペクトラムの対応する１つまたは複数のチャネルをリザーブする機会を有するという点で、および、ＣＣＡを実行するためのＯＦＤＭシンボル位置９１５のｅＮＢの擬似ランダムな選択が、各々の他のｅＮＢと同じ、成功裏のＣＣＡを実行する確率を第１のｅＮＢが有することを確実にするという点で、有利であり得る。単一のＬＴＥ−Ｕ通信事業者によって運営されるｅＮＢの場合、ｅＮＢは、いくつかの場合、同じＣＣＡスロット７２０−ａを選択するように構成され得る。
【０１０８】
[0163]図９Ｃは、ガード期間９０５とＣＣＡ期間９１０とを有する、Ｓ’サブフレーム７２５−ａ−２の例９２０を示す。例として、各々のガード期間９０５は、０．５ミリ秒の継続時間を有し、７個のＯＦＤＭシンボル位置を含み得る。ＣＣＡ期間９１０は、各々が１つのＯＦＤＭシンボル位置以下の継続時間を有する１つまたは複数のＣＣＡスロットを含み得る、１つのＯＦＤＭシンボル位置または１つのＯＦＤＭシンボル位置の断片を含み得る。ＣＣＡ期間９１０の後には、ＣＵＢＳ期間９３０が続き得る。ガード期間９０５は、短縮されたＤサブフレーム９２５に先行し得る。いくつかの例では、通信事業者または地上波公共移動通信ネットワーク（ＰＬＭＮ）と関連付けられるワイヤレスノードのすべて（たとえば、すべての基地局またはｅＮＢ）が、ＣＣＡ期間９１０の間に同時にＣＣＡを実行することができる。図９ＣのＳ’サブフレーム７２５−ａ−２ショーエンは、通信事業者が、アンライセンススペクトラムへのアクセスについて競合する他の通信事業者に対して非同期的に動作するシナリオにおいて、有用であり得る。
【０１０９】
[0164]図９Ｄは、短縮されたＤサブフレーム９２５と、ＣＣＡ期間９１０と、ＣＵＢＳ期間９３０とを有する、Ｓ’サブフレーム７２５−ａ−３の例９５０を示す。ＣＣＡ期間９１０は、各々が１つのＯＦＤＭシンボル位置以下の継続時間を有する１つまたは複数のＣＣＡスロットを含み得る、１つのＯＦＤＭシンボル位置または１つのＯＦＤＭシンボル位置の断片を含み得る。ＣＣＡ期間９１０の後には、ＣＵＢＳ期間９３０が続き得る。いくつかの例では、通信事業者または地上波公共移動通信ネットワーク（ＰＬＭＮ）と関連付けられるワイヤレスノードのすべて（たとえば、すべての基地局またはｅＮＢ）が、ＣＣＡ期間９１０の間に同時にＣＣＡを実行することができる。図９Ｄに示されるＳ’サブフレーム７２５−ａ−３は、通信事業者が、アンライセンススペクトラムへのアクセスについて競合する他の通信事業者に対して非同期的に動作するシナリオにおいて、および、Ｓ’サブフレーム７２５−ａ−３がゲーティング間隔６０５−ｄ−２などとともにＴＤＭの状況で使用されるシナリオにおいて、有用であり得る。ＴＤＭの状況で使用されるとき、Ｓ’サブフレーム７２５−ａ−３がその一部分を形成するフレームのＳサブフレームにおいて、サイレント期間が提供され得る。
【０１１０】
[0165]図１０Ａおよび図１０Ｂは、図９Ａおよび／または図９Ｂを参照して説明されたＳ’サブフレーム７２５−ａのようなＳ’サブフレームが現在のゲーティング間隔６０５とともにどのように使用され得るかの例を提供する。例として、図１０Ａおよび図１０Ｂに示される現在のゲーティング間隔６０５−ｅ、６０５−ｇは、図７を参照して説明された１０ミリ秒のゲーティング間隔６０５−ｄの例であり得る。現在のゲーティング間隔とともにＳ’サブフレームを使用することは、たとえば、図１、図２Ａ、および図２Ｂの、それぞれ基地局１０５、１０５−ａ、および１０５−ｂによって扱われ得る。現在のゲーティング間隔とともにＳ’サブフレームを使用することは、図１のシステム１００によって扱われ得、図２Ａおよび／または図２Ｂに示されるシステム２００および／または２００−ａの部分とともにあり得る。
【０１１１】
[0166]図１０Ａは、現在のゲーティング期間６０５−ｅの最後のサブフレームとしてＳ’サブフレームが含まれる例１０００を与える。したがって、Ｓ’サブフレームのガード期間９０５−ａおよびＣＣＡ期間９１０−ａは、現在のゲーティング期間６０５−ｅの後端の（trailing）境界および次の送信間隔６０５−ｆの初めのすぐ前の、現在のゲーティング期間６０５−ｅの終わりにおいて発生する。次の送信間隔６０５−ｆは、送信デバイスによって実行されるＣＣＡが、アンライセンススペクトラムが次の送信間隔６０５−ｆの間に利用可能であることを示すか利用不可能であることを示すかに応じて、いくつかの送信デバイスの各々のダウンリンク送信のためにオンにゲーティングされ、またはオフにゲーティングされ得る。いくつかの場合には、次の送信間隔６０５−ｆはまた、次のゲーティング間隔であってよい。
【０１１２】
[0167]図１０Ｂは、現在のゲーティング期間６０５−ｇの最初のサブフレームとしてＳ’サブフレームが含まれる例１０００−ａを与える。したがって、Ｓ’サブフレームのガード期間９０５−ｂおよびＣＣＡ期間９１０−ｂは、現在のゲーティング期間６０５−ｇの先端の（leading）境界のすぐ後の、現在のゲーティング期間６０５−ｇの初めにおいて発生する。次の送信間隔６０５−ｈは、送信デバイスによって実行されるＣＣＡが、アンライセンススペクトラムが次の送信間隔６０５−ｆの間に利用可能であることを示すか利用不可能であることを示すかに応じて、いくつかの送信デバイスの各々のダウンリンク送信のためにオンにゲーティングされ、またはオフにゲーティングされ得る。いくつかの場合には、次の送信間隔６０５−ｈはまた、次のゲーティング間隔であってよい。
【０１１３】
[0168]図１０Ｃは、アンライセンススペクトラム（またはアンライセンススペクトラムのチャネル）のためのＣＣＡの実行が複数のｅＮＢ１０５にわたってどのように同期され得るかの例１０００−ｂを与える。例として、複数のｅＮＢ１０５は、ＬＴＥ−Ｕ  ｅＮＢ１とＬＴＥ−Ｕ  ｅＮＢ２とを含み得る。ＣＣＡの実行は、たとえば、図１、図２Ａ、および図２Ｂの、それぞれ基地局１０５、１０５−ａ、および１０５−ｂによってなされ得る。ＣＣＡの実行は、図１のシステム１００において、ならびに図２Ａおよび／または図２Ｂに示されるシステム２００および／または２００−ａの部分とともに使用され得る。
【０１１４】
[0169]ｅＮＢ１とｅＮＢ２との間の同期により、ｅＮＢ１の現在のゲーティング間隔内のＳ’サブフレーム７２５−ｂは、ｅＮＢ２の現在のゲーティング間隔内のＳ’サブフレーム７２５−ｃと同期され得る。また、各ｅＮＢによって実施される同期された擬似ランダムなＣＣＡスロット選択処理により、ｅＮＢ２は、ｅＮＢ１によって選択されるＣＣＡスロット７２０−ｂとは異なる時間（たとえば、異なるＯＦＤＭシンボル位置）において発生する、ＣＣＡスロット７２０−ｃを選択することができる。たとえば、ｅＮＢ１は、Ｓ’サブフレーム７２５−ｂおよび７２５−ｃの揃えられた（aligned）ＣＣＡ期間の５番目のＯＦＤＭシンボル位置と揃えられたＣＣＡスロット７２０−ｂを選択することができ、ｅＮＢ２は、揃えられたＣＣＡ期間の３番目のＯＦＤＭシンボル位置と揃えられたＣＣＡスロット７２０−ｃを選択することができる。
【０１１５】
[0170]示されるように、同期されたＳ’サブフレーム７２５−ｂおよび７２５−ｃの後の次の送信間隔は、Ｓ’サブフレーム７２５−ｂおよび７２５−ｃのＣＣＡ期間の後に開始し、Ｄサブフレームとともに始まり得る。ｅＮＢ２のＣＣＡスロット７２０−ｃは、時間的に最初にスケジューリングされているので、ｅＮＢ２は、ｅＮＢ１が次の送信間隔をリザーブする機会を有する前に、次の送信間隔をリザーブする機会を有する。しかしながら、ｅＮＢ１およびｅＮＢ２の各々によって実施される擬似ランダムなＣＣＡスロット選択処理により、ｅＮＢ１は、（たとえば、ｅＮＢ１のＣＣＡスロットが、より後のゲーティング間隔の中のｅＮＢ２のＣＣＡスロットよりも早い時間において発生し得るので）より後の送信間隔をリザーブするための第１の機会を与えられ得る。
【０１１６】
[0171]例として、図１０Ｃは、Ｓ’サブフレーム７２５−ｂおよび７２５−ｃの揃えられたＣＣＡ期間の部分と同時に発生するＷｉＦｉ送信（Ｔｘ）アクティビティがあることを示す。ｅＮＢ２によって選択されるＣＣＡスロット７２０−ｃのタイミングにより、ｅＮＢ２は、アンライセンススペクトラムが利用不可能であることを、ｅＮＢ２のＣＣＡを実行した結果として決定することができ、次の送信間隔の間、アンライセンススペクトラムにおけるダウンリンク送信１００５−ａをオフにゲーティングすることができる。ｅＮＢ２のダウンリンク送信は、したがって、ｅＮＢ２のＣＣＡの実行の間にＷｉＦｉ  Ｔｘアクティビティが発生した結果として遮断され得る。
【０１１７】
[0172]ＣＣＡスロット７２０−ｂの間、ｅＮＢ１はＣＣＡを実行することができる。ｅＮＢ１によって選択されるＣＣＡスロット７２０−ｂのタイミングにより、ｅＮＢ１は、（たとえば、ＷｉＦｉ  ＴｘアクティビティがＣＣＡスロット７２０−ｂの間に発生しないので、および、ｅＮＢ２がより早い時間において次の送信間隔をリザーブすることができなかったので）アンライセンススペクトラムが利用可能であると、ｅＮＢ２のＣＣＡを実行した結果として決定することができる。したがって、ｅＮＢ１は、次の送信間隔をリザーブし、次の送信間隔の間、アンライセンススペクトラムにおけるダウンリンク送信１００５をオンにゲーティングすることができる。アンライセンススペクトラム（またはアンライセンススペクトラムのチャネル）をリザーブするための方法は、この説明のより後で詳細に説明される。
【０１１８】
[0173]図９Ａ、図９Ｂ、図１０Ａ、図１０Ｂ、および図１０Ｃは、図７を参照して説明されたゲーティング間隔６０５−ｄのような１０ミリ秒のゲーティング間隔の状況においてＣＣＡスロット７２０がどのように選択され得るかの例を与える。対照的に、図１０Ｄ、図１０Ｅ、図１０Ｆ、および図１０Ｇは、ＣＣＡスロット７２０が１ミリ秒または２ミリ秒のゲーティング間隔の状況においてどのように選択され得るかの例を与える。１０ミリ秒のゲーティング間隔は、低ＷｉＦｉアクティビティの存在下での低いゲーティング間隔のオーバーヘッドのような利点と、既存のＬＴＥチャネルのサブフレームベースＰＨＹチャネル設計を保持できる能力とをもたらし得る。しかしながら、これは、長いチャネルアイドル時間（たとえば、ＣＣＡのディザリング（dithering）によりもたらされるＣＣＡの遅延に応じて、０．５ミリ秒以上）という欠点を有することがあり、このことは、短いコンテンションウィンドウをもつＷｉＦｉノードに送信の機会（たとえば、図９Ａおよび図９Ｂを参照して説明されたガード期間９０５の間の送信の機会）を与え得る。これはまた、ＣＣＡが不成功であるとき、少なくとも１０ミリ秒、ダウンリンク送信を遅らせるという欠点を有し得る。たとえば、１ミリ秒または２ミリ秒のゲーティング間隔は、より大きなゲーティング間隔のオーバーヘッドにつながることがあり、ミリ秒未満の送信継続時間をサポートするために、ＬＴＥ  ＰＨＹチャネル設計に対するより広範囲の変更を必要とすることがある。しかしながら、恐らくは１ミリ秒または２ミリ秒のゲーティング間隔が、１０ミリ秒のゲーティング間隔と関連付けられる前述の欠点を軽減または除去することができる。
【０１１９】
[0174]図１０Ｄは、１ミリ秒のゲーティング間隔６０５−ｉの例１０００−ｃを与える。１ミリ秒のゲーティング間隔は、図１、図２Ａ、図２Ｂの、それぞれ基地局１０５、１０５−ａ、および１０５−ｂによって使用され得る。１ミリ秒のゲーティング間隔は、図１のシステム１００において、ならびに図２Ａおよび／または図２Ｂに示されるシステム２００および／または２００−ａの部分とともに使用され得る。
【０１２０】
[0175]現在のＬＴＥ規格は、チャネル占有時間（オン時間）≧１ミリ秒であることと、チャネルアイドル時間≧チャネル占有時間の５パーセントであることとを要求する。したがって、現在のＬＴＥ規格は、１．０５ミリ秒の最小ゲーティング間隔の継続時間を指示する。しかしながら、ＬＴＥ規格が恐らくは０．９５ミリ秒の最小チャネル占有時間を要求するように緩和され得る場合、１ミリ秒のゲーティング間隔が可能となるであろう。
【０１２１】
[0176]図１０Ｄに示されるように、１ミリ秒のゲーティング間隔６０５−ｉは、１４個のＯＦＤＭシンボル（またはシンボル位置）を含み得る。成功したＣＣＡがゲーティング間隔６０５−ｉに先行するＣＣＡスロット７２０−ｄの間に実行されるとき、ダウンリンク送信は、ゲーティング間隔６０５−ｉの最初の１３個のＯＦＤＭシンボルの間に発生し得る。そのようなダウンリンク送信は、９２９マイクロ秒の継続時間（またはチャネル占有時間）を有し得る。現在のＬＴＥ規格によれば、９２９マイクロ秒のチャネル占有時間は、４８マイクロ秒のチャネルアイドル時間９０５−ａを要求し、これは、１つのＯＦＤＭシンボルの７１．４マイクロ秒の継続時間より短い。結果として、４８マイクロ秒のチャネルアイドル時間９０５−ａ、さらには１つまたは複数のＣＣＡスロット７２０−ｄが、１４番目のＯＦＤＭシンボル位置の間に提供され得る。いくつかの場合、全体で２０マイクロ秒の継続時間を有する２つのＣＣＡスロット７２０−ｄは、１４番目のＯＦＤＭシンボル位置の間に提供されてよく、これによって、ある量のＣＣＡランダム化（ディザリング）を可能にする。注目すべきことに、例１０００−ｃの各ＣＣＡスロット７２０−ｄは、１つのＯＦＤＭシンボルよりも短い継続時間を有する。
【０１２２】
[0177]ＣＣＡスロット７２０−ｄは、図１０Ｄに示される１ミリ秒のゲーティング間隔６０５−ｉまたはサブフレームの終わりに配置されるので、ゲーティング間隔６０５−ｉは、共通基準信号（ＣＲＳ）と相性がよい。ＵＥ固有基準信号（ＵＥＲＳ：UE-specific reference signal）と相性がよい１ミリ秒のゲーティング間隔６０５−ｊの例１０００−ｄが図１０Ｅに示される。ゲーティング間隔６０５−ｉと同様に、ゲーティング間隔６０５−ｊは１４個のＯＦＤＭシンボルを含む。しかしながら、チャネルアイドル時間９０５−ｂおよびＣＣＡスロット７２０−ｅは、最初のＯＦＤＭシンボル位置において提供される。現在のゲーティング間隔６０５−ｊのＣＣＡスロット７２０−ｅの間に実行される成功したＣＣＡはこうして、現在のゲーティング間隔において、アンライセンススペクトラムがリザーブされることを可能にし、ダウンリンク送信が行われることを可能にする。したがって、次の送信間隔は現在のゲーティング間隔内に含まれる。
【０１２３】
[0178]図１０Ｆは、２ミリ秒のゲーティング間隔６０５−ｋの例１０００−ｅを提供する。２ミリ秒のゲーティング間隔は、図１、図２Ａ、および図２Ｂの、それぞれ基地局１０５、１０５−ａ、および１０５−ｂによって使用され得る。２ミリ秒のゲーティング間隔は、図１のシステム１００において、ならびに図２Ａおよび／または図２Ｂに示されるシステム２００および／または２００−ａの部分とともに使用され得る。
【０１２４】
[0179]１ミリ秒のゲーティング間隔６０５−ｉおよび６０５−ｊとは対照的に、２ミリ秒のゲーティング間隔６０５−ｋは、最大チャネル占有時間および最小チャネルアイドル時間についての現在のＬＴＥ規格の要件に適合する。
【０１２５】
[0180]示されるように、ゲーティング間隔６０５−ｋは、Ｄサブフレーム７１０−ａとＳ’サブフレーム７２５−ｄとを含み得る。しかしながら、Ｓ’サブフレームは、以前に説明されたＳ’サブフレームとはいくらか異なるように構成される。より具体的には、Ｓ’サブフレームの最初の１２個のＯＦＤＭシンボル位置、さらには先行するＤサブフレームの１４個のＯＦＤＭシンボル位置は、ゲーティング間隔６０５−ｋに先行するＣＣＡスロット７２０−ｆの間に成功したＣＣＡを実行すると、ダウンリンク送信のために使用され得る。したがって、チャネル占有時間は１．８５７ミリ秒であってよく、９６ミリ秒のチャネルアイドル時間９０５−ｃを必要とする。したがって、チャネルアイドル時間９０５−ｃはＳ’サブフレームの１３番目のＯＦＤＭシンボル位置と、Ｓ’サブフレームの１４番目のＯＦＤＭシンボル位置の一部とを占有し得る。しかしながら、１４番目のＯＦＤＭシンボル位置の残りの継続時間は、いくつかのＣＣＡスロット７２０−ｆによって少なくとも一部埋められ得る。いくつかの場合には、ＣＣＡスロット７２０−ｆの数は３個のＣＣＡスロット７２０−ｆであってよく、このことは、図１０Ｄおよび図１０Ｅを参照して説明された１ミリ秒のゲーティング間隔よりもわずかに多くの量のＣＣＡランダム化（ディザリング）を提供する。
【０１２６】
[0181]ＣＣＡスロット７２０−ｆは、図１０Ｆに示される２ミリ秒のゲーティング間隔６０５−ｋの終わりに配置されるので、ゲーティング間隔６０５−ｋは、ＣＲＳと相性がよい。ＵＥＲＳと相性がよい２ミリ秒のゲーティング間隔６０５−ｌの例１０００−ｆが図１０Ｇに示される。ゲーティング間隔６０５−ｋと同様に、ゲーティング間隔６０５−ｌは、Ｄサブフレーム７２５−ｅとＳ’サブフレーム７１０−ｂとを含む。しかしながら、サブフレームの時間的な順序は逆であり、Ｓ’サブフレーム７１０−ｂが時間的に最初に発生し、Ｄサブフレーム７２５−ｅが時間的により後に発生する。さらに、チャネルアイドル時間９０５−ｄおよびＣＣＡスロット７２０−ｇは、Ｓ’サブフレーム７１０−ｂの最初のＯＦＤＭシンボル位置において提供される。現在のゲーティング間隔６０５−ｌのＣＣＡスロット７２０−ｇの間に実行される成功したＣＣＡはこうして、現在のゲーティング間隔において、アンライセンススペクトラムがリザーブされることを可能にし、ダウンリンク送信が行われることを可能にする。したがって、次の送信間隔は現在のゲーティング間隔内に含まれる。
【０１２７】
[0182]図１１は、ワイヤレス通信のための方法１１００の例を示すフローチャートである。明快のために、方法１１００は、図１、図２Ａ、および／または図２Ｂに示されたｅＮＢ１０５の１つを参照して以下で説明される。一実装形態では、ｅＮＢ１０５の１つは、以下で説明される機能を実行するためにｅＮＢ１０５の機能要素を制御するためのコードの１つまたは複数のセットを実行することができる。
【０１２８】
[0183]ブロック１１０５において、現在のゲーティング間隔において別のアンライセンススペクトラムのためにＣＣＡが実行されて、アンライセンススペクトラムが次の送信間隔においてダウンリンク送信のために利用可能であるかどうかを決定する。アンライセンススペクトラムのためにＣＣＡを実行することは、いくつかの場合には、アンライセンススペクトラムの１つまたは複数のチャネルのためにＣＣＡを実行することを伴い得る。いくつかの場合には、次の送信間隔は次のゲーティング間隔であり得る。他の場合には、次の送信間隔は現在のゲーティング間隔に含まれ得る。非同期ＬＢＴ−ＬＢＥゲーティング間隔が使用される場合のような、さらに他の場合には、次の送信間隔は、現在のゲーティング間隔に後続し得るが、次のゲーティング間隔の一部ではないことがある。
【０１２９】
[0184]ブロック１１１０において、および、アンライセンススペクトラムが利用不可能であるという決定が行われるとき、アンライセンススペクトラムにおけるダウンリンク送信は、次の送信間隔の間、オフにゲーティングされ得る。そうではなく、アンライセンススペクトラムが利用可能であるという決定が行われるとき、アンライセンススペクトラムにおけるダウンリンク送信は、次の送信間隔の間、オンにゲーティングされ得る。
【０１３０】
[0185]方法１１００のいくつかの実施形態では、ＣＣＡは、現在のゲーティング間隔の最初のサブフレームまたは第１のＯＦＤＭシンボル位置または第２のＯＦＤＭシンボル位置の間に実行され得る。方法１１００の他の実施形態では、ＣＣＡは、現在のゲーティング間隔の最後のサブフレームまたは最後のＯＦＤＭシンボル位置の間に実行され得る。
【０１３１】
[0186]方法１１００のいくつかの実施形態では、ＣＣＡの実行は、単一のＬＴＥ−Ｕ通信事業者または異なるＬＴＥ−Ｕ通信事業者によって運営される複数のｅＮＢを含む、複数のｅＮＢにわたって同期され得る。
【０１３２】
[0187]したがって、方法１１００はワイヤレス通信を規定することができる。方法１１００は一実装形態にすぎないこと、および方法１１００の動作は、他の実装形態が可能であるように並べ替えられてよく、または別様に修正されてよいことに留意されたい。
【０１３３】
[0188]図１２Ａは、ワイヤレス通信のための方法１２００のさらに別の例を示すフローチャートである。明快のために、方法１２００は、図１、図２Ａ、および／または図２Ｂに示されたｅＮＢ１０５の１つを参照して以下で説明される。一実装形態では、ｅＮＢ１０５の１つは、以下で説明される機能を実行するためにｅＮＢ１０５の機能要素を制御するためのコードの１つまたは複数のセットを実行することができる。
【０１３４】
[0189]ブロック１２０５において、ＣＣＡスロットが、次の送信間隔におけるダウンリンク送信のためのアンライセンススペクトラム（またはアンライセンススペクトラムの少なくとも１つのチャネル）の利用可能性を決定するために、複数の基地局（たとえば、ＬＴＥ−Ｕ  ｅＮＢ１０５）にわたって同期され得る。
【０１３５】
[0190]いくつかの実施形態では、ＣＣＡスロットは、現在のゲーティング間隔の最初のサブフレームまたは第１のＯＦＤＭシンボル位置または第２のＯＦＤＭシンボル位置に位置し得る。他の実施形態では、ＣＣＡスロットは、現在のゲーティング間隔の最後のサブフレームまたは最後のＯＦＤＭシンボル位置に位置し得る。
【０１３６】
[0191]ゲーティング間隔が１０ミリ秒の継続時間を有する実施形態のような、いくつかの実施形態では、隣接するＣＣＡスロットの開始点の間の間隔は、ほぼＯＦＤＭシンボルの継続時間であり得る。この説明の目的で、「ほぼＯＦＤＭシンボルの継続時間」は、ＯＦＤＭシンボルの継続時間に等しいことを含む。隣接するＣＣＡスロットの開始点の間の間隔がほぼＯＦＤＭシンボルの継続時間であり得る例は、図９Ｂに示される。
【０１３７】
[0192]したがって、方法１２００はワイヤレス通信を規定することができる。方法１２００は一実装形態にすぎないこと、および方法１２００の動作は、他の実装形態が可能であるように並べ替えられてよく、または別様に修正されてよいことに留意されたい。
【０１３８】
[0193]図１２Ｂは、ワイヤレス通信のための方法１２００−ａのさらに別の例を示すフローチャートである。明快のために、方法１２００−ａは、図１、図２Ａ、および／または図２Ｂに示されたｅＮＢ１０５の１つを参照して以下で説明される。一実装形態では、ｅＮＢ１０５の１つは、以下で説明される機能を実行するためにｅＮＢ１０５の機能要素を制御するためのコードの１つまたは複数のセットを実行することができる。
【０１３９】
[0194]ブロック１２１５において、ＣＣＡスロットは、次の送信間隔におけるダウンリンク送信のためのアンライセンススペクトラム（またはアンライセンススペクトラムの少なくとも１つのチャネル）の利用可能性を決定するために、複数の基地局（たとえば、ＬＴＥ−Ｕ  ｅＮＢ１０５）にわたって同期され得る。
【０１４０】
[0195]いくつかの実施形態では、ＣＣＡスロットは、現在のゲーティング間隔の最初のサブフレームまたは第１のＯＦＤＭシンボル位置または第２のＯＦＤＭシンボル位置に位置し得る。他の実施形態では、ＣＣＡスロットは、現在のゲーティング間隔の最後のサブフレームまたは最後のＯＦＤＭシンボル位置に位置し得る。
【０１４１】
[0196]ゲーティング間隔が１０ミリ秒の継続時間を有する実施形態のような、いくつかの実施形態では、隣接するＣＣＡスロットの開始点の間の間隔は、ほぼＯＦＤＭシンボルの継続時間であり得る。隣接するＣＣＡスロットの開始点の間の間隔がほぼＯＦＤＭシンボルの継続時間であり得る例は、図９Ｂに示される。
【０１４２】
[0197]ブロック１２２０において、ＣＣＡスロットの１つが、アンライセンススペクトラムの利用可能性を決定するＣＣＡスロットとして特定される。ＣＣＡスロットの１つは、ランダム化シードによって駆動される擬似ランダム選択シーケンスに少なくとも一部基づいて特定され得る。
【０１４３】
[0198]いくつかの実施形態では、複数の基地局の少なくともサブセットは、擬似ランダムシーケンスの生成のために同じランダム化シードを使用することができる。サブセットは、単一の通信事業者による基地局の展開と関連付けられ得る。
【０１４４】
[0199]したがって、方法１２００−ａはワイヤレス通信を規定することができる。方法１２００−ａは一実装形態にすぎないこと、および方法１２００−ａの動作は、他の実装形態が可能であるように、並べ替えられるかまたは場合によっては変更され得ることに留意されたい。
【０１４５】
[0200]図１３Ａは、ワイヤレス通信のための方法１３００のさらに別の例を示すフローチャートである。明快のために、方法１３００は、図１、図２Ａ、および／または図２Ｂに示されたｅＮＢ１０５の１つを参照して以下で説明される。一実装形態では、ｅＮＢ１０５の１つは、以下で説明される機能を実行するためにｅＮＢ１０５の機能要素を制御するためのコードの１つまたは複数のセットを実行することができる。
【０１４６】
[0201]ブロック１３０５において、ＣＣＡが、次の送信間隔におけるダウンリンク送信のためのアンライセンススペクトラム（またはアンライセンススペクトラムの少なくとも１つのチャネル）の利用可能性を決定するために、複数のｅＮＢ１０５（たとえば、ＬＴＥ−Ｕ  ｅＮＢ）にわたって同期される複数のＣＣＡスロットの１つの間に実行され得る。
【０１４７】
[0202]いくつかの実施形態では、異なるｅＮＢは、ゲーティング間隔の間にＣＣＡを実行するために、複数のＣＣＡスロットの異なる１つを使用することができる。他の実施形態では、２つ以上のｅＮＢは、（たとえば、単一の通信事業者によって展開されるｅＮＢの間の協調のような、ｅＮＢのサブセットの間に協調が存在するとき）ゲーティング間隔の間にＣＣＡを実行するために同じＣＣＡスロットを使用することができる。
【０１４８】
[0203]したがって、方法１３００はワイヤレス通信を規定することができる。方法１３００は一実装形態にすぎないこと、および方法１３００の動作は、他の実装形態が可能であるように並べ替えられてよく、または別様に修正されてよいことに留意されたい。
【０１４９】
[0204]図１３Ｂは、ワイヤレス通信のための方法１３００−ａのさらに別の例を示すフローチャートである。明快のために、方法１３００−ａは、図１、図２Ａ、および／または図２Ｂに示されたｅＮＢ１０５の１つを参照して以下で説明される。一実装形態では、ｅＮＢ１０５の１つは、以下で説明される機能を実行するためにｅＮＢ１０５の機能要素を制御するためのコードの１つまたは複数のセットを実行することができる。
【０１５０】
[0205]ブロック１３１５において、ＣＣＡスロットが、複数のｅＮＢ１０５（たとえば、ＬＴＥ−Ｕ  ｅＮＢ）にわたって同期される複数のＣＣＡスロットの中から（たとえば、ｅＮＢによって）特定され得る。スロットは、ランダム化シードから生成される擬似ランダム選択シーケンスに少なくとも一部基づいて特定され得る。代替的な実施形態では、スロットは、図１を参照して説明されたバックホール１３２または１３４のようなバックホールを通じてｅＮＢの少なくともあるサブセットの間で交換される協調情報（coordination information）に少なくとも一部基づいて、特定され得る。
【０１５１】
[0206]ブロック１３２０において、ＣＣＡが、次の送信間隔におけるダウンリンク送信のためのアンライセンススペクトラム（またはアンライセンススペクトラムの少なくとも１つのチャネル）の利用可能性を決定するために、特定されたＣＣＡスロットの間に実行され得る。
【０１５２】
[0207]いくつかの実施形態では、異なるｅＮＢは、ゲーティング間隔の間にＣＣＡを実行するために、複数のＣＣＡスロットの異なる１つを特定することができる。他の実施形態では、２つ以上のｅＮＢは、ゲーティング間隔の間にＣＣＡを実行するために、同じＣＣＡスロットを特定することができる。
【０１５３】
[0208]したがって、方法１３００−ａはワイヤレス通信を規定することができる。方法１３００−ａは一実装形態にすぎないこと、および方法１３００−ａの動作は、他の実装形態が可能であるように、並べ替えられるかまたは場合によっては変更され得ることに留意されたい。
【０１５４】
[0209]図１４Ａは、アンライセンススペクトラム（またはアンライセンススペクトラムのチャネル）のためのＣＣＡの実行が複数のｅＮＢ１０５にわたってどのように同期され得るかの別の例１４００を与える。ｅＮＢ１０５の例は、図１、図２Ａ、および図２Ｂの、それぞれ基地局１０５、１０５−ａ、および１０５−ｂであり得る。ＣＣＡの実行は、いくつかの例では、図１のシステム１００において使用される、または図２Ａおよび図２Ｂに示されるシステム１００の部分とともに使用されるｅＮＢ１０５にわたって同期され得る。
【０１５５】
[0210]図１４Ａはまた、成功したＣＣＡの後にアンライセンススペクトラムがｅＮＢ１０５の１つまたは複数によってどのようにリザーブされ得るかの例を示す。例として、複数のｅＮＢ１０５は、ＬＴＥ−Ｕ  ｅＮＢ１と、ＬＴＥ−Ｕ  ｅＮＢ２と、ＬＴＥ−Ｕ  ｅＮＢ３とを含み得る。
【０１５６】
[0211]示されるように、各ｅＮＢ（たとえば、ｅＮＢ１、ｅＮＢ２、およびｅＮＢ３）の現在のゲーティング間隔の境界は同期されてよく、これによって、ｅＮＢのＳ’サブフレーム７２５−ｆ、７２５−ｇ、７２５−ｈの同期を提供する。各Ｓ’サブフレームのＣＣＡ期間は、複数のＣＣＡスロット７２０を含み得る。各ｅＮＢによって実施される同期された擬似ランダムなＣＣＡスロット選択処理により、ｅＮＢ２は、ｅＮＢ１によって選択されるＣＣＡスロット７２０−ｈとは異なる時間（たとえば、異なるＯＦＤＭシンボル位置）において発生する、ＣＣＡスロット７２０−ｉを選択することができる。たとえば、ｅＮＢ１は、Ｓ’サブフレーム７２５−ｆおよび７２５−ｇの揃えられたＣＣＡ期間の５番目のＯＦＤＭシンボル位置と揃えられたＣＣＡスロット７２０−ｈを選択することができ、ｅＮＢ２は、揃えられたＣＣＡ期間の３番目のＯＦＤＭシンボル位置と揃えられたＣＣＡスロット７２０−ｉを選択することができる。しかしながら、ｅＮＢ３がｅＮＢ１と同じ通信事業者によって展開されるとき、ｅＮＢ３は、そのＣＣＡスロット７２０−ｊのタイミングを、ｅＮＢ１のために選択されたＣＣＡスロット７２０−ｈのタイミングと同期させることができる。ｅＮＢ１とｅＮＢ３の両方を展開する通信事業者は次いで、どのｅＮＢがアンライセンススペクトラムへのアクセスを許可されるかを決定し、または、直交送信および／もしくは他の送信機構によって、アンライセンススペクトラムへの同時アクセスを調整することができる。
【０１５７】
[0212]示されるように、同期されたＳ’サブフレーム７２５−ｆ、７２５−ｇ、および７２５−ｈの後の次の送信間隔は、Ｓ’サブフレーム７２５−ｆ、７２５−ｇ、および７２５−ｈのＣＣＡ期間の後に開始し、Ｄサブフレームとともに始まり得る。ｅＮＢ２のＣＣＡスロット７２０−ｉは、時間的に最初にスケジューリングされているので、ｅＮＢ２は、ｅＮＢ１およびｅＮＢ３が次の送信間隔をリザーブする機会を有する前に、次の送信間隔をリザーブする機会を有する。しかしながら、ｅＮＢ１、ｅＮＢ１、およびｅＮＢ３の各々によって実施される擬似ランダムなＣＣＡスロット選択処理により、ｅＮＢ１またはｅＮＢ３は、より後の送信間隔をリザーブするための最初の機会を与えられ得る。
【０１５８】
[0213]例として、図１４Ａは、Ｓ’サブフレーム７２５−ｆ、７２５−ｇ、および７２５−ｈの揃えられたＣＣＡ期間の部分と同時に発生するＷｉＦｉ送信（Ｔｘ）アクティビティがあることを示す。ｅＮＢ２によって選択されるＣＣＡスロット７２０−ｉのタイミングにより、ｅＮＢ２は、アンライセンススペクトラムが利用不可能であることを、ｅＮＢ２のＣＣＡを実行した結果として決定することができ、次の送信間隔の間、アンライセンススペクトラムにおけるダウンリンク送信１００５−ｃをオフにゲーティングすることができる。ｅＮＢ２のダウンリンク送信は、したがって、ｅＮＢ２のＣＣＡの実行の間にＷｉＦｉ  Ｔｘアクティビティが発生した結果として遮断され得る。
【０１５９】
[0214]ＣＣＡスロット７２０−ｈおよび７２０−ｊの間に、ｅＮＢ１およびｅＮＢ３は各々、それぞれのＣＣＡを実行することができる。ｅＮＢ１およびｅＮＢ３によって選択されるＣＣＡスロット７２０−ｈ、７２０−ｊのタイミングにより、ｅＮＢ１およびｅＮＢ３の各々は、（たとえば、ＷｉＦｉ  ＴｘアクティビティがＣＣＡスロット７２０−ｈ、７２０−ｉの間に発生しないので、および、ｅＮＢ２がより早い時間において次の送信間隔をリザーブすることができなかったので）アンライセンススペクトラムが利用可能であると、ｅＮＢ１およびｅＮＢ３のＣＣＡを実行した結果として決定することができる。したがって、ｅＮＢ１およびｅＮＢ３は各々、次の送信間隔をリザーブし、次の送信間隔の間、アンライセンススペクトラムにおけるダウンリンク送信１００５−ｂ、１００５−ｄをオンにゲーティングすることができる。
【０１６０】
[0215]ｅＮＢは、次の送信間隔の間にアンライセンススペクトラムをリザーブするために次の送信間隔の前に１つまたは複数の信号を送信することによって、次の送信間隔をリザーブすることができる。たとえば、アンライセンススペクトラムが利用可能であると（たとえば、成功したＣＣＡを実行することによって）決定した後で、ｅＮＢ１は、ＣＵＢＳ１０１０−ａによる成功したＣＣＡの実行の後で、ＣＣＡスロットの各々を埋めることができる。ＣＵＢＳ１０１０−ａは、アンライセンススペクトラム（または少なくともアンライセンススペクトラムのチャネル）が別のデバイスによる（たとえば、ｅＮＢ１による）使用のためにリザーブされていることを他のデバイスに知らせるために他のデバイスによって検出可能である１つまたは複数の信号を含み得る。ＣＵＢＳ１０１０−ａは、ＬＴＥデバイスとＷｉＦｉデバイスの両方によって検出され得る。サブフレーム境界において開始する大半のＬＴＥ信号とは異なり、ＣＵＢＳ１０１０−ａは、ＯＦＤＭシンボル境界において開始する。
【０１６１】
[0216]いくつかの場合には、ＣＵＢＳ１０１０−ａは、アンライセンススペクトラムをリザーブする目的で送信されたプレースホルダ（placeholder）信号を含み得る。他の場合には、ＣＵＢＳ１０１０−ａは、たとえば、アンライセンススペクトラム上でのチャネル品質の推定と、時間−周波数の同期との１つまたは両方のための、少なくとも１つのパイロット信号を含み得る。パイロット信号は、チャネル品質がｅＮＢ１に報告され得るように、異なるリソース要素に対するチャネル品質の測定を行うために、１つまたは複数のＵＥ１１５によって使用され得る。ｅＮＢ１は次いで、ＣＵＢＳ１０１０−ａに応答してＵＥ１１５からチャネル品質の報告を受信し、複数のＵＥ１１５の間での干渉を防ぐために、複数のＵＥ１１５の間での断片的なリソースの再使用を実現するよう、ｅＮＢ１からＵＥ１１５への送信のためにリソース要素を割り振ることができる。
【０１６２】
[0217]いくつかの実施形態では、ＣＵＢＳ１０１０−ａは反復的に送信されてよく、各信号の送信は、複数のＣＣＡスロットの１つの境界において開始する。
【０１６３】
[0218]いくつかの実施形態では、ＣＵＢＳに相当する少なくとも１つのＯＦＤＭシンボル位置が、成功したＣＣＡの後で送信されることを確実にし得、送信側ＬＴＥ−Ｕ  ｅＮＢと受信側ＵＥとの間の時間／周波数の同期を支援する。
【０１６４】
[0219]いくつかの実施形態では、および、成功したＣＣＡと次の送信間隔の開始との間に２つよりも多くのＯＦＤＭシンボルの継続時間があるとき、第３のＣＵＢＳ送信およびそれより後のＣＵＢＳ送信は、送信側ＬＴＥ−Ｕ  ｅＮＢから受信側ＵＥへのダウンリンクデータと制御情報とを搬送するように修正され得る。
【０１６５】
[0220]いくつかの実施形態では、ＣＵＢＳ１０１０−ａは、現在のＬＴＥ規格において定義されるダウンリンクパイロットタイムスロット（ＤｗＰＴＳ）構造の後で形成され得る。
【０１６６】
[0221]いくつかの実施形態では、ＣＵＢＳ１０１０−ａは、送信側ＬＴＥ−Ｕ  ｅＮＢのＤｅｐｌｏｙｍｅｎｔＩＤ（展開ＩＤ）によって決定されるシグネチャシーケンスを搬送する、広帯域波形を含み得る。シグネチャシーケンスは、少量の情報コンテンツを有する既知のシーケンスであり得るので、ＬＴＥ−Ｕ受信機ノードにとってＩＣフレンドリーであり得る。広帯域波形は、いくつかの場合には、送信電力スペクトル密度（Ｔｘ−ＰＳＤ）と最小帯域幅（ｍｉｎ−ＢＷ）の制約を克服するために、また、他のノード（たとえば、ＷｉＦｉノード）を沈黙させるために、最大の送信電力で送信され得る。
【０１６７】
[0222]ｅＮＢ３は同様に、ＣＵＢＳ１０１０−ｂによる成功したＣＣＡの実行の後に、ＣＣＡスロットの各々を埋めることができ、ＵＥ１１５の異なる１つからチャネル品質の報告を受信することができる。
【０１６８】
[0223]図１４Ｂは、アンライセンススペクトラム（またはアンライセンススペクトラムのチャネル）のためのＣＣＡの実行が複数のｅＮＢ１０５にわたってどのように同期され得るかのさらに別の例１４００−ａを与える。ｅＮＢ１０５の例は、図１、図２Ａ、および図２Ｂの、それぞれ基地局１０５、１０５−ａ、および１０５−ｂであり得る。ＣＣＡの実行は、いくつかの例では、図１のシステム１００において使用される、または図２Ａおよび図２Ｂに示されるシステム１００の部分とともに使用されるｅＮＢ１０５にわたって同期され得る。
【０１６９】
[0224]図１４Ｂはまた、成功したＣＣＡの後にアンライセンススペクトラムがｅＮＢ１０５の１つによってどのようにリザーブされ得るかの例を示す。例として、複数のｅＮＢ１０５は、ＬＴＥ−Ｕ  ｅＮＢ１と、ＬＴＥ−Ｕ  ｅＮＢ２と、ＬＴＥ−Ｕ  ｅＮＢ４とを含み得る。
【０１７０】
[0225]示されるように、各ｅＮＢ（たとえば、ｅＮＢ１、ｅＮＢ２、およびｅＮＢ４）の現在のゲーティング間隔の境界は同期されてよく、これによって、ｅＮＢのＳ’サブフレーム７２５−ｆ、７２５−ｇ、７２５−ｉの同期を提供する。各Ｓ’サブフレームのＣＣＡ期間は、複数のＣＣＡスロット７２０を含み得る。各ｅＮＢによって実施される同期された擬似ランダムなＣＣＡスロット選択処理により、ｅＮＢ２は、ｅＮＢ１によって選択されるＣＣＡスロット７２０−ｈとは異なる時間（たとえば、異なるＯＦＤＭシンボル位置）において発生する、ＣＣＡスロット７２０−ｉを選択することができる。たとえば、ｅＮＢ１は、Ｓ’サブフレーム７２５−ｆおよび７２５−ｇの揃えられたＣＣＡ期間の５番目のＯＦＤＭシンボル位置と揃えられたＣＣＡスロット７２０−ｈを選択することができ、ｅＮＢ２は、揃えられたＣＣＡ期間の３番目のＯＦＤＭシンボル位置と揃えられたＣＣＡスロット７２０−ｉを選択することができる。同様に、ｅＮＢ４は、（たとえば、図１４Ａを参照して説明されたｅＮＢ３の場合のように、ｅＮＢ４はｅＮＢ１と同じ通信事業者によって展開されたものではないことがあるので）ｅＮＢ１とｅＮＢ２の各々によって選択されるＣＣＡスロット７２０−ｈ、７２０−ｉとは異なるときに発生するＣＣＡスロット７２０−ｋを選択することができる。たとえば、ｅＮＢ４は、揃えられたＣＣＡ期間の６番目のＯＦＤＭシンボル位置と揃えられたＣＣＡスロット７２０−ｋを選択することができる。
【０１７１】
[0226]示されるように、同期されたＳ’サブフレーム７２５−ｆ、７２５−ｇ、および７２５−ｉの後の次の送信間隔は、Ｓ’サブフレーム７２５−ｆ、７２５−ｇ、および７２５−ｉのＣＣＡ期間の後に開始し、Ｄサブフレームとともに始まり得る。ｅＮＢ２のＣＣＡスロット７２０−ｉは、時間的に最初にスケジューリングされているので、ｅＮＢ２は、ｅＮＢ１およびｅＮＢ４が次の送信間隔をリザーブする機会を有する前に、次の送信間隔をリザーブする機会を有する。しかしながら、ｅＮＢ１、ｅＮＢ２、およびｅＮＢ４の各々によって実施される擬似ランダムなＣＣＡスロット選択処理により、ｅＮＢ１またはｅＮＢ４は、より後の送信間隔をリザーブするための最初の機会を与えられ得る。
【０１７２】
[0227]例として、図１４Ｂは、Ｓ’サブフレーム７２５−ｆ、７２５−ｇ、および７２５−ｉの揃えられたＣＣＡ期間の部分と同時に発生するＷｉＦｉ送信（Ｔｘ）アクティビティがあることを示す。しかしながら、ＷｉＦｉ  ＴｘアクティビティがｅＮＢ２によって選択されるＣＣＡスロット７２０−ｉのタイミングと一致しないので、ｅＮＢ２は、アンライセンススペクトラムが利用可能であることを、ｅＮＢ２のＣＣＡを実行した結果として決定することができ、次の送信間隔の間、アンライセンススペクトラムにおけるダウンリンク送信１００５−ｃをオンにゲーティングすることができる。また、成功したＣＣＡに続いて、ｅＮＢ２は、後続のＣＣＡスロットをＣＵＢＳ１０１０−ｃで埋めることができ、これによって、自身の使用のために次の送信間隔をリザーブする。
【０１７３】
[0228]ＣＣＡスロット７２０−ｈおよび７２０−ｋの間に、ｅＮＢ１およびｅＮＢ４は各々、それぞれのＣＣＡを実行することができる。しかしながら、ｅＮＢ２はＣＵＢＳ１０１０−ｃの送信をすでに開始しているので、ｅＮＢ１およびｅＮＢ４は、アンライセンススペクトラムが利用不可能であると決定することができる。言い換えると、ｅＮＢ１およびｅＮＢ４は、ｅＮＢ２がアンライセンススペクトラムをすでにリザーブしていることにより、アンライセンススペクトラムから遮断される。
【０１７４】
[0229]図１４Ｃは、アンライセンススペクトラム（またはアンライセンススペクトラムのチャネル）のためのＣＣＡの実行が複数のｅＮＢ１０５にわたってどのように同期され得るかのさらに別の例１４００−ｂを与える。ｅＮＢ１０５の例は、図１、図２Ａ、および図２Ｂの、それぞれ基地局１０５、１０５−ａ、および１０５−ｂであり得る。ＣＣＡの実行は、いくつかの例では、図１のシステム１００において使用される、または図２Ａおよび図２Ｂに示されるシステム１００の部分とともに使用されるｅＮＢ５０６にわたって同期され得る。
【０１７５】
[0230]図１４Ｃはまた、成功したＣＣＡの後にアンライセンススペクトラムがｅＮＢ１０５の１つによってどのようにリザーブされ得るかの例を示す。例として、複数のｅＮＢ１０５は、ＬＴＥ−Ｕ  ｅＮＢ１と、ＬＴＥ−Ｕ  ｅＮＢ２と、ＬＴＥ−Ｕ  ｅＮＢ４とを含み得る。
【０１７６】
[0231]示されるように、各ｅＮＢ（たとえば、ｅＮＢ１、ｅＮＢ２、およびｅＮＢ４）の現在のゲーティング間隔の境界は同期されてよく、これによって、ｅＮＢのＳ’サブフレーム７２５−ｆ、７２５−ｇ、７２５−ｉの同期を提供する。各Ｓ’サブフレームのＣＣＡ期間は、複数のＣＣＡスロット７２０を含み得る。各ｅＮＢによって実施される同期された擬似ランダムなＣＣＡスロット選択処理により、ｅＮＢ２は、ｅＮＢ１によって選択されるＣＣＡスロット７２０−ｈとは異なる時間（たとえば、異なるＯＦＤＭシンボル位置）において発生する、ＣＣＡスロット７２０−ｉを選択することができる。たとえば、ｅＮＢ１は、Ｓ’サブフレーム７２５−ｆおよび７２５−ｇの揃えられたＣＣＡ期間の５番目のＯＦＤＭシンボル位置と揃えられたＣＣＡスロット７２０−ｈを選択することができ、ｅＮＢ２は、揃えられたＣＣＡ期間の３番目のＯＦＤＭシンボル位置と揃えられたＣＣＡスロット７２０−ｉを選択することができる。同様に、ｅＮＢ４は、（たとえば、図１４Ａを参照して説明された例における場合のように、ｅＮＢ３はｅＮＢ１と同じ通信事業者によって展開されたものではないことがあるので）ｅＮＢ１とｅＮＢ２の各々によって選択されるＣＣＡスロット７２０−ｈ、７２０−ｉとは異なるときに発生するＣＣＡスロット７２０−ｋを選択することができる。たとえば、ｅＮＢ４は、揃えられたＣＣＡ期間の６番目のＯＦＤＭシンボル位置と揃えられたＣＣＡスロット７２０−ｋを選択することができる。
【０１７７】
[0232]示されるように、同期されたＳ’サブフレーム７２５−ｆ、７２５−ｇ、および７２５−ｉの後の次の送信間隔は、Ｓ’サブフレーム７２５−ｆ、７２５−ｇ、および７２５−ｉのＣＣＡ期間の後に開始し、Ｄサブフレームとともに始まり得る。ｅＮＢ２のＣＣＡスロット７２０−ｉは、時間的に最初にスケジューリングされているので、ｅＮＢ２は、ｅＮＢ１およびｅＮＢ４が次の送信間隔をリザーブする機会を有する前に、次の送信間隔をリザーブする機会を有する。しかしながら、ｅＮＢ１、ｅＮＢ２、およびｅＮＢ４の各々によって実施される擬似ランダムなＣＣＡスロット選択処理により、ｅＮＢ１またはｅＮＢ４は、より後の送信間隔をリザーブするための最初の機会を与えられ得る。
【０１７８】
[0233]例として、図１４Ｃは、Ｓ’サブフレーム７２５−ｆ、７２５−ｇ、および７２５−ｉの揃えられたＣＣＡ期間の部分と同時に発生するＷｉＦｉ送信（Ｔｘ）アクティビティがあることを示す。ｅＮＢ２によって選択されるＣＣＡスロット７２０−ｉのタイミングにより、ｅＮＢ２は、アンライセンススペクトラムが利用不可能であることを、ｅＮＢ２のＣＣＡを実行した結果として決定することができ、次の送信間隔の間、アンライセンススペクトラムにおけるダウンリンク送信１００５−ｃをオフにゲーティングすることができる。ｅＮＢ２のダウンリンク送信は、したがって、ｅＮＢ２のＣＣＡの実行の間にＷｉＦｉ  Ｔｘアクティビティが発生した結果として遮断され得る。
【０１７９】
[0234]ＣＣＡスロット７２０−ｈの間、ｅＮＢ１は、ＣＣＡを実行し、（たとえば、ＷｉＦｉ  ＴｘアクティビティがＣＣＡスロット７２０−ｈの間に発生しないので、および、ｅＮＢ２がより早い時間において次の送信間隔をリザーブすることができなかったので）アンライセンススペクトラムが利用可能であると決定することができる。したがって、ｅＮＢ１は、次の送信間隔をリザーブし、次の送信間隔の間、アンライセンススペクトラムにおけるダウンリンク送信１００５−ｂをオンにゲーティングすることができる。また、成功したＣＣＡに続いて、ｅＮＢ１は、後続のＣＣＡスロットをＣＵＢＳ１０１０−ｄで埋めることができ、これによって、自身の使用のために次の送信間隔をリザーブする。
【０１８０】
[0235]ＣＣＡスロット７２０−ｋの間、ｅＮＢ４は、ＣＣＡを実行してＣＵＢＳ１０１０−ｄを検出することができる。結果として、ｅＮＢ４は、アンライセンススペクトラムが利用不可能であると決定し、アンライセンススペクトラムにおけるダウンリンク送信１００５−ｄをオフにゲーティングすることができる。言い換えると、ｅＮＢ４は、ｅＮＢ１がアンライセンススペクトラムをすでにリザーブしていることにより、アンライセンススペクトラムから遮断される。
【０１８１】
[0236]図１４Ａ、図１４Ｂ、および図１４Ｃでは、ＣＵＢＳ１０１０は、次の送信間隔の間のＬＴＥ−Ｕ  ｅＮＢによる使用のためにアンライセンススペクトラムをリザーブするために、次の送信間隔の前に送信される。しかしながら、いくつかの実施形態では、ＣＵＢＳ１０１０は、たとえば、アクティブ送信間隔の間に通信しているＬＴＥ−Ｕ  ｅＮＢおよびＵＥのために時間／周波数の同期を実現するために、アクティブ送信間隔の初めに送信され得る。
【０１８２】
[0237]いくつかの実施形態では、ＣＵＢＳはＯＦＤＭシンボルの継続時間よりも短い期間、送信され得る。ＯＦＤＭシンボルよりも小さいＣＵＢＳの送信は、部分的ＣＵＢＳ（ＰＣＵＢＳ：partial CUBS）と呼ばれ得る。例として、および、図１０Ｄ、図１０Ｅ、図１０Ｆ、および図１０Ｇを参照して説明された１ミリ秒または２ミリ秒のゲーティング間隔の状況においては、ＰＣＵＢＳは、成功したＣＣＡの実行と次のＯＦＤＭシンボル境界の開始との間に送信され得る。いくつかの実施形態では、ＰＣＵＢＳは、完全なシンボルＣＵＢＳから、各４個のトーンのうちの３個をパンクチャし、ＣＵＢＳを所望の継続時間へと短縮することによって、得られ得る。代替的に、ＰＣＵＢＳは、ＩＥＥＥ  ８０２．１１ｇ／ｎ規格（これは、少なくとも規格に適合するＷｉＦｉノードに言及していない）に基づいて、物理層収束プロシジャ（ＰＬＣＰ：physical layer convergence procedure）のプリアンブルおよびヘッダによって形成され得る。
【０１８３】
[0238]図１５は、ワイヤレス通信のための方法１５００の例を示すフローチャートである。明快のために、方法１５００は、図１、図２Ａ、および／または図２Ｂに示されたｅＮＢ１０５の１つを参照して以下で説明される。一実装形態では、ｅＮＢ１０５の１つは、以下で説明される機能を実行するためにｅＮＢ１０５の機能要素を制御するためのコードの１つまたは複数のセットを実行することができる。
【０１８４】
[0239]ブロック１５０５において、ＣＣＡが、次の送信間隔におけるダウンリンク送信のためのアンライセンススペクトラム（またはアンライセンススペクトラムの少なくとも１つのチャネル）の利用可能性を決定するために、複数のｅＮＢ１０５（たとえば、ＬＴＥ−Ｕ  ｅＮＢ）にわたって同期される複数のＣＣＡスロットの１つの間に実行され得る。
【０１８５】
[0240]いくつかの実施形態では、異なるｅＮＢは、ゲーティング間隔の間にＣＣＡを実行するために、複数のＣＣＡスロットの異なる１つを使用することができる。他の実施形態では、２つ以上のｅＮＢは、（たとえば、単一の通信事業者によって展開されるｅＮＢの間の協調のような、ｅＮＢのサブセットの間に協調が存在するとき）ゲーティング間隔の間にＣＣＡを実行するために同じＣＣＡスロットを使用することができる。
【０１８６】
[0241]ブロック１５１０において、および、アンライセンススペクトラムが利用可能であるとき（たとえば、アンライセンススペクトラムが利用可能であることが、成功したＣＣＡを実行したことにより決定されるとき）、１つまたは複数の信号が、次の送信レベルの間にアンライセンススペクトラムをリザーブするために、次の送信間隔の前に送信され得る。いくつかの場合には、１つまたは複数の信号は、図１４Ａ、図１４Ｂ、および／または図１４Ｃを参照して説明されたように、ＣＵＢＳ１０１０を含み得る。
【０１８７】
[0242]いくつかの実施形態では、次の送信間隔の前に送信された１つまたは複数の信号は、時間−周波数の同期と、アンライセンススペクトラム上でのチャネル品質の推定との１つまたは両方のための、少なくとも１つのパイロット信号を含み得る。パイロット信号は、チャネル品質が１つまたは複数の信号を送信したｅＮＢ１０５に報告され得るように、異なるリソース要素に対するチャネル品質の測定を行うために、１つまたは複数のＵＥ１１５によって使用され得る。ｅＮＢ１０５は次いで、パイロット信号に応答してＵＥ１１５からチャネル品質の報告を受信し、複数のＵＥ１１５の間での断片的なリソースの再使用を提供するためにｅＮＢ１０５からＵＥ１１５への送信のためにリソース要素を割り振り、複数のＵＥ１１５の間での干渉を防ぐ。
【０１８８】
[0243]したがって、方法１５００はワイヤレス通信を規定することができる。方法１５００は一実装形態にすぎないこと、および方法１５００の動作は、他の実装形態が可能であるように並べ替えられてよく、または別様に修正されてよいことに留意されたい。
【０１８９】
[0244]アンライセンススペクトラムへのアクセスをゲーティングするとき、ゲーティング間隔は、いくつかのＬＴＥ無線フレームの間は沈黙することをＬＴＥ−Ｕ  ｅＮＢに強いることがある。これにより、従来のＬＴＥのフィードバック情報の報告（たとえば、チャネル状態情報（ＣＳＩ））に依存するＬＴＥ−Ｕ  ｅＮＢは、ダウンリンク送信をスケジューリングする前に、最新のチャネル品質インジケータ（ＣＱＩ）情報を有していないことがある。従来のＬＴＥのフィードバック情報の報告に依存するＬＴＥ−Ｕ  ｅＮＢはまた、ハイブリッド自動再送要求（ＨＡＲＱ）をタイムリーに受信することに失敗し得る。したがって、アンライセンススペクトラムのゲーティング間隔を考慮し、アンライセンススペクトラムにおけるオフにゲーティングされたダウンリンクの送信間隔にわたってＣＳＩとＨＡＲＱとを報告する機構が、ＬＴＥ−Ｕ  ｅＮＢのＣＱＩとＨＡＲＱの処理を改善するために使用され得る。そのような機構の例が、図１６、図１７Ａ、および図１７Ｂを参照して説明される。
【０１９０】
[0245]図１６は、ｅＮＢ１０５−ｃとＵＥ１１５−ｃとの間の通信を示す図解１６００である。ｅＮＢ１０５−ｃは、図１、図２Ａ、および図２Ｂの、それぞれ基地局１０５、１０５−ａ、および１０５−ｂの例であり得る。ＵＥ１１５−ｃは、図１、図２Ａ、および図２Ｂの、それぞれＵＥ１１５、１１５−ａ、および１１５−ｂの例であり得る。ｅＮＢ１０５−ｃおよびＵＥ１１５−ｃは、図１のシステム１００において、ならびに図２Ａおよび図２Ｂに示されるシステム１００の部分とともに使用され得る。
【０１９１】
[0246]ｅＮＢ１０５−ｃは、アンライセンススペクトラムにおいてダウンリンク１６１０を介してＵＥ１１５−ｃと通信することができ、ＵＥ１１５−ｃは、ライセンススペクトラムにおいてプライマリコンポーネントキャリア（ＰＣＣ）アップリンク１６０５を介してｅＮＢ１０５−ｃと通信することができる。ＵＥ１１５−ｃは、ＰＣＣアップリンク１６０５を介してフィードバック情報をｅＮＢ１０５−ｃに送信することができ、ｅＮＢ１０５−ｃは、ＰＣＣアップリンク１６０５を介してＵＥ１１５−ｃからフィードバック情報を受信することができる。いくつかの場合には、フィードバック情報は、ダウンリンク１６１０を介してｅＮＢ１０５−ｃからＵＥ１１５に送信された信号に向けられ得る（またはそれに関し得る）。ライセンススペクトラムを介してアンライセンススペクトラムのためのフィードバック情報を送信することは、アンライセンススペクトラムのためのフィードバック情報の信頼性を向上することができる。
【０１９２】
[0247]フィードバック情報は、いくつかの場合、ダウンリンク１６１０からゲーティングされた少なくとも１つの送信間隔のためのフィードバック情報を含み得る。
【０１９３】
[0248]いくつかの実施形態では、フィードバック情報は、ダウンリンク１６１０のためのチャネル状態情報（ＣＳＩ）のようなＣＳＩを含み得る。ｅＮＢ１０５−ｃがダウンリンク１６１０のための送信をオフにゲーティングした少なくとも１つの送信間隔に対して、ＣＳＩは長期ＣＳＩを含み得る。しかしながら、ｅＮＢ１０５−ｃがダウンリンクのための送信をオンにゲーティングした少なくとも１つの送信間隔に対して、ＣＳＩは短期ＣＳＩを含み得る。長期ＣＳＩは、たとえば、チャネル干渉環境の詳細を捉える無線リソース管理（ＲＲＭ）情報（たとえば、ＷｉＦｉであれ、局（ＳＴＡ）であれ、および／またはＬＴＥ−Ｕ  ｅＮＢであれ、支配的な干渉の各ソースを特定する情報、各干渉する信号の平均の強さおよび／または空間特性を特定する情報など）を含み得る。短期ＣＳＩは、たとえば、ＣＱＩ、ランクインジケータ（ＲＩ）、および／またはプリコーディングマトリックスインジケータを含み得る。いくつかの場合には、ＣＳＩは、アンライセンススペクトラム中の現在の送信間隔におけるダウンリンク送信の開始の後の第２のサブフレームにおいて、ＰＣＣアップリンク１６０５を介して、ＵＥ１１５からｅＮＢ１１５に送信され得る。
【０１９４】
[0249]いくつかの実施形態では、フィードバック情報は、ダウンリンク１６１０のためのＨＡＲＱフィードバック情報のようなＨＡＲＱフィードバック情報を含み得る。ＨＡＲＱ送信の一例では、ＨＡＲＱは、ダウンリンク送信がオフにゲーティングされた送信間隔を無視することができる。ＨＡＲＱ送信の別の例では、ＨＡＲＱが、ダウンリンク送信がオンにゲーティングされる送信間隔のために使用されてよく、単純な自動再送要求（ＡＲＱ）が、ダウンリンク送信がオフにゲーティングされる送信間隔のために使用されてよい。両方の例は、ＷｉＦｉの干渉を伴わない単一のＬＴＥ−Ｕの展開の状況において、ほぼ完全なＨＡＲＱの機能を保持することができる。しかしながら、ＷｉＦｉの干渉の存在下または複数のＬＴＥ−Ｕの展開（たとえば、異なる通信事業者による展開）においては、第２の例は、主にＡＲＱを使用することを強いられることがあり、この場合、ＣＳＩはリンク適応のための主要な道具になり得る。非同期ＨＡＲＱは、アンライセンススペクトラムのゲーティングによって影響を受けない方式で送信され得る。
【０１９５】
[0250]ダウンリンク送信が肯定応答（acknowledged）されない（ＮＡＫ’ｄ）とき、ダウンリンク１６１０を介してベストエフォートのＨＡＲＱ再送信が行われ得る。しかしながら、あるタイムアウト期間の後、ＮＡＫ’ｄパケットは、ダウンリンク１６１０またはＰＣＣダウンリンクを介した無線リンク制御（ＲＬＣ）の再送信を通じて回復され得る。
【０１９６】
[0251]ｅＮＢ１０５−ｃは、いくつかの場合、長期ＣＳＩと短期ＣＳＩの両方を使用して、アンライセンススペクトラムにおけるダウンリンク１６１０のための変調およびコーディング方式（ＭＣＳ：modulation and coding scheme）を選択することができる。ＨＡＲＱは次いで、ダウンリンク１６１０のサービスされるスペクトル効率をリアルタイムで精密に調整するために使用され得る。
【０１９７】
[0252]図１７Ａは、ワイヤレス通信のための別の方法１７００の例を示すフローチャートである。明快のために、方法１７００は、図１、図２Ａ、および／または図２Ｂに示されたｅＮＢ１０５の１つを参照して以下で説明される。一実装形態では、ｅＮＢ１０５の１つは、以下で説明される機能を実行するためにｅＮＢ１０５の機能要素を制御するためのコードの１つまたは複数のセットを実行することができる。
【０１９８】
[0253]ブロック１７０５において、フィードバック情報が、ライセンススペクトラムにおいてＰＣＣアップリンクを介してＵＥ１１５から（たとえば、ｅＮＢ１０５によって）受信される。フィードバック情報は、アンライセンススペクトラムにおいてダウンリンクを介してＵＥ１１５に送信される信号に向けられている（またはそれに関する）情報を含み得る。
【０１９９】
[0254]フィードバック情報は、いくつかの場合、ダウンリンク１６１０からゲーティングされた少なくとも１つの送信間隔のためのフィードバック情報を含み得る。
【０２００】
[0255]いくつかの実施形態では、フィードバック情報は、ダウンリンク１６１０のためのチャネル状態情報（ＣＳＩ）のようなＣＳＩを含み得る。ｅＮＢ１０５−ｃがダウンリンク１６１０のための送信をオフにゲーティングした少なくとも１つの送信間隔に対して、ＣＳＩは長期ＣＳＩを含み得る。しかしながら、ｅＮＢ１０５−ｃがダウンリンクのための送信をオンにゲーティングした少なくとも１つの送信間隔に対して、ＣＳＩは短期ＣＳＩを含み得る。長期ＣＳＩは、たとえば、チャネル干渉環境の詳細を捉える無線リソース管理（ＲＲＭ）情報（たとえば、ＷｉＦｉであれ、局（ＳＴＡ）であれ、および／またはＬＴＥ−Ｕ  ｅＮＢであれ、支配的な干渉の各ソースを特定する情報、各々の干渉する信号の平均の強さおよび／または空間特性を特定する情報など）を含み得る。短期ＣＳＩは、たとえば、ＣＱＩ、ランクインジケータ（ＲＩ）、および／またはプリコーディングマトリックスインジケータを含み得る。いくつかの場合には、ＣＳＩは、アンライセンススペクトラム中の現在の送信間隔におけるダウンリンク送信の開始の後の第２のサブフレームにおいて、ＰＣＣアップリンク１６０５を介して、ＵＥ１１５からｅＮＢ１１５に送信され得る。
【０２０１】
[0256]いくつかの実施形態では、フィードバック情報は、ダウンリンク１６１０のためのＨＡＲＱフィードバック情報のようなＨＡＲＱフィードバック情報を含み得る。ＨＡＲＱ送信の一例では、ＨＡＲＱは、ダウンリンク送信がオフにゲーティングされた送信間隔を無視することができる。ＨＡＲＱ送信の別の例では、ＨＡＲＱが、ダウンリンク送信がオンにゲーティングされる送信間隔のために使用されてよく、単純な自動再送要求（ＡＲＱ）が、ダウンリンク送信がオフにゲーティングされる送信間隔のために使用されてよい。両方の例が、ＷｉＦｉの干渉を伴わない単一のＬＴＥ−Ｕの展開の状況において、ほぼ完全なＨＡＲＱの機能を保持することができる。しかしながら、ＷｉＦｉの干渉の存在下または複数のＬＴＥ−Ｕの展開（たとえば、異なる通信事業者による展開）においては、第２の例は、主にＡＲＱを使用することを強いられることがあり、この場合、ＣＳＩはリンク適応のための主要な道具になり得る。非同期ＨＡＲＱは、アンライセンススペクトラムのゲーティングによって影響を受けない方式で送信され得る。
【０２０２】
[0257]ダウンリンク送信が肯定応答（acknowledged）されない（ＮＡＫ’ｄ）とき、ダウンリンク１６１０を介してベストエフォートのＨＡＲＱ再送信が行われ得る。しかしながら、あるタイムアウト期間の後、ＮＡＫ’ｄパケットは、ダウンリンク１６１０またはＰＣＣダウンリンクを介した無線リンク制御（ＲＬＣ）の再送信を通じて回復され得る。
【０２０３】
[0258]ｅＮＢ１０５−ｃは、いくつかの場合、長期ＣＳＩと短期ＣＳＩの両方を使用して、アンライセンススペクトラムにおけるダウンリンク１６１０のための変調およびコーディング方式（ＭＣＳ）を選択することができる。ＨＡＲＱは次いで、ダウンリンク１６１０のサービスされるスペクトル効率をリアルタイムで精密に調整するために使用され得る。
【０２０４】
[0259]したがって、方法１７００はワイヤレス通信を規定することができる。方法１７００は一実装形態にすぎないこと、および方法１７００の動作は、他の実装形態が可能であるように並べ替えられてよく、または別様に修正されてよいことに留意されたい。
【０２０５】
[0260]図１７Ｂは、ワイヤレス通信のための方法１７００−ａの例を示すフローチャートである。明快のために、方法１７００−ａは、図１、図２Ａ、および／または図２Ｂに示されたＵＥ１１５の１つを参照して以下で説明される。一実装形態では、ＵＥ１１５の１つは、以下で説明される機能を実行するためにＵＥ１１５の機能要素を制御するためのコードの１つまたは複数のセットを実行することができる。
【０２０６】
[0261]ブロック１７１５において、フィードバック情報が、ライセンススペクトラムにおいてＰＣＣアップリンクを介してｅＮＢ１０５に（たとえば、ＵＥ１１５から）送信され得る。フィードバック情報は、アンライセンススペクトラムにおいてダウンリンクを介してＵＥ１１５に送信される信号に向けられている（またはそれに関する）情報を含み得る。
【０２０７】
[0262]フィードバック情報は、いくつかの場合、ダウンリンク１６１０からゲーティングされた少なくとも１つの送信間隔のためのフィードバック情報を含み得る。
【０２０８】
[0263]いくつかの実施形態では、フィードバック情報は、ダウンリンク１６１０のためのチャネル状態情報（ＣＳＩ）のようなＣＳＩを含み得る。ｅＮＢ１０５−ｃがダウンリンク１６１０のための送信をオフにゲーティングした少なくとも１つの送信間隔に対して、ＣＳＩは長期ＣＳＩを含み得る。しかしながら、ｅＮＢ１０５−ｃがダウンリンクのための送信をオンにゲーティングした少なくとも１つの送信間隔に対して、ＣＳＩは短期ＣＳＩを含み得る。長期ＣＳＩは、たとえば、チャネル干渉環境の詳細を捉える無線リソース管理（ＲＲＭ）情報（たとえば、ＷｉＦｉであれ、局（ＳＴＡ）であれ、および／またはＬＴＥ−Ｕ  ｅＮＢであれ、支配的な干渉の各ソースを特定する情報、各々の干渉する信号の平均の強さおよび／または空間特性を特定する情報など）を含み得る。短期ＣＳＩは、たとえば、ＣＱＩ、ランクインジケータ（ＲＩ）、および／またはプリコーディングマトリックスインジケータを含み得る。いくつかの場合には、ＣＳＩは、アンライセンススペクトラム中の現在の送信間隔におけるダウンリンク送信の開始の後の第２のサブフレームにおいて、ＰＣＣアップリンク１６０５を介して、ＵＥ１１５からｅＮＢ１１５に送信され得る。
【０２０９】
[0264]いくつかの実施形態では、フィードバック情報は、ダウンリンク１６１０のためのＨＡＲＱフィードバック情報のようなＨＡＲＱフィードバック情報を含み得る。ＨＡＲＱ送信の一例では、ＨＡＲＱは、ダウンリンク送信がオフにゲーティングされた送信間隔を無視することができる。ＨＡＲＱ送信の別の例では、ＨＡＲＱが、ダウンリンク送信がオンにゲーティングされる送信間隔のために使用されてよく、単純な自動再送要求（ＡＲＱ）が、ダウンリンク送信がオフにゲーティングされる送信間隔のために使用されてよい。両方の例が、ＷｉＦｉの干渉を伴わない単一のＬＴＥ−Ｕの展開の状況において、ほぼ完全なＨＡＲＱの機能を保持することができる。しかしながら、ＷｉＦｉの干渉の存在下または複数のＬＴＥ−Ｕの展開（たとえば、異なる通信事業者による展開）においては、第２の例は、主にＡＲＱを使用することを強いられることがあり、この場合、ＣＳＩはリンク適応のための主要な道具になり得る。非同期ＨＡＲＱは、アンライセンススペクトラムのゲーティングによって影響を受けない方式で送信され得る。
【０２１０】
[0265]ダウンリンク送信が肯定応答（acknowledged）されない（ＮＡＫ’ｄ）とき、ダウンリンク１６１０を介してベストエフォートのＨＡＲＱ再送信が行われ得る。しかしながら、あるタイムアウト期間の後、ＮＡＫ’ｄパケットは、ダウンリンク１６１０またはＰＣＣダウンリンクを介した無線リンク制御（ＲＬＣ）の再送信を通じて回復され得る。
【０２１１】
[0266]ｅＮＢ１０５−ｃは、いくつかの場合、長期ＣＳＩと短期ＣＳＩの両方を使用して、アンライセンススペクトラムにおけるダウンリンク１６１０のための変調およびコーディング方式（ＭＣＳ）を選択することができる。ＨＡＲＱは次いで、ダウンリンク１６１０のサービスされるスペクトル効率をリアルタイムで精密に調整するために使用され得る。
【０２１２】
[0267]したがって、方法１７００−ａはワイヤレス通信を規定することができる。方法１７００−ａは一実装形態にすぎないこと、および方法１７００−ａの動作は、他の実装形態が可能であるように、並べ替えられるかまたは場合によっては変更され得ることに留意されたい。
【０２１３】
[0268]次に図１８Ａを見ると、図解１８００は、様々な実施形態による、アンライセンススペクトラムにおけるＬＴＥ−Ｕビーコン信号のブロードキャストの例を示す。ＬＴＥ−Ｕビーコン信号（または発見ビーコン）１８０５は、ＬＴＥ−ＵをサポートするｅＮＢによって送信またはブロードキャストされ得る。そのようなｅＮＢの例は、図１、図２Ａ、および図２Ｂの、それぞれ基地局１０５、１０５−ａ、および１０５−ｂであり得る。ブロードキャストは、図１のシステム１００ならびに図２Ａおよび図２Ｂのシステム１００の部分のような、システムまたはネットワークに関連して実行され得る。
【０２１４】
[0269]送信は、ｅＮＢがアクティブ状態にあるとき、またはｅＮＢが休止状態もしくは非アクティブ状態にあるときに発生し得る。ビーコン信号１８０５は、低デューティサイクルで（たとえば、１００ミリ秒ごとに１または２個のサブフレーム）送信されてよく、最大で約５メガヘルツ（ＭＨｚ）の帯域幅にわたり得る。低いデューティサイクルにより、ビーコン信号１８０５は、リッスンビフォアトーク（ＬＢＴ）方式を必要とせずに送信され得る。したがって、ビーコン信号１８０５は、所定の時間に送信（たとえば、ブロードキャスト）され得る。図１８Ａに示される例では、ビーコン信号１８０５は、少なくとも時間ｔ0、ｔ1、ｔ2、およびｔ3において送信され得る。これらの送信のタイミングは周期的であり得る。いくつかの場合、送信は、時間がスケジューリングされており（たとえば事前に決定されており）スケジュールがビーコン信号１８０５を聴取するデバイスまたはエンティティに知られ得る限り、周期的である必要はなくてよい。ビーコン信号１８０５は、休止中の／アクティブなｅＮＢの発見および粗い時間−周波数の追跡（tracking）のために、他のｅＮＢおよび／またはＵＥ（たとえば、ＵＥ１１５）によって使用され得る。
【０２１５】
[0270]図１８Ｂは、様々な実施形態による、ＬＴＥビーコン信号におけるペイロードの例を示す図解１８００−ａを示す。図１８Ｂに示されるビーコン信号１８０５−ａは、図１８Ａのビーコン信号１８０５の例であり得る。したがって、ビーコン信号１８０５−ａは、ＬＴＥ−ＵをサポートするｅＮＢ（ＬＴＥ−Ｕ  ｅＮＢ）によって送信またはブロードキャストされ得る。そのようなｅＮＢの例は、図１、図２Ａ、および図２Ｂの、それぞれ基地局１０５、１０５−ａ、および１０５−ｂであり得る。
【０２１６】
[0271]ビーコン信号１８０５−ａのペイロードは、ｅＮＢと関連付けられる情報または属性の複数のフィールドを含み得る。たとえば、ビーコン信号１８０５−ａは、プライマリ同期信号（ＰＳＳ）フィールド１８１０、セカンダリ同期信号（ＳＳＳ）フィールド１８１５、セル固有基準信号（ＣＲＳ）フィールド１８２０、物理ブロードキャストチャネル（ＰＢＣＨ）フィールド１８２５、システム情報ブロック（ＳＩＢ）フィールド１８３０、限定加入者グループ識別情報（ＣＳＧ−ＩＤ）フィールド１８３５、地上波公共移動通信ネットワーク識別子（ＰＬＭＮ  ＩＤ）フィールド１８４０、グローバルセルＩＤ（ＧＣＩ）フィールド１８４５、クリアチャネルアセスメントランダム化シード（ＣＣＡ−ＲＳ）フィールド１８５０、ランダムアクセスチャネル（ＲＡＣＨ）構成フィールド１８５５、ＳＩＢフィールドの軽量（ｌｉｇｈｔ）バージョンまたはライト（ｌｉｔｅ）バージョン（ＳＩＢ−ｌｉｔｅ）１８６０、および展開ＩＤ（deployment ID）フィールド１８６５の１つまたは複数を含み得る。いくつかの実施形態では、ＳＩＢ−ｌｉｔｅフィールド１８６０は、ＧＣＩフィールド１８４５とＣＳＧ−ＩＤフィールド１８３５とを含み得る。ＧＣＩフィールド１８４５は、ＰＬＭＮ  ＩＤフィールド１８４０を含み得る。図１８Ｂに示されるペイロードコンテンツは、網羅的である必要はない。アンライセンススペクトラムにおけるＬＴＥに基づく通信の使用を可能にするために、ｅＮＢと関連付けられる他の情報または属性が含まれ得る。たとえば、ビーコン信号１８０５−ａのペイロードは、次のゲーティング間隔または送信間隔をオン／オフにゲーティングするのに使用するための、周期的なゲーティング構造の構成を含み得る。その上、示されるフィールドのいくつかは、いくつかの場合には送信されなくてよく、フィールドのいくつかは組み合わされてよい。
【０２１７】
[0272]ＰＬＭＮ  ＩＤフィールド１８４０の情報とＣＳＧ−ＩＤフィールド１８３５中の情報の組合せが、所与のｅＮＢと関連付けられるＬＴＥ−Ｕの展開（たとえば、ｅＮＢの展開）のためのＬＴＥ−Ｕ展開構成（たとえば、ｅＮＢ展開構成）を特定するために使用され得る。たとえば、異なるセルラー通信事業者によって展開されたＬＴＥ−Ｕ  ｅＮＢは、異なるＰＬＭＮ  ＩＤを有し得る。いくつかのＰＬＭＮ  ＩＤが、ＬＴＥ−Ｕの非通信事業者による展開のためにリザーブされ得る。たとえば、非通信事業者／企業によって展開されるＬＴＥ−Ｕ  ｅＮＢは、固有のＣＳＧ−ＩＤとともに、リザーブされたＰＬＭＮ  ＩＤを使用することができる。
【０２１８】
[0273]図１９Ａは、様々な実施形態による、アンライセンススペクトラムにおいてＬＴＥビーコン信号をブロードキャストするための方法１９００のフローチャートを示す。方法１９００は、たとえば、図１、図２Ａ、および図２Ｂの、それぞれ基地局またはｅＮＢ１０５、１０５−ａ、および１０５−ｂを使用して、ならびに／または、図１のシステム１００、および図２Ａおよび図２Ｂのシステム１００の部分を使用して、実施され得る。一実装形態では、ｅＮＢ１０５の１つは、以下で説明される機能を実行するためにｅＮＢ１０５の機能要素を制御するためのコードの１つまたは複数のセットを実行することができる。
【０２１９】
[0274]ブロック１９０５において、ビーコン信号（たとえば、ビーコン信号１８０５）が、ｅＮＢから所定の時間においてアンライセンススペクトラムでブロードキャストされてよく、ビーコン信号はｅＮＢとｅＮＢの少なくとも１つの関連付けられる属性とを特定するダウンリンク信号を含む。ビーコン信号は、いくつかの場合、ＵＥにおいて（または複数のＵＥにおいて）受信され得る。いくつかの実施形態では、ＵＥは、ビーコン信号を使用して、ＵＥにおいてアンライセンススペクトラムで通信するための粗いタイミング調整を行うことができる。
【０２２０】
[0275]方法１９００のいくつかの実施形態では、ｅＮＢの少なくとも１つの関連付けられる属性は、ｅＮＢの少なくとも属性を含み得る。いくつかの実施形態では、ｅＮＢの少なくとも１つの関連付けられる属性は、ｅＮＢが関連付けられるｅＮＢ展開のためのｅＮＢ展開構成を含み得る。いくつかの実施形態では、ｅＮＢの少なくとも１つの関連付けられる属性は、ｅＮＢが関連付けられるｅＮＢ展開のためのｅＮＢ展開構成を含んでよく、ｅＮＢ展開の中のｅＮＢからのダウンリンク信号は同期され、アンライセンススペクトラムおよびライセンススペクトラムでｅＮＢ展開のｅＮＢによって同時に送信される。いくつかの実施形態では、ｅＮＢ展開の中のｅＮＢは各々、同じ通信事業者によって展開される。
【０２２１】
[0276]方法１９００のいくつかの実施形態では、ｅＮＢの少なくとも１つの関連付けられる属性は、ｅＮＢと関連付けられるＲＡＣＨ構成を含み得る。これらの実施形態では、ビーコン信号はまた、少なくとも１つのＵＥのためのページングメッセージを含み得る。アンライセンススペクトラムにおいてビーコン信号のブロードキャストを受信すると、ＵＥは、ＲＡＣＨ構成を使用してページングメッセージに応答することができる。
【０２２２】
[0277]方法１９００のいくつかの実施形態では、ビーコン信号をブロードキャストすることは、約５０ミリ秒ごとに１回という最大のブロードキャスト間隔をもつ、５％未満（たとえば、１〜２％）のデューティサイクルでビーコン信号をブロードキャストすることを含む。いくつかの実施形態では、ビーコン信号は、ＰＳＳ、ＳＳＳ、ＣＲＳ、ＰＢＣＨ、ＧＣＩ、ＣＳＧ−ＩＤ、ＰＬＭＮ  ＩＤ、展開ＩＤ、周期的なゲーティング構造構成、ＣＣＡ−ＲＳ、ＲＡＣＨ構成、ＳＩＢ、およびＳＩＢ−ｌｉｔｅの１つまたは複数を含む。ビーコン信号は、アクティブであるものとして、または休止中であるものとしてｅＮＢを識別する情報を含み得る。
【０２２３】
[0278]図１９Ｂは、様々な実施形態による、アンライセンススペクトラムにおいてＬＴＥビーコン信号をブロードキャストするための方法１９００−ａのフローチャートを示す。上の方法１９００のような方法１９００−ａは、たとえば、図１、図２Ａ、および図２Ｂの、それぞれ基地局またはｅＮＢ１０５、１０５−ａ、および１０５−ｂを使用して、ならびに／または、図１のシステム１００、および図２Ａおよび図２Ｂのシステム１００の部分を使用して、実施され得る。一実装形態では、ｅＮＢ１０５の１つは、以下で説明される機能を実行するためにｅＮＢ１０５の機能要素を制御するためのコードの１つまたは複数のセットを実行することができる。
【０２２４】
[0279]ブロック１９１５において、展開された複数のｅＮＢからのダウンリンク信号が、同期され、アンライセンススペクトラムおよびライセンススペクトラムで当該展開された複数のｅＮＢによって同時に送信される、ｅＮＢ展開が特定される。
【０２２５】
[0280]ブロック１９２０において、ビーコン信号（たとえば、ビーコン信号１８０５）は、展開された複数のｅＮＢの１つまたは複数から所定の時間においてアンライセンススペクトラムでブロードキャストされてよく、ビーコン信号は特定されたｅＮＢ展開を含む。
【０２２６】
[0281]次に図２０を見ると、様々な実施形態による、アンライセンススペクトラムにおけるリクエストツーセンド（ＲＴＳ：request-to-send）信号およびクリアツーセンド（ＣＴＳ:clear-to-send）信号の例を示す図解２０００が示されている。ＲＴＳ信号は、ＬＴＥ−ＵをサポートするｅＮＢ（ＬＴＥ−Ｕ  ｅＮＢ）によって送信され得る。そのようなｅＮＢの例は、図１、図２Ａ、および図２Ｂの、それぞれ基地局１０５、１０５−ａ、および１０５−ｂであり得る。ＣＴＳ信号は、ＬＴＥ−ＵをサポートするＵＥ（ＬＴＥ−Ｕ  ＵＥ）によって送信され得る。そのようなＵＥの例は、図１、図２Ａ、および図２Ｂの、それぞれＵＥ１１５、１１５−ａ、および１１５−ｂであり得る。
【０２２７】
[0282]ＲＴＳ信号２００５（またはＲＴＳ２００５）は、現在のゲーティング間隔中のサブフレーム７２５−ｊの間に、ＣＣＡ７２０−ｌの後に生成され送信され得る。サブフレーム７２５−ｊは、図７のサブフレーム９（Ｓ’）７２５の例であり得る。すなわち、サブフレーム７２５−ｊは、現在のゲーティング間隔における最後のサブフレームであり得る。ＲＴＳ２００５は、ＣＣＡ７２０−ｌがサブフレーム間隔の途中で成功したときに送信され得る。ＬＴＥ−Ｕ  ｅＮＢは、次のサブフレーム境界（またはそれよりも先）までチャネルを保持するために、ＲＴＳ２００５の送信を使用することができる。
【０２２８】
[0283]ＲＴＳ２００５は、ＩＥＥＥ  ８０２．１１規格（たとえば、ＷｉＦｉ）のために定義されるようなＲＴＳに適合し得る。ＲＴＳ２００５の送信機アドレス（ＴＡ）フィールドは、送信側ＬＴＥ−Ｕ  ｅＮＢのＭＡＣ  ＩＤを含み得る。ＭＡＣ  ＩＤから、同じ展開の他のＬＴＥ−Ｕノード（たとえば、ＬＴＥ−Ｕ  ｅＮＢ）は、これを「フレンドリーＲＴＳ」として認識し、沈黙（silent）しないことができる（代わりに、ＬＴＥ−Ｕ  ＭＡＣ／ｅｎｈａｎｃｅｄ  ｉｎｔｅｒｃｅｌｌ  ｉｎｔｅｒｆｅｒｅｎｃｅ  ｃｏｏｒｄｉｎａｔｉｏｎ（ｅＩＣＩＣ）手順に従うことができる）。ネットワーク割振りベクトル（ＮＡＶ：network allocation vector）フィールドが、ＩＥＥＥ  ８０２．１１規格において定義されるようなタイムスロットをリザーブするために使用され得る。たとえば、ＮＡＶフィールドは、少なくとも次の１サブフレーム（１ミリ秒の期間）をリザーブすることができる。しかしながら、より典型的には、ＮＡＶフィールドは、少なくとも次の５個のサブフレーム（リッスンビフォアトークに適合する最大の数まで）をリザーブすることができる。ＲＴＳ２００５の受信機アドレス（ＲＡ）フィールドは、ＬＴＥ−Ｕ  ｅＮＢによってサービスされるＵＥのセットのセル無線ネットワーク一時識別子（Ｃ−ＲＮＴＩ）の複数のハッシュを含み得る。
【０２２９】
[0284]ＲＴＳ２００５のようなＲＴＳ信号は、後続のＵＬ送信を保護するために、ＵＬグラントの前に使用され得る。図２Ｂを参照して上で説明された展開のような、スタンドアロンの展開では、ＲＴＳ信号はまた、ＨＡＲＱフィードバック（ＡＣＫ／ＮＡＣＫ）がＵＥによって（同じアンライセンススペクトラムチャネルで）送信され得る後続のＵＬサブフレームを保護するために、物理ダウンリンク共有チャネル（ＰＤＳＣＨ）送信の前に送信され得る。ＲＴＳ信号に応答して、ＲＴＳ信号のＲＡフィールドにおいて参照されるＵＥは少なくとも、ｅＮＢからデータ／シグナリングを受信することが可能であれば、ＣＴＳ信号を送信することによって応答することができる。スケジュール要求（ＳＲ）または保留中の（pending）ＣＳＩ報告を送信することを望み得るＬＴＥ−Ｕ  ｅＮＢによってサービスされる他のＵＥも、ＣＴＳ信号によって応答することができる。ＷｉＦｉとは異なり、ＬＴＥ−Ｕ  ＵＥによって送信されるＣＴＳは、ＴＡフィールド中にサービングｅＮＢのＭＡＣ  ＩＤを含む。ＣＴＳ中のＮＡＶフィールドは、対応するＲＴＳ信号から決定され得る。
【０２３０】
[0285]図２０に戻ると、送信ｅＮＢによって指名／サービスされるＵＥは、ＲＴＳ２００５からショートインターフレームスペース（ＳＩＦＳ：short inter-frame space）間隔の後、共通ＣＴＳ信号２０１０（またはＣＴＳ２０１０）を送信することができる。共通ＣＴＳ２０１０は、可能な限り早くＵＥがチャネルを獲得することを可能にする。サブフレーム９の残りの継続時間において、（サブフレーム１０との）次のサブフレーム境界よりも前に、ＲＴＳ２００５によって特定されたＵＥは、時間的にずらして個別ＣＴＳ信号２０１５（またはＣＴＳ２０１５）を送信することができる。このずらし方は、ＲＴＳ２００５のＲＡフィールドにおいてＵＥが特定される順序に依存し得る。個別ＣＴＳ２０１５の各々の中のＴＡフィールドは、ＣＴＳ２０１５の完全な識別情報のハッシュを搬送し得る。個別ＣＴＳ２０１５は、ＵＥがデータ／グラントを受信する準備ができていることを、ｅＮＢに示す。個別ＣＴＳ２０１５の使用は、複数のＵＥの間でＦＤＭＡを使用することによって、より良好なスケジューリングの設計、チャネルのより効率的な使用を可能にする。ＲＴＳ２００５と、共通ＣＴＳ２０１０と、個別ＣＴＳ２０１５とを含むサブフレーム９の後で、次のサブフレーム７１０−ａ（サブフレーム１０）は、ＰＤＳＣＨ２０２０、２０２０−ａ、および２０２０−ｂの送信を含み得る。
【０２３１】
[0286]図２１は、様々な実施形態による、アンライセンススペクトラムにおいてＲＴＳ信号を送信しＣＴＳ信号を受信するための方法２１００のフローチャートを示す。方法２１００は、たとえば、図１、図２Ａ、および図２Ｂの、それぞれ基地局またはｅＮＢ１０５、１０５−ａ、および１０５−ｂを使用して、ならびに／または、図１のシステム１００、および図２Ａおよび図２Ｂのシステム１００の部分を使用して、実施され得る。一実装形態では、ｅＮＢ１０５の１つは、以下で説明される機能を実行するためにｅＮＢ１０５の機能要素を制御するためのコードの１つまたは複数のセットを実行することができる。
【０２３２】
[0287]ブロック２１０５において、クリアチャネルアセスメント（ＣＣＡ）が、アンライセンススペクトラムの利用可能性を決定するために実行され得る。
【０２３３】
[0288]ブロック２１１０において、アンライセンススペクトラムが利用可能である（たとえば、ＣＣＡが成功した）という決定が行われると、ＲＴＳ信号（たとえば、ＲＴＳ２００５）が、アンライセンススペクトラムを使用してＵＥのセットに送信され得る。
【０２３４】
[0289]ブロック２１１５において、共通ＣＴＳ信号（たとえば、ＣＴＳ２０１０）および個別ＣＴＳ信号（たとえば、ＣＴＳ２０１５）は、ＲＴＳ信号に応答してＵＥの１つまたは複数から受信され得る。
【０２３５】
[0290]ＲＴＳ信号は、アンライセンススペクトラム上でＵＥのセット中のＵＥにおいて受信されてよく、共通ＣＴＳ信号およびそれぞれの個別ＣＴＳ信号は、ＲＴＳ信号に応答して、アンライセンススペクトラム上で各ＵＥから送信され得る。
【０２３６】
[0291]方法２１００のいくつかの実施形態では、ＲＴＳ信号を送信することは、アンライセンススペクトラム上での後続のアップリンク送信を保護するために、アップリンクグラントの前にＵＥのセットからＲＴＳ信号を送信することを含む。ＲＴＳ信号は、ＲＴＳ信号のソース（たとえば、ｅＮＢ）のＭＡＣ  ＩＤを含み得る。ソースのＭＡＣ  ＩＤは、たとえば、４８ビットのＭＡＣ  ＩＤを含み得る。ＲＴＳ信号は、セット中のＵＥのＭＡＣ  ＩＤのハッシュされたバージョンを含み得る。
【０２３７】
[0292]方法２１００のいくつかの実施形態では、共通ＣＴＳ信号は、ＲＴＳ信号の送信からＳＩＦＳ後に受信され得、共通ＣＴＳ信号は、ＲＴＳ信号のソースのＭＡＣ  ＩＤを含み得る。受信された個別ＣＴＳ信号の各々は、ＲＴＳ信号のソースのＭＡＣ  ＩＤと、個別ＣＴＳ信号を送信するＵＥのＭＡＣ  ＩＤとを含み得る。個別ＣＴＳ信号はずらされた時間に受信され得る。
【０２３８】
[0293]方法２１００のいくつかの実施形態では、ＣＣＡは現在のゲーティング間隔のサブフレームの間に実行され得、ＲＴＳ信号はＣＣＡの後に送信され得、共通ＣＴＳ信号および個別ＣＴＳ信号はサブフレームの終わりの前に受信され得る。いくつかの実施形態では、ＣＣＡと関連付けられる時間と、ＲＴＳ信号の後続の送信と関連付けられる時間とは、ＲＴＳ信号を受信するデバイスにおける衝突を回避するために、異なるｅＮＢの間でランダムにずらされ得る。その上、ＣＣＡと関連付けられる時間と、ＲＴＳ信号の後続の送信と関連付けられる時間とは、ＲＴＳ信号を受信するデバイスにおける衝突を回避するために相互にずらされてよく、このずらし方は、ｅＮＢ間で交換される協調シグナリングに少なくとも基づく。
【０２３９】
[0294]次に図２２Ａを見ると、様々な実施形態による、ライセンススペクトラムにおける仮想ＣＴＳ（Ｖ−ＣＴＳ）信号の例を示す図解２２００が示されている。Ｖ−ＣＴＳ信号は、ＬＴＥ−ＵをサポートするＵＥ（ＬＴＥ−Ｕ  ＵＥ）によって送信され得る。そのようなＵＥの例は、図１、図２Ａ、および図２Ｂの、それぞれＵＥ１１５、１１５−ａ、１１５−ｂ、およびであり得る。
【０２４０】
[0295]媒体が解放されると常に発生するＣＣＡ（たとえば、４ミリ秒）を含み得る、ＤＣＦインターフレームスペース（ＤＩＦＳ）間隔の後に、ｅＮＢ（たとえば、基地局１０５）は、ＮＡＶによって関心のあるすべてのＵＥ（たとえば、ＵＥ1、．．．、ＵＥn）に宛てて、ＲＴＳ信号２２０５（またはＲＴＳ２２０５）をアンライセンススペクトラムにおいて送信し得る。ＳＩＦＳ間隔の後で、ｅＮＢは、ＣＴＳ−ｔｏ−ｓｅｌｆをアンライセンススペクトラムにおいて送信する。ｅＮＢは、サブフレームの残りに対する現在の知識に基づいてダウンリンクトラフィックを直ちにスケジューリングし、スケジューリングとＡＣＫ２２３０とを継続し得る。スケジューリングは、信号２２２０および２２２５において、物理ダウンリンク制御チャネル（ＰＤＣＣＨ）とＰＤＳＣＨとを使用して実行され得る。ＲＴＳ２２０５が向けられたＵＥは、今後のスケジューリングを改善するために、ｅＮＢに対し更新された測定結果（たとえば、ＲＴＳ／ＣＴＳの測定結果）でＶ−ＣＴＳ信号２２１５（またはＶ−ＣＴＳ２２１５）を、ライセンススペクトラムにおいて返信することができる。このシナリオでは、ＣＴＳのシグナリングは、ＬＴＥ−Ｕにおいてライセンススペクトラムを同時に使用することによって、仮想的に、または帯域外（アンライセンススペクトラムの外）で行われる。
【０２４１】
[0296]次に図２２Ｂを見ると、様々な実施形態による、ライセンススペクトラムにおける仮想ＲＴＳ（Ｖ−ＲＴＳ）信号の例を示す図解２２００−ａが示されている。Ｖ−ＲＴＳ信号は、ＬＴＥ−ＵをサポートするｅＮＢ（ＬＴＥ−Ｕ  ｅＮＢ）によって送信され得る。そのようなｅＮＢの例は、図１、図２Ａ、および図２Ｂの、それぞれ基地局１０５、１０５−ａ、および１０５−ｂであり得る。
【０２４２】
[0297]媒体が解放されると常に発生するＣＣＡ（たとえば、４ミリ秒）を含み得るＤＩＦＳ間隔の後で、媒体またはチャネルが解放されている、または利用可能であると感知されるとき、ｅＮＢ（たとえば、基地局１０５）は、プライマリセル（ＰＣｅｌｌ）上の関心のあるＵＥ（たとえば、ＵＥ1、．．．、ＵＥn）にポーリングし得る。ｅＮＢは、オーバーヘッドを節約するために、ＣＴＳ−ｔｏ−ｓｅｌｆ信号２２１０（またはＣＴＳ−ｔｏ−ｓｅｌｆ２２１０）をアンライセンススペクトラムで送信するだけでよい。ｅＮＢは、ライセンススペクトラムを使用してＶ−ＲＴＳ信号２２３５（またはＶ−ＲＴＳ２２３５）を送信し、Ｖ−ＲＴＳ２２３５によって宛てられたＵＥは、それぞれ、同様にライセンススペクトラムでＶ−ＣＴＳ２２１５−ａを送信することによって応答し得る。このシナリオでは、ＲＴＳおよびＣＴＳのために必要とされるすべてのシグナリングは、仮想的または帯域外（アンライセンススペクトラムの外）で、ＬＴＥ−Ｕにおいてライセンススペクトラムを同時に使用することによって、行われる。図２２Ａのシナリオのように、ｅＮＢは、信号２２２０と２２２５（たとえば、ＰＤＣＣＨおよびＰＤＳＣＨ）を使用してスケジューリング情報を送信することに進み得る。
【０２４３】
[0298]図２３は、様々な実施形態による、ＲＴＳ信号またはＶ−ＲＴＳ信号を送信するための方法２３００のフローチャートを示す。方法２３００は、たとえば、図１、図２Ａ、および図２Ｂの、それぞれ基地局またはｅＮＢ１０５、１０５−ａ、および１０５−ｂを使用して、ならびに／または、図１のシステム１００、および図２Ａおよび図２Ｂのシステム１００の部分を使用して、実施され得る。一実装形態では、ｅＮＢ１０５の１つは、以下で説明される機能を実行するためにｅＮＢ１０５の機能要素を制御するためのコードの１つまたは複数のセットを実行することができる。
【０２４４】
[0299]ブロック２３０５において、ＵＥのセット（たとえば、ＵＥ1、．．．、ＵＥn）に向けて、ＲＴＳ信号（たとえば、ＲＴＳ２２０５）がアンライセンススペクトラムにおいて送信され得、または、Ｖ−ＲＴＳ信号（たとえば、ＲＴＳ２２３５）がライセンススペクトラムにおいて送信され得る。
【０２４５】
[0300]ブロック２３１０において、ＣＴＳ−ｔｏ−ｓｅｌｆ信号が、Ｖ−ＲＴＳ信号の送信とともに、アンライセンススペクトラムにおいて送信され得る。
【０２４６】
[0301]ＲＴＳ信号またはＶ−ＲＴＳ信号は、アンライセンススペクトラム上でＵＥのセット中のＵＥにおいて受信され得る。
【０２４７】
[0302]方法２３００のいくつかの実施形態では、Ｖ−ＣＴＳ信号は、ＲＴＳ信号またはＶ−ＲＴＳ信号に応答して、セット中のＵＥの各々について、ライセンススペクトラムにおいて受信され得る。Ｖ−ＣＴＳ信号は、今後のスケジューリングにおいて使用するための、それぞれのＵＥによって行われた測定結果を含み得る。いくつかの実施形態では、トラフィックは、サブフレームの残りに対する現在のチャネルの知識に基づいて、Ｖ−ＣＴＳ信号を受信した後でスケジューリングされ得る。ＲＴＳ信号は、ダウンリンクプライマリコンポーネントキャリアにおいて送信され得る。
【０２４８】
[0303]図２４は、様々な実施形態による、ＲＴＳ信号またはＶ−ＲＴＳ信号に応答してＶ−ＣＴＳ信号を受信するための方法２４００のフローチャートを示す。方法２４００は、たとえば、図１、図２Ａ、および図２Ｂの、それぞれ基地局またはｅＮＢ１０５、１０５−ａ、および１０５−ｂを使用して、ならびに／または、図１のシステム１００、および図２Ａおよび図２Ｂのシステム１００の部分を使用して、実施され得る。一実装形態では、ｅＮＢ１０５の１つは、以下で説明される機能を実行するためにｅＮＢ１０５の機能要素を制御するためのコードの１つまたは複数のセットを実行することができる。
【０２４９】
[0304]ブロック２４０５において、ＵＥのセット（たとえば、ＵＥ1、．．．、ＵＥn）に向けて、ＲＴＳ信号（たとえば、ＲＴＳ２２０５）がアンライセンススペクトラムにおいて送信され得、または、Ｖ−ＲＴＳ信号（たとえば、ＲＴＳ２２３５）がライセンススペクトラムにおいて送信され得る。
【０２５０】
[0305]ブロック２４１０において、ＣＴＳ−ｔｏ−ｓｅｌｆ信号が、Ｖ−ＲＴＳ信号の送信とともに、アンライセンススペクトラムにおいて送信され得る。
【０２５１】
[0306]ブロック２４１５において、Ｖ−ＣＴＳ信号は、ＲＴＳ信号またはＶ−ＲＴＳ信号に応答して、セット中のＵＥの各々からライセンススペクトラムにおいて受信され得る。
【０２５２】
[0307]ブロック２４２０において、トラフィックは、サブフレームの残りに対する現在のチャネルの知識に基づいて、Ｖ−ＣＴＳ信号を受信した後でスケジューリングされ得る。
【０２５３】
[0308]ＲＴＳ信号またはＶ−ＲＴＳ信号は、アンライセンススペクトラム上でＵＥのセット中のＵＥにおいて受信され得、Ｖ−ＣＴＳ信号は、ＲＴＳ信号またはＶ−ＲＴＳ信号に応答して、アンライセンススペクトラム上で各ＵＥから送信され得る。
【０２５４】
[0309]次に図２５を見ると、様々な実施形態による、アンライセンススペクトラムにおける通常サブフレームおよびロバストなサブフレームの例を示す図解２５００が示されている。通常のサブフレームおよびロバストなサブフレームは、ＬＴＥ−ＵをサポートするｅＮＢ（ＬＴＥ−Ｕ  ｅＮＢ）によって送信され得る。そのようなｅＮＢの例は、図１、図２Ａ、および図２Ｂの、それぞれ基地局１０５、１０５−ａ、および１０５−ｂであり得る。通常のサブフレームおよびロバストなサブフレームは、ＬＴＥ−ＵをサポートするＵＥ（ＬＴＥ−Ｕ  ＵＥ）によって使用され得る。そのようなＵＥの例は、図１、図２Ａ、および図２Ｂの、それぞれＵＥ１１５、１１５−ａ、および１１５−ｂであり得る。
【０２５５】
[0310]通常のレガシーキャリアタイプ（ＬＣＴ：legacy carrier type）サブフレーム２５０５が示されている。通常のＬＣＴサブフレーム２５０５は、ＬＣＴ波形のために使用されてよく、時分割多重化された（ＴＤＭ）ＰＤＣＣＨとＣＲＳとを搬送することができる。通常のニューキャリアタイプ（ＮＣＴ：new carrier type）サブフレーム２５１５も示されている。通常のＮＣＴサブフレーム２５１４は、ＮＣＴ波形のために使用され得るが、ＴＤＭ  ＰＤＣＣＨとＣＲＳとを含まないことがある。代わりに、ＵＥは、フィードバックのためのチャネル状態情報基準信号（ＣＳＩ−ＲＳ）と復調のためのＵＥ−ＲＳとを使用することができる。通常のＬＣＴサブフレームおよびＮＣＴサブフレームに加えて、図２５は、ロバストなＬＣＴサブフレーム２５１０とロバストなＮＣＴサブフレーム２５２０とを示す。ロバストなサブフレームは、通常のサブフレームと比較して追加のパイロット（たとえば、共通パイロット、ｅＣＲＳ）を含み得るという点で、通常のサブフレームとは異なることがあり、追加のパイロットは、ＬＴＥ  ＤＬ送信の長いゲートオフ期間（オフにゲーティングされた期間）の後で、ＵＥにおける時間−周波数の追跡(tracking)とチャネル推定とを容易にするために使用され得る。
【０２５６】
[0311]ゲーティングされたＬＣＴ波形について、ＳＹＮＣサブフレーム（たとえば、他のＬＴＥサブチャネルに加えて、ＰＳＳ、ＳＳＳ、（場合によっては）ＰＢＣＨを搬送するサブフレーム）が、サブフレームインデックス＝０（ｍｏｄ５）において送信され得る。ロバストなＬＣＴサブフレーム２５１０は、Ｙ個のサブフレームよりも長いオフにゲーティングされた期間の後、最初のＸ個のサブフレームのために送信され得る。パラメータＸおよびＹは、たとえば、サブフレームの構造および使用規則に基づいて変動し得る。通常のＬＣＴサブフレーム２５０５は、すべての他のオンにゲーティングされた期間において送信され得る。
【０２５７】
[0312]ゲーティングされたＮＣＴ波形に対して、ＳＹＮＣサブフレームは、サブフレームインデックス＝０（ｍｏｄ５）において送信され得る。ロバストなＮＣＴサブフレーム２５２０は、Ｙ個のサブフレームよりも長いオフにゲーティングされた期間の後、最初のＸ個のサブフレームのために送信され得る。パラメータＸおよびＹは、たとえば、サブフレームの構造および使用規則に基づいて変動し得る。通常のＮＣＴサブフレーム２５１５は、すべての他のオンにゲーティングされた期間において送信され得る。
【０２５８】
[0313]図２６は、様々な実施形態による、アンライセンススペクトラムにおいて通常のサブフレームまたはロバストなサブフレームを送信するための方法２６００のフローチャートを示す。方法２６００は、たとえば、図１、図２Ａ、および図２Ｂの、それぞれ基地局またはｅＮＢ１０５、１０５−ａ、および１０５−ｂを使用して、ならびに／または、図１のシステム１００、および図２Ａおよび図２Ｂのシステム１００の部分を使用して、実施され得る。
【０２５９】
[0314]ブロック２６０５において、アンライセンススペクトラム上での過去の送信アクティビティが、アクティビティ閾値（たとえば、ある時間期間にわたるアンライセンススペクトラム中のオンにゲーティングされた期間の数、ある時間期間にわたるアンライセンススペクトラム中のいくつかのオンにゲーティングされた期間の継続時間、および／またはある時間期間にわたってアンライセンススペクトラムにおいて送信されるＳＹＮＣサブフレームの数）と比較され得る。
【０２６０】
[0315]ブロック２６１０において、過去の送信アクティビティがアクティビティ閾値より大きいとき、第１のサブフレームタイプ（たとえば、通常のＬＣＴ／ＮＣＴサブフレーム）が、次のアクティブな送信の間にアンライセンススペクトラムにおいて送信され得る。
【０２６１】
[0316]ブロック２６１５において、過去の送信アクティビティがアクティビティ閾値より小さいとき、第２のサブフレームタイプ（たとえば、ロバストなＬＣＴ／ＮＣＴサブフレーム）が、次のアクティブな送信の間にアンライセンススペクトラムにおいて送信され得る。第２のサブフレームタイプは、第１のサブフレームタイプよりも多くのロバストなサブフレームタイプを含み得る。
【０２６２】
[0317]方法２６００のいくつかの実施形態では、第１のサブフレームタイプはＬＣＴサブフレームを含み得る。いくつかの実施形態では、第１のサブフレームタイプはＮＣＴサブフレームを含み得る。いくつかの実施形態では、第２のサブフレームタイプは、追跡(tracking)およびチャネル推定のための追加の共通パイロットをもつＬＣＴサブフレームを含み得る。いくつかの実施形態では、第２のサブフレームタイプは、追跡およびチャネル推定のための追加の共通パイロットをもつＮＣＴサブフレームを含み得る。方法は、予め定められた数の第２のサブフレームタイプの送信が識別された後で、アンライセンススペクトラムにおいて第１のサブフレームタイプを送信することを含み得る。
【０２６３】
[0318]次に図２７を見ると、様々な実施形態による、アンライセンススペクトラムのための物理アップリンク制御チャネル（ＰＵＣＣＨ）信号および物理アップリンク共有チャネル（ＰＵＳＣＨ）信号の例を示す図解２７００が示されている。ＰＵＣＣＨ信号およびＰＵＳＣＨ信号は、ＬＴＥ−ＵをサポートするｅＮＢ（ＬＴＥ−Ｕ  ｅＮＢ）によって扱われ得る。そのようなｅＮＢの例は、図１、図２Ａ、および図２Ｂの、それぞれ基地局１０５、１０５−ａ、および１０５−ｂであり得る。ＰＵＣＣＨ信号およびＰＵＳＣＨ信号は、ＬＴＥ−ＵをサポートするＵＥ（ＬＴＥ−Ｕ  ＵＥ）によって扱われ得る。そのようなＵＥの例は、図１、図２Ａ、および図２Ｂの、それぞれＵＥ１１５、１１５−ａ、および１１５−ｂであり得る。
【０２６４】
[0319]ＰＵＣＣＨ信号およびＰＵＳＣＨ信号は通常、サブキャリアのセットを占有する局所化された周波数分割多重化（ＬＦＤＭ：localized frequency division multiplexing）波形に基づき、このとき、異なる変調シンボルが各サブキャリアのために送信され、または、何らかのプリコーディングが周波数領域の波形を送信する前に行われる。これらの波形を使用すると、送信されることが可能なデータが少量であることで、占有される帯域の部分が小さくなる。送信電力スペクトル密度（ＴＸ−ＰＳＤ）の制約により、帯域幅の小さな部分を占有するとき、少量の電力が送信される。そのことを避けるために、波形全体の大半を占有する必要があり得る。しかし、波形の大半が占有され、どのサブキャリアも使用されないままにしない場合、所与の量の帯域幅に対して異なるユーザを多重化することが可能ではないことがある。この問題に対処するための１つの手法は、各送信機の信号がＮ個のサブキャリアごとに１個（たとえば、１０個のうち１個、１２個のうち１個）を占有するように、各送信機に各送信機の信号をインターリーブさせて、これによって中間の多くのサブキャリアを占有されないままにすることである。この手法は、より大きな電力で（しかしそれでも規制を満たすのに十分低いＰＳＤを伴って）波形を送信することを可能にするために、公称（nominal）帯域幅占有率を上げることができる。それらのサブキャリアに限局された信号を送信するために、Ｎ個のサブキャリアのうちの１個を占有する、インターリーブされた周波数分割多重化（ＩＦＤＭ：interleaved frequency division multiplexing）信号およびインターリーブされた直交周波数分割多重化（Ｉ−ＯＦＤＭ）信号が使用され得る。図２５において、ＩＦＤＭ波形は、アンライセンススペクトラムにおける送信のために、ＰＵＣＣＨ信号２７０５とＰＵＳＣＨ信号２７１０とを生成するように示される。同様に、Ｉ−ＯＦＤＭ波形は、アンライセンススペクトラムにおける送信のために、ＰＵＣＣＨ信号２７１５とＰＵＳＣＨ信号２７２０とを生成するように示される。
【０２６５】
[0320]図２８は、様々な実施形態による、アンライセンススペクトラムにおいてＰＵＣＣＨ信号および／またはＰＵＳＣＨ信号を生成するための方法２８００のフローチャートを示す。方法２８００は、たとえば、図１、図２Ａ、および図２Ｂの、それぞれ基地局またはｅＮＢ１０５、１０５−ａ、および１０５−ｂを使用して、図１、図２Ａ、および図２Ｂの、それぞれＵＥ１１５、１１５−ａ、および１１５−ｂを使用して、ならびに／または、図１のシステム１００、および図２Ａおよび図２Ｂのシステム１００の部分を使用して、実施され得る。一実装形態では、ｅＮＢ１０５の１つまたはＵＥ１１５の１つは、以下で説明される機能を実行するためにｅＮＢ１０５またはＵＥ１１５の機能要素を制御するためのコードの１つまたは複数のセットを実行することができる。
【０２６６】
[0321]ブロック２８０５において、ＰＵＣＣＨ信号およびＰＵＳＣＨ信号の１つまたは両方が、アンライセンススペクトラムにおける公称帯域幅占有率を上げる、インターリーブされた信号に基づいて生成され得る。
【０２６７】
[0322]ブロック２８１０において、生成された信号は、アンライセンススペクトラムにおいて（たとえば、ｅＮＢによって）送信され得る。いくつかの実施形態では、インターリーブされた信号はＩＦＤＭ信号を含み得る。いくつかの実施形態では、インターリーブされた信号はＩ−ＯＦＤＭ信号を含み得る。
【０２６８】
[0323]生成された信号の１つまたは両方が、たとえばＵＥによって、アンライセンススペクトラムにおいて受信され得る。
【０２６９】
[0324]次に図２９を見ると、様々な実施形態による、アンライセンススペクトラムにおける負荷ベースゲーティング（load-based gating）の例を示す図解２９００が示されている。負荷ベースゲーティングは、ＬＴＥ−ＵをサポートするｅＮＢ（ＬＴＥ−Ｕ  ｅＮＢ）によって実行され得る。そのようなｅＮＢの例は、図１、図２Ａ、および図２Ｂの、それぞれ基地局１０５、１０５−ａ、および１０５−ｂであり得る。
【０２７０】
[0325]上で説明されたリッスンビフォアトーク（ＬＢＴ）技法は、フレームベース機器（ＦＢＥ：frame-based equipment）において使用され得る。しかしながら、負荷ベース機器（ＬＢＥ：load-based equipment）に基づく他のＬＢＴ技法も利用可能である。ＬＢＴ−ＦＢＥ技法は、ＬＴＥの１０ミリ用の無線フレーム構造を守るゲーティングに一部依存する。周期的なゲーティングを可能にしながら、より短いゲーティング構造（１ミリ秒、２ミリ秒）を使用することは、ＬＴＥフレーム構造を守らない傾向にある。ＬＢＴ−ＬＢＥを使用することは、初めまたは終わりにおけるシンボルのパンクチャを必要とすることなく、ＬＴＥ  ＰＨＹチャネルのサブフレーム構造を保持するという潜在的な利点をもたらし得る。しかしながら、各ｅＮＢが拡張されたＣＣＡのために固有のランダムなバックオフ時間を使用するので、異なるＬＴＥ−Ｕノード間での時間の再使用はもはや同じ展開において保証されないことがある。したがって、ＬＢＴ−ＬＢＥについて、ＣＣＡは、ＬＢＴ−ＦＢＥのためのＣＣＡと同様であり得るが、拡張されたＣＣＡ（ＬＢＴ−ＦＢＥでは使用されない）は、整数Ｎ（たとえば、１≦Ｎ≦ｑ）をランダムに選択することと、チャネルがクリアであるＮ個のＣＣＡ継続時間を待機することとに基づき得る。
【０２７１】
[0326]アンライセンススペクトラムチャネルにおいて送信されるサブフレームシーケンス中での異なるサブフレーム（ＳＦ）における送信は、拡張されたＣＣＡおよびＣＣＡからの結果に基づき得る。拡張されたＣＣＡは、パラメータ４≦ｑ≦３２に基づいてよく、パラメータの値はベンダーによって告知される。チャネルが長い間休止しているとき、ＣＣＡが実行される必要があり得る。ＣＣＡがクリアなチャネルを発見する場合、直ちに送信を開始することが可能であり得る。発見しない場合、拡張されたＣＣＡが送信の前に実行され得る。送信が開始すると、送信は、別の拡張されたＣＣＡが実行される必要があり得るまで、最大で（１３／３２）×ｑ  ｍｓｃ（最大チャネル占有時間と呼ばれる）の間、続き得る。（別のノードからの）受信が成功すると、最後に成功したＣＣＡ／拡張されたＣＣＡが最大チャネル占有時間よりも短い時間だけ前に実行されたのであれば、ＡＣＫ／ＮＡＣＫの送信が直ちにＣＣＡ（を伴わずに）開始し得る。
【０２７２】
[0327]図２９の例を見ると、最大チャネル占有時間が約９．７５ミリ秒であるように、ＣＣＡ時間は２５μｓに設定されてよく、ｑ＝２４である。拡張されたＣＣＡのための最小アイドル時間はほぼ、２５μｓと０．６ミリ秒の間である。ＣＵＢＳは、上で説明されたようにギャップを埋めるために使用され得る。この例では、拡張されたＣＣＡ７２０−ｍが、シーケンス２９０５の中のサブフレーム（ＳＦ）８において実行される。最大チャネル占有時間は、次の拡張されたＣＣＡ７２０−ｍがＳＦ１８まで実行される必要がないようなものである。ＬＴＥダウンリンク送信は、第１の拡張されたＣＣＡ７２０−ｍの後でチャネルが解放されている結果として、ＳＦ９〜１２の間に起こり得る。ＳＦ１２の後に送信ギャップがあるので、ＣＣＡ７２０−ｎは、最大チャネル占有時間内での追加の送信のためにＳＦ１５において実行され得る。ＣＣＡ７２０−ｎの結果として、ＬＴＥ送信はＳＦ１６および１７において起こり得る。上で述べられたように、第２の拡張されたＣＣＡ７２０−ｍは、最大チャネル占有時間の後に発生してよく、これはこの例ではＳＦ２２〜２５における追加のＬＴＥ送信につながる。
【０２７３】
[0328]図３０を見ると、ＬＴＥ−Ｕのために構成されたＵＥ１１５−ｄを示す図解３０００が示されている。ＵＥ１１５−ｄは、様々な他の構成を有することがあり、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネットアプライアンス、ゲームコンソール、電子リーダなどに含まれるか、またはその一部であり得る。ＵＥ１１５−ｄは、モバイル動作を支援にするために、小型バッテリーのような内部電源（図示されず）を有し得る。局ＵＥ１１５−ｄは、図１、図２Ａ、図２Ｂ、および図１６の、ＵＥ１１５、１１５−ａ、１１５−ｂ、および１１５−ｃの例であり得る。ＵＥ１１５−ｄは、図１〜図２９に関して上で説明された特徴および機能の少なくともいくつかを実装するように構成され得る。
【０２７４】
[0329]ＵＥ１１５−ｄは、プロセッサモジュール３０１０と、メモリモジュール３０２０と、送受信機モジュール３０４０と、アンテナ３０５０と、ＵＥモードモジュール３０６０とを含み得る。これらのコンポーネントの各々は、１つまたは複数のバス３００５を通じて、互いに、直接または間接的に通信していてよい。
【０２７５】
[0330]メモリモジュール３０２０は、ランダムアクセスメモリ（ＲＡＭ）と読取り専用メモリ（ＲＯＭ）とを含み得る。メモリモジュール３０２０は、実行されると、プロセッサモジュール３０１０に、アンライセンススペクトラムにおいてＬＴＥに基づく通信を使用するための本明細書で説明される様々な機能を実行させるように構成される命令を含む、コンピュータ可読の、コンピュータ実行可能ソフトウェア（ＳＷ）コード３０２５を記憶し得る。代替的に、ソフトウェアコード３０２５は、プロセッサモジュール３０１０によって直接実行可能ではないことがあるが、（たとえば、コンパイルされ実行されると）コンピュータに本明細書で説明される機能を実行させるように構成され得る。
【０２７６】
[0331]プロセッサモジュール３０１０は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール３０１０は、送受信機モジュール３０４０を通じて受信された、および／またはアンテナ３０５０を通じた送信のために送受信機モジュール３０４０に送信されるべき情報を処理することができる。プロセッサモジュール３０１０は、アンライセンススペクトラムにおいてＬＴＥに基づく通信を使用する様々な態様を、単独で、またはＵＥモードモジュール３０６０とともに、扱うことができる。
【０２７７】
[0332]送受信機モジュール３０４０は、基地局（たとえば、基地局１０５）と双方向に通信するように構成され得る。送受信機モジュール３０４０は、１つまたは複数の送信機モジュールおよび１つまたは複数の別個の受信機モジュールとして実装され得る。送受信機モジュール３０４０は、ライセンススペクトラム（たとえば、ＬＴＥ）およびアンライセンススペクトラム（たとえば、ＬＴＥ−Ｕ）における通信をサポートすることができる。送受信機モジュール３０４０は、パケットを変調し、変調されたパケットを送信のためにアンテナ３０５０に提供し、アンテナ３０５０から受信されたパケットを復調するように構成されたモデムを含み得る。ＵＥ１１５−ｄは単一のアンテナを含み得るが、ＵＥ１１５−ｄが複数のアンテナ３０５０を含み得る実施形態があり得る。
【０２７８】
[0333]図３０のアーキテクチャによれば、ＵＥ１１５−ｄはさらに、通信管理モジュール３０３０を含み得る。通信管理モジュール３０３０は、様々なアクセスポイントとの通信を管理し得る。通信管理モジュール３０３０は、１つまたは複数のバス３００５を通じてＵＥ１１５−ｄの他のコンポーネントの一部またはすべてと通信している、ＵＥ１１５−ｄのコンポーネントであり得る。代替的には、通信管理モジュール３０３０の機能は、送受信機モジュール３０４０のコンポーネントとして、コンピュータプログラム製品として、および／またはプロセッサモジュール３０１０の１つもしくは複数のコントローラ要素として実装され得る。
【０２７９】
[0334]ＵＥモードモジュール３０６０は、アンライセンススペクトラムにおいてＬＴＥに基づく通信を使用することに関する、図１〜図２９において説明された機能または態様の一部またはすべてを実行および／または制御するように構成され得る。たとえば、ＵＥモードモジュール３０６０は、補助的ダウンリンクモード、キャリアアグリゲーションモード、および／またはスタンドアロン動作モードを、アンライセンススペクトラムにおいてサポートするように構成され得る。ＵＥモードモジュール３０６０は、ＬＴＥ通信を扱うように構成されるＬＴＥモジュール３０６１と、ＬＴＥ−Ｕ通信を扱うように構成されるＬＴＥ免許不要モジュール３０６２と、アンライセンススペクトラムにおけるＬＴＥ−Ｕ以外の通信を扱うように構成される免許不要モジュール３０６３とを含み得る。ＵＥモードモジュール３０６０、またはその部分は、プロセッサであり得る。その上、ＵＥモードモジュール３０６０の機能の一部またはすべては、プロセッサモジュール３０１０によって、および／またはプロセッサ３０１０に関連して実行され得る。
【０２８０】
[0335]図３１を見ると、ＬＴＥ−Ｕのために構成された基地局またはｅＮＢ１０５−ｄを示す図解３１００が示されている。いくつかの実施形態では、基地局１０５−ｄは、図１、図２Ａ、図２Ｂ、および図１６の、それぞれ基地局１０５、１０５−ａ、１０５−ｂ、および１０５−ｃの例であり得る。基地局１０５−ｄは、図１〜図２９に関して上で説明された特徴および機能の少なくともいくつかを実装するように構成され得る。基地局１０５−ｄは、プロセッサモジュール３１１０と、メモリモジュール３１２０と、送受信機モジュール３１３０と、アンテナ３１４０と、基地局モードモジュール３１９０とを含み得る。基地局１０５−ｄはまた、基地局通信モジュール３１６０とネットワーク通信モジュール３１７０の１つまたは両方を含み得る。これらのコンポーネントの各々は、１つまたは複数のバス３１０５を通じて、互いに、直接または間接的に通信していてよい。
【０２８１】
[0336]メモリモジュール３１２０はＲＡＭとＲＯＭとを含み得る。メモリモジュール３１２０はまた、実行されると、プロセッサモジュール３１１０に、アンライセンススペクトラムにおいてＬＴＥに基づく通信を使用するための本明細書で説明される様々な機能を実行させるように構成される命令を含む、コンピュータ可読の、コンピュータ実行可能ソフトウェア（ＳＷ）コード３１２５を記憶し得る。代替的に、ソフトウェアコード３１２５は、プロセッサモジュール３１１０によって直接実行可能ではないことがあるが、たとえば、コンパイルされ実行されると、コンピュータに本明細書で説明される機能を実行させるように構成され得る。
【０２８２】
[0337]プロセッサモジュール３１１０は、インテリジェントハードウェアデバイス、たとえば、ＣＰＵ、マイクロコントローラ、ＡＳＩＣなどを含み得る。プロセッサモジュール３１１０は、送受信機モジュール３１３０、基地局通信モジュール３１６０、および／またはネットワーク通信モジュール３１７０を通じて受信された情報を処理することができる。プロセッサモジュール３１１０はまた、アンテナ３１４０を通じた送信のために送受信機モジュール３１３０に、基地局通信モジュール３１６０に、および／またはネットワーク通信モジュール３１７０に送られるべき情報を処理することができる。プロセッサモジュール３１１０は、アンライセンススペクトラムにおいてＬＴＥに基づく通信を使用する様々な態様を、単独で、または基地局モードモジュール３１９０とともに、扱うことができる。
【０２８３】
[0338]送受信機モジュール３１３０は、パケットを変調し、変調されたパケットを送信のためにアンテナ３１４０に提供し、アンテナ３１４０から受信されたパケットを復調するように構成されたモデムを含み得る。送受信機モジュール３１３０は、１つまたは複数の送信機モジュールおよび１つまたは複数の別個の受信機モジュールとして実装され得る。送受信機モジュール３１３０は、ライセンススペクトラム（たとえば、ＬＴＥ）およびアンライセンススペクトラム（たとえば、ＬＴＥ−Ｕ）における通信をサポートすることができる。送受信機モジュール３１３０は、たとえば、図１、図２Ａ、図２Ｂ、および図１６に示されるように、アンテナ３１４０を介して、１つまたは複数のＵＥ１１５と双方向に通信するように構成され得る。基地局１０５−ｄは通常、複数のアンテナ３１４０（たとえば、アンテナアレイ）を含み得る。基地局１０５−ｄは、ネットワーク通信モジュール３１７０を通じてコアネットワーク１３０−ａと通信することができる。コアネットワーク１３０−ａは、図１のコアネットワーク１３０の例であり得る。基地局１０５−ｄは、基地局通信モジュール３１６０を使用して、基地局１０５−ｅおよび基地局１０５−ｆのような他の基地局と通信することができる。
【０２８４】
[0339]図３１のアーキテクチャによれば、基地局１０５−ｄはさらに、通信管理モジュール３１５０を含み得る。通信管理モジュール３１５０は、基地局および／または他のデバイスとの通信を管理し得る。通信管理モジュール３１５０は、１つまたは複数のバス３１０５を介して基地局１０５−ｄの他のコンポーネントの一部またはすべてと通信していてよい。代替的には、通信管理モジュール３１５０の機能は、送受信機モジュール３１３０のコンポーネントとして、コンピュータプログラム製品として、および／またはプロセッサモジュール３１１０の１つもしくは複数のコントローラ要素として実装され得る。
【０２８５】
[0340]基地局モードモジュール３１９０は、アンライセンススペクトラムにおいてＬＴＥに基づく通信を使用することに関する、図１〜図２９において説明された機能または態様の一部またはすべてを実行および／または制御するように構成され得る。たとえば、基地局モードモジュール３１９０は、補助的ダウンリンクモード、キャリアアグリゲーションモード、および／またはスタンドアロン動作モードを、アンライセンススペクトラムにおいてサポートするように構成され得る。基地局モードモジュール３１９０は、ＬＴＥ通信を扱うように構成されるＬＴＥモジュール３１９１と、ＬＴＥ−Ｕ通信を扱うように構成されるＬＴＥ免許不要モジュール３１９２と、アンライセンススペクトラムにおけるＬＴＥ−Ｕ以外の通信を扱うように構成される免許不要モジュール３１９３とを含み得る。基地局モードモジュール３１９０、またはその部分は、プロセッサであり得る。その上、基地局モードモジュール３１９０の機能の一部またはすべては、プロセッサモジュール３１１０によって、および／またはプロセッサ３１１０に関連して実行され得る。
【０２８６】
[0341]次に図３２を見ると、基地局１０５−ｇとユーザ機器またはＵＥ１１５−ｅとを含む、多入力多出力（ＭＩＭＯ）通信システム３２００のブロック図が示されている。基地局１０５−ｇおよびＵＥ１１５−ｅは、アンライセンススペクトラム（ＬＴＥ−Ｕ）を使用したＬＴＥに基づく通信をサポートすることができる。基地局１０５−ｇは、図１、図２Ａ、図２Ｂ、および図１６の基地局１０５、１０５−ａ、１０５−ｂ、および１０５−ｃの例であってよく、一方ＵＥ１１５−ｅは、図１、図２Ａ、図２Ｂ、および図１６のＵＥ１１５、１１５−ａ、１１５−ｂ、および１１５−ｃの例であってよい。システム３２００は、図１のシステム１００の態様、ならびに図２Ａおよび図２Ｂに示されたシステム１００の部分の態様を示し得る。
【０２８７】
[0342]基地局１０５−ｇはアンテナ３２３４−ａ〜３２３４−ｘを備えてよく、ＵＥ１１５−ｅはアンテナ３２５２−ａ〜３２５２−ｎを備えてよい。システム３２００では、基地局１０５−ｇは複数の通信リンクを通じて同時にデータを送ることが可能であり得る。各通信リンクは「レイヤ」と呼ばれることがあり、通信リンクの「ランク」は、通信に使用されるレイヤの数を示し得る。たとえば、基地局８００が２つの「レイヤ」を送信する２×２  ＭＩＭＯシステムでは、基地局１０５−ｇとＵＥ１１５−ｅとの間の通信リンクのランクは２である。
【０２８８】
[0343]基地局１０５−ｇにおいて、送信（Ｔｘ）プロセッサ３２２０は、データソースからデータを受信することができる。送信プロセッサ３２２０はデータを処理することができる。送信プロセッサ３２２０はまた、基準シンボルとセル固有基準信号とを生成することができる。送信（Ｔｘ）ＭＩＭＯプロセッサ３２３０は、適用可能な場合、データシンボル、制御シンボル、および／または基準シンボルに対して空間処理（たとえば、プリコーディング）を実行することができ、出力シンボルストリームを送信変調器３２３２−ａ〜３２３２−ｘに与えることができる。各変調器３２３２は、出力サンプルストリームを取得するために、（たとえば、ＯＦＤＭなどのための）それぞれの出力シンボルストリームを処理することができる。各変調器３２３２はさらに、ダウンリンク（ＤＬ）信号を取得するために、その出力サンプルストリームをさらに処理（たとえば、アナログ変換、増幅、フィルタリング、およびアップコンバート）することができる。一例では、変調器３２３２−ａ〜３２３２−ｘからのＤＬ信号は、それぞれ、アンテナ３２３４−ａ〜３２３４−ｘを介して送信され得る。
【０２８９】
[0344]ＵＥ１１５−ｅにおいて、アンテナ３２５２−ａ〜３２５２−ｎは、基地局１０５−ｇからＤＬ信号を受信することができ、受信された信号をそれぞれ復調器３２５４−ａ〜３２５４−ｎに与えることができる。各復調器３２５４は、入力サンプルを取得するために、それぞれの受信された信号を調整（たとえば、フィルタリング、増幅、ダウンコンバート、およびデジタル化）することができる。各復調器３２５４はさらに、受信されたシンボルを取得するために、（たとえば、ＯＦＤＭなどの）入力サンプルを処理することができる。ＭＩＭＯ検出器３２５６は、すべての復調器３２５４−ａ〜３２５４−ｎから受信されたシンボルを取得し、適用可能な場合は受信されたシンボルに対してＭＩＭＯ検出を実行し、検出されたシンボルを提供することができる。受信（Ｒｘ）プロセッサ３２５８は、検出されたシンボルを処理（たとえば、復調、デインターリーブ、および復号）して、ＵＥ１１５−ｅのための復号されたデータをデータ出力に与え、復号された制御情報をプロセッサ３２８０、またはメモリ３２８２に与えることができる。プロセッサ３２８０は、アンライセンススペクトラムにおいてＬＴＥに基づく通信を使用することに関する様々な機能を実行することができる、モジュールまたは機能３２８１を含み得る。たとえば、モジュールまたは機能３２８１は、図１〜図２９を参照して上で説明された機能の一部またはすべてを実行することができる。
【０２９０】
[0345]アップリンク（ＵＬ）上で、ＵＥ１１５−ｅにおいて、送信（Ｔｘ）プロセッサ３２６４は、データソースからデータを受信し、処理することができる。送信プロセッサ３２６４はまた、基準信号のための基準シンボルを生成することができる。送信プロセッサ３２６４からのシンボルは、適用可能な場合、送信（Ｔｘ）ＭＩＭＯプロセッサ３２６６によってプリコードされ、復調器３２５４−ａ〜３２５４−ｎによって（たとえば、ＳＣ−ＦＤＭＡなどのために）さらに処理され、基地局１０５−ｇから受信された送信パラメータに従って基地局１０５−ｇに送信され得る。基地局１０５−ｇにおいて、ＵＥ１１５−ｅからのＵＬ信号がアンテナ３２３４によって受信され、復調器３２３２によって処理され、適用可能な場合、ＭＩＭＯ検出器３２３６によって検出され、受信プロセッサによってさらに処理され得る。受信（Ｒｘ）プロセッサ３２３８は、復号されたデータをデータ出力およびプロセッサ３２４０に提供することができる。プロセッサ３２４０は、アンライセンススペクトラムにおいてＬＴＥに基づく通信を使用することに関する様々な態様を実行することができる、モジュールまたは機能３２４１を含み得る。たとえば、モジュールまたは機能３２４１は、図１〜図２９を参照して上で説明された機能の一部またはすべてを実行することができる。
【０２９１】
[0346]基地局１０５−ｇのコンポーネントは、個別にまたは集合的に、ハードウェア内の適用可能な機能の一部またはすべてを実行するように適応された、１つまたは複数の特定用途向け集積回路（ＡＳＩＣ）によって実装され得る。述べられたモジュールの各々は、システム３２００の動作に関する１つまたは複数の機能を実行するための手段であり得る。同様に、ＵＥ１１５−ｅのコンポーネントは、個別にまたは集合的に、ハードウェア中の適用可能な機能の一部またはすべてを実行するように適応された１つまたは複数の特定用途向け集積回路（ＡＳＩＣ）によって実装され得る。述べられたコンポーネントの各々は、システム３２００の動作に関する１つまたは複数の機能を実行するための手段であり得る。
【０２９２】
[0347]フローチャートにおいて説明された方法は一実装形態にすぎないこと、およびそれらの方法の動作は、他の実装形態が可能であるように並べ替えられてよく、または別様に修正されてよいことに留意されたい。
【０２９３】
[0348]添付の図面に関して上に記載された発明を実施するための形態は、例示的な実施形態を説明しており、実装され得るまたは特許請求の範囲内に入る実施形態のみを表すものではない。この明細書全体にわたって使用される「例示的」という用語は、「例、事例、または例示として機能すること」を意味し、「好ましい」または「他の実施形態よりも有利である」ことを意味しない。発明を実施するための形態は、説明された技法の理解を与えるための具体的な詳細を含む。しかしながら、これらの技法は、これらの具体的な詳細を伴わずに実践され得る。いくつかの事例では、説明された実施形態の概念を不明瞭にすることを回避するために、よく知られている構造およびデバイスがブロック図の形式で示されている。
【０２９４】
[0349]情報および信号は、多種多様な技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２９５】
[0350]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別のゲートもしくはトランジスタ論理、個別のハードウェアコンポーネント、または、本明細書で説明された機能を実行するように設計されたそれらの任意の組合せによって、実装または実行され得る。汎用プロセッサはマイクロプロセッサであってよいが、代替的には、プロセッサは、任意の従来型プロセッサ、コントローラ、マイクロコントローラ、または状態機械であってよい。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０２９６】
[0351]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実施態様は、本開示および添付の特許請求の範囲の範囲および趣旨内にある。たとえば、ソフトウェアの性質により、上で説明された機能は、プロセッサ、ハードウェア、ファームウェア、ハードワイヤリング、またはこれらのうちのいずれかの組合せによって実行されるソフトウェアを使用して実現され得る。機能を実装する特徴はまた、機能の部分が、異なる物理的な場所において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的な列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０２９７】
[0352]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送もしくは記憶するために使用され、汎用もしくは専用コンピュータ、もしくは汎用もしくは専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されているディスク（disk）およびディスク（disc）は、コンパクトディスク（disc）（ＣＤ）、レーザーディスク（登録商標）（disc）、光ディスク（disc）、デジタルバーサタイルディスク（disc）（ＤＶＤ）、フロッピー（登録商標）ディスク（disk）、およびブルーレイ（登録商標）ディスク（disc）を含み、ディスク（disk）は通常、データを磁気的に再生し、一方、ディスク（disc）は通常、データをレーザーで光学的に再生する。上記の組合せも、コンピュータ可読媒体の範囲内に含まれる。
【０２９８】
[0353]本開示のこれまでの説明は、当業者が本開示を構成または使用することを可能にするために与えられる。本開示への様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、述べられた例に対する選好を何ら暗示せず、または要求しない。したがって、本開示は、本明細書で説明された例および設計に限定されるべきでなく、本明細書で開示される原理および新規の特徴に合致する最も広い範囲を与えられるべきである。
【図１】
2020048201.tif 000003
【図２Ａ】
2020048201.tif 000004
【図２Ｂ】
2020048201.tif 000005
【図３】
2020048201.tif 000006
【図４Ａ】
2020048201.tif 000007
【図４Ｂ】
2020048201.tif 000008
【図５Ａ】
2020048201.tif 000009
【図５Ｂ】
2020048201.tif 000010
【図６Ａ】
2020048201.tif 000011
【図６Ｂ】
2020048201.tif 000012
【図６Ｃ】
2020048201.tif 000013
【図６Ｄ】
2020048201.tif 000014
【図７Ａ】
2020048201.tif 000015
【図７Ｂ】
2020048201.tif 000016
【図８】
2020048201.tif 000017
【図９Ａ】
2020048201.tif 000018
【図９Ｂ】
2020048201.tif 000019
【図９Ｃ】
2020048201.tif 000020
【図９Ｄ】
2020048201.tif 000021
【図１０Ａ】
2020048201.tif 000022
【図１０Ｂ】
2020048201.tif 000023
【図１０Ｃ】
2020048201.tif 000024
【図１０Ｄ】
2020048201.tif 000025
【図１０Ｅ】
2020048201.tif 000026
【図１０Ｆ】
2020048201.tif 000027
【図１０Ｇ】
2020048201.tif 000028
【図１１】
2020048201.tif 000029
【図１２Ａ】
2020048201.tif 000030
【図１２Ｂ】
2020048201.tif 000031
【図１３Ａ】
2020048201.tif 000032
【図１３Ｂ】
2020048201.tif 000033
【図１４Ａ】
2020048201.tif 000034
【図１４Ｂ】
2020048201.tif 000035
【図１４Ｃ】
2020048201.tif 000036
【図１５】
2020048201.tif 000037
【図１６】
2020048201.tif 000038
【図１７Ａ】
2020048201.tif 000039
【図１７Ｂ】
2020048201.tif 000040
【図１８Ａ】
2020048201.tif 000041
【図１８Ｂ】
2020048201.tif 000042
【図１９Ａ】
2020048201.tif 000043
【図１９Ｂ】
2020048201.tif 000044
【図２０】
2020048201.tif 000045
【図２１】
2020048201.tif 000046
【図２２Ａ】
2020048201.tif 000047
【図２２Ｂ】
2020048201.tif 000048
【図２３】
2020048201.tif 000049
【図２４】
2020048201.tif 000050
【図２５】
2020048201.tif 000051
【図２６】
2020048201.tif 000052
【図２７】
2020048201.tif 000053
【図２８】
2020048201.tif 000054
【図２９】
2020048201.tif 000055
【図３０】
2020048201.tif 000056
【図３１】
2020048201.tif 000057
【図３２】
2020048201.tif 000058
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ライセンススペクトラムにおいて第１の直交周波数分割多元接続（ＯＦＤＭＡ）通信信号をワイヤレスノードに送信することと、
前記第１のＯＦＤＭＡ通信信号の前記送信と同時に、アンライセンススペクトラムにおいて第２のＯＦＤＭＡ通信信号を前記ワイヤレスノードに送信することと、前記アンライセンススペクトラムにおける前記第２のＯＦＤＭＡ通信信号は、前記ライセンススペクトラムにおける前記第１のＯＦＤＭＡ通信信号と時間同期され、
前記ライセンススペクトラムにおいて第１のシングルキャリア周波数分割多元接続（ＳＣ−ＦＤＭＡ）通信信号を前記ワイヤレスノードから受信すること、
前記第１のＳＣ−ＦＤＭＡ通信信号の前記受信と同時に、アンライセンススペクトラムにおいて第２のＳＣ−ＦＤＭＡ通信信号を前記ワイヤレスノードから受信することと、前記第２のＳＣ−ＦＤＭＡ通信信号は、インターリーブされた信号を備え、前記インターリーブされた信号は、前記アンライセンスススペクトラムにおける公称帯域幅占有率を上げる、
を備える方法。
【請求項２】
前記第１のＯＦＤＭＡ通信信号のフレーム構造は、前記第２のＯＦＤＭＡ通信信号のフレーム構造に対して固定されたオフセットをもつ、請求項１に記載の方法。
【請求項３】
前記固定されたオフセットは０に等しい、請求項２に記載の方法。
【請求項４】
前記ライセンススペクトラムにおいて前記ワイヤレスノードから受信される前記第１のＳＣ−ＦＤＭＡ通信信号は、前記アンライセンススペクトラムにおいて送信される前記第２のＯＦＤＭＡ通信信号に関するシグナリング情報または他の制御情報を搬送する、請求項１に記載の方法。
【請求項５】
前記第１のＯＦＤＭＡ通信信号および前記第２のＯＦＤＭＡ通信信号の前記送信と同時に、前記ライセンススペクトラムにおいて前記ワイヤレスノードから前記第１のＳＣ−ＦＤＭＡ通信信号を受信し、前記アンライセンススペクトラムにおいて前記ワイヤレスノードから前記第２のＳＣ−ＦＤＭＡ通信信号を受信することをさらに備える、請求項１に記載の方法。
【請求項６】
ワイヤレス通信のための装置であって、
ライセンススペクトラムにおいて第１の直交周波数分割多元接続（ＯＦＤＭＡ）通信信号をワイヤレスノードに送信するための手段と、
前記第１のＯＦＤＭＡ通信信号の前記送信と同時に、アンライセンススペクトラムにおいて第２のＯＦＤＭＡ通信信号を前記ワイヤレスノードに送信するための手段と、前記アンライセンススペクトラムにおける前記第２のＯＦＤＭＡ通信信号は、前記ライセンススペクトラムにおける前記第１のＯＦＤＭＡ通信信号と時間同期され、
前記ライセンススペクトラムにおいて第１のシングルキャリア周波数分割多元接続（ＳＣ−ＦＤＭＡ）通信信号を前記ワイヤレスノードから受信すること、
前記第１のＳＣ−ＦＤＭＡ通信信号の前記受信と同時に、アンライセンススペクトラムにおいて第２のＳＣ−通信を前記ワイヤレスノードから受信することと、前記第２のＳＣ−ＦＤＭＡ通信信号は、インターリーブされた信号を備え、前記インターリーブされた信号は、前記アンライセンスススペクトラムにおける公称帯域幅占有率を上げる、
を備える装置。
【請求項７】
前記第１のＯＦＤＭＡ通信信号のフレーム構造は、前記第２のＯＦＤＭＡ通信信号のフレーム構造に対して固定されたオフセットをもつ、請求項６に記載の装置。
【請求項８】
前記固定されたオフセットは０に等しい、請求項７に記載の装置。
【請求項９】
前記ライセンススペクトラムにおいて前記ワイヤレスノードから受信される前記第１のＳＣ−ＦＤＭＡ通信信号は、前記アンライセンススペクトラムにおいて送信される前記第２のＯＦＤＭＡ通信信号に関するシグナリング情報または他の制御情報を搬送する、請求項６に記載の装置。
【請求項１０】
前記第１のＯＦＤＭＡ通信信号および前記第２のＯＦＤＭＡ通信信号の前記送信と同時に、前記ライセンススペクトラムにおいて前記ワイヤレスノードから前記第１のＳＣ−ＦＤＭＡ通信信号を受信し、前記アンライセンススペクトラムにおいて前記ワイヤレスノードから前記第２のＳＣ−ＦＤＭＡ通信信号を受信するための手段をさらに備える、請求項６に記載の装置。
【請求項１１】
ワイヤレス通信のための装置であって、
プロセッサと、
前記プロセッサと電気的に通信しているメモリと、
前記メモリに記憶された命令と、を備え、前記命令は、
ライセンススペクトラムにおいて第１の直交周波数分割多元接続（ＯＦＤＭＡ）通信信号をワイヤレスノードに送信することと、
前記第１のＯＦＤＭＡ通信信号の前記送信と同時に、アンライセンススペクトラムにおいて第２のＯＦＤＭＡ通信信号を前記ワイヤレスノードに送信することと、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間にオフセットを伴って、前記ライセンススペクトラムにおける前記第１のＯＦＤＭＡ通信信号と時間同期され、
前記ライセンススペクトラムにおいて第１のシングルキャリア周波数分割多元接続（ＳＣ−ＦＤＭＡ）通信信号を前記ワイヤレスノードから受信すること、
前記第１のＳＣ−ＦＤＭＡ通信信号の前記受信と同時に、アンライセンススペクトラムにおいて第２のＳＣ−ＦＤＭＡ通信信号を前記ワイヤレスノードから受信することと、前記第２のＳＣ−ＦＤＭＡ通信信号は、インターリーブされた信号を備え、前記インターリーブされた信号は、前記アンライセンスススペクトラムにおける公称帯域幅占有率を上げる、
を、前記プロセッサによって実行可能である、装置。
【請求項１２】
前記第１のＯＦＤＭＡ通信信号のフレーム構造は、前記第２のＯＦＤＭＡ通信信号のフレーム構造に対して固定されたオフセットをもつ、請求項１１に記載の装置。
【請求項１３】
前記固定されたオフセットは０に等しい、請求項１２に記載の装置。
【請求項１４】
前記ライセンススペクトラムにおいて前記ワイヤレスノードから受信される前記第１のＳＣ−ＦＤＭＡ通信信号は、前記アンライセンススペクトラムにおいて送信される前記第２のＯＦＤＭＡ通信信号に関するシグナリング情報または他の制御情報を搬送する、請求項１１に記載の装置。
【請求項１５】
前記命令は、
前記第１のＯＦＤＭＡ通信信号および前記第２のＯＦＤＭＡ通信信号の前記送信と同時に、前記ライセンススペクトラムにおいて前記ワイヤレスノードから前記第１のＳＣ−ＦＤＭＡ通信信号を受信し、前記アンライセンススペクトラムにおいて前記ワイヤレスノードから前記第２のＳＣ−ＦＤＭＡ通信信号を受信することを、前記プロセッサによって実行可能である、請求項１１に記載の装置。
【請求項１６】
ワイヤレス通信システムにおけるワイヤレス通信装置による通信のための非一時的コンピュータ可読媒体であって、前記ワイヤレス通信装置に、
ライセンススペクトラムにおいて第１の直交周波数分割多元接続（ＯＦＤＭＡ）通信信号をワイヤレスノードへ送信することと、
前記第１のＯＦＤＭＡ通信信号の前記送信と同時に、アンライセンススペクトラムにおいて第２のＯＦＤＭＡ通信信号を前記ワイヤレスノードへ送信することと、前記アンライセンススペクトラムにおける前記第２のＯＦＤＭＡ通信信号は、前記ライセンススペクトラムにおける前記第１のＯＦＤＭＡ通信信号と時間同期され、
前記ライセンススペクトラムにおいて第１のシングルキャリア周波数分割多元接続（ＳＣ−ＦＤＭＡ）通信信号を前記ワイヤレスノードから受信すること、
前記第１のＳＣ−ＦＤＭＡ通信信号の前記受信と同時に、アンライセンススペクトラムにおいて第２のＳＣ−ＦＤＭＡ通信信号を前記ワイヤレスノードから受信することと、前記第２のＳＣ−ＦＤＭＡ通信信号は、インターリーブされた信号を備え、前記インターリーブされた信号は、前記アンライセンスススペクトラムにおける公称帯域幅占有率を上げる、
を、行わせるためにプロセッサによって実行可能な、無線通信のためのコンピュータプログラム命令を記憶した、非一時的コンピュータ可読媒体。
【請求項１７】
前記第１のＯＦＤＭＡ通信信号のフレーム構造は、前記第２のＯＦＤＭＡ通信信号のフレーム構造に対して固定されたオフセットをもつ、請求項１６に記載の非一時的コンピュータ可読媒体。
【請求項１８】
前記固定されたオフセットは０に等しい、請求項１７に記載の非一時的コンピュータ可読媒体。
【請求項１９】
前記命令は、前記ワイヤレス通信装置に、
前記第１のＯＦＤＭＡ通信信号および前記第２のＯＦＤＭＡ通信信号の前記送信と同時に、前記ライセンススペクトラムにおいて前記ワイヤレスノードから前記第１のＳＣ−ＦＤＭＡ通信信号を受信し、前記アンライセンススペクトラムにおいて前記ワイヤレスノードから前記第２のＳＣ−ＦＤＭＡ通信信号を受信することを行わせるために、前記プロセッサによって実行可能である、請求項１６に記載の非一時的コンピュータ可読媒体。
【請求項２０】
ワイヤレス通信のための方法であって、
ライセンススペクトラムにおいて第１の直交周波数分割多元接続（ＯＦＤＭＡ）通信信号をワイヤレスノードから受信することと、
前記第１のＯＦＤＭＡ通信信号の前記受信と同時に、アンライセンススペクトラムにおいて第２のＯＦＤＭＡ通信信号を前記ワイヤレスノードから受信することと、前記アンライセンススペクトラムにおける前記第２のＯＦＤＭＡ通信信号は、前記ライセンススペクトラムにおける前記第１のＯＦＤＭＡ通信信号と時間同期され、
前記ライセンススペクトラムにおいて前記ワイヤレスノードに第１のシングルキャリア周波数分割多元接続（ＳＣ−ＦＤＭＡ）通信信号を送信することと、
前記第１のＳＣ−ＦＤＭＡ通信信号の前記送信と同時に、前記アンライセンススペクトラムにおいて前記ワイヤレスノードに第２のＳＣ−ＦＤＭＡ通信信号を送信すること、前記第２のＳＣ−ＦＤＭＡ通信信号は、インターリーブされた信号を備え、前記インターリーブされた信号は、前記アンライセンスススペクトラムにおける公称帯域幅占有率を上げる、
を備える方法。
【請求項２１】
前記ライセンススペクトラムにおいて前記ワイヤレスノードに送信される前記第１のＳＣ−ＦＤＭＡ通信信号は、前記アンライセンススペクトラムにおいて受信される前記第２のＯＦＤＭＡ通信信号に関するシグナリング情報または他の制御情報を搬送する、請求項２０に記載の方法。
【請求項２２】
前記第１のＯＦＤＭＡ通信信号および前記第２のＯＦＤＭＡ通信信号の前記受信と同時に、前記ライセンススペクトラムにおいて前記ワイヤレスノードに前記第１のＳＣ−ＦＤＭＡ通信信号を送信し、前記アンライセンススペクトラムにおいて前記ワイヤレスノードに前記第２のＳＣ−ＦＤＭＡ通信信号を送信することをさらに備える、請求項２０に記載の方法。
【請求項２３】
前記第１のＯＦＤＭＡ通信信号のフレーム構造は、前記第２のＯＦＤＭＡ通信信号のフレーム構造に対して固定されたオフセットをもつ、請求項２０に記載の方法。
【請求項２４】
前記固定されたオフセットは０に等しい、請求項２３に記載の方法。
【請求項２５】
ワイヤレス通信のための装置であって、
ライセンススペクトラムにおいて第１の直交周波数分割多元接続（ＯＦＤＭＡ）通信信号をワイヤレスノードから受信するための手段と、
前記第１のＯＦＤＭＡ通信信号の前記受信と同時に、アンライセンススペクトラムにおいて第２のＯＦＤＭＡ通信信号を前記ワイヤレスノードから受信するための手段と、前記アンライセンススペクトラムにおける前記第２のＯＦＤＭＡ通信信号は、前記ライセンススペクトラムにおける前記第１のＯＦＤＭＡ通信信号と時間同期され、
前記ライセンススペクトラムにおいて前記ワイヤレスノードに第１のシングルキャリア周波数分割多元接続（ＳＣ−ＦＤＭＡ）通信信号を送信することと、
前記第１のＳＣ−ＦＤＭＡ通信信号の前記送信と同時に、前記アンライセンススペクトラムにおいて前記ワイヤレスノードに第２のＳＣ−ＦＤＭＡ通信信号を送信すること、前記第２のＳＣ−ＦＤＭＡ通信信号は、インターリーブされた信号を備え、前記インターリーブされた信号は、前記アンライセンスススペクトラムにおける公称帯域幅占有率を上げる、
を備える装置。
【請求項２６】
前記ライセンススペクトラムにおいて前記ワイヤレスノードに送信される前記第１のＳＣ−ＦＤＭＡ通信信号は、前記アンライセンススペクトラムにおいて受信される前記第２のＯＦＤＭＡ通信信号に関するシグナリング情報または他の制御情報を搬送する、請求項２５に記載の装置。
【請求項２７】
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信するための手段をさらに備える、請求項２５に記載の装置。
【請求項２８】
前記第１のＯＦＤＭＡ通信信号のフレーム構造は、前記第２のＯＦＤＭＡ通信信号のフレーム構造に対して固定されたオフセットをもつ、請求項２５に記載の方法。
【請求項２９】
前記固定されたオフセットは０に等しい、請求項２８に記載の方法。
【請求項３０】
ワイヤレス通信のための装置であって、
プロセッサと、
前記プロセッサと電気的に通信しているメモリと、
前記メモリに記憶された命令と、
を備え、前記命令は、
ライセンススペクトラムにおいて第１の直交周波数分割多元接続（ＯＦＤＭＡ）通信信号をワイヤレスノードから受信することと、
前記第１のＯＦＤＭＡ通信信号の前記受信と同時に、アンライセンススペクトラムにおいて第２のＯＦＤＭＡ通信信号を前記ワイヤレスノードから受信することと、前記アンライセンススペクトラムにおける前記第２のＯＦＤＭＡ通信信号は、前記ライセンススペクトラムにおける前記第１のＯＦＤＭＡ通信信号と時間同期され、
前記ライセンススペクトラムにおいて前記ワイヤレスノードに第１のシングルキャリア周波数分割多元接続（ＳＣ−ＦＤＭＡ）通信信号を送信することと、
前記第１のＳＣ−ＦＤＭＡ通信信号の前記送信と同時に、前記アンライセンススペクトラムにおいて前記ワイヤレスノードに第２のＳＣ−ＦＤＭＡ通信信号を送信することと、前記第２のＳＣ−ＦＤＭＡ通信信号は、インターリーブされた信号を備え、前記インターリーブされた信号は、前記アンライセンスススペクトラムにおける公称帯域幅占有率を上げる、
を、前記プロセッサによって実行可能である、装置。
【請求項３１】
前記ライセンススペクトラムにおいて前記ワイヤレスノードに送信される前記第１のＳＣ−ＦＤＭＡ通信信号は、前記アンライセンススペクトラムにおいて受信される前記第２のＯＦＤＭＡ通信信号に関するシグナリング情報または他の制御情報を搬送する、請求項３０に記載の装置。
【請求項３２】
前記命令は、
前記第１のＯＦＤＭＡ通信信号および前記第２のＯＦＤＭＡ通信信号の前記受信と同時に、前記ライセンススペクトラムにおいて前記ワイヤレスノードに前記第１のＳＣ−ＦＤＭＡ通信信号を送信し、前記アンライセンススペクトラムにおいて前記ワイヤレスノードに前記第２のＳＣ−ＦＤＭＡ通信信号を送信することを、前記プロセッサによって実行可能である、請求項３０に記載の装置。
【請求項３３】
前記第１のＯＦＤＭＡ通信信号のフレーム構造は、前記第２のＯＦＤＭＡ通信信号のフレーム構造に対して固定されたオフセットをもつ、請求項３０に記載の装置。
【請求項３４】
前記固定されたオフセットは０に等しい、請求項３３に記載の装置。
【請求項３５】
ワイヤレス通信システムにおけるワイヤレス通信装置による通信のための非一時的コンピュータ可読媒体であって、前記ワイヤレス通信装置に、
ライセンススペクトラムにおいて第１の直交周波数分割多元接続（ＯＦＤＭＡ）通信信号をワイヤレスノードから受信することと、
前記第１のＯＦＤＭＡ通信信号の前記受信と同時に、アンライセンススペクトラムにおいて第２のＯＦＤＭＡ通信信号を前記ワイヤレスノードから受信することと、前記アンライセンススペクトラムにおける前記第２のＯＦＤＭＡ通信信号は、前記ライセンススペクトラムにおける前記第１のＯＦＤＭＡ通信信号と時間同期され、
前記ライセンススペクトラムにおいて前記ワイヤレスノードに第１のシングルキャリア周波数分割多元接続（ＳＣ−ＦＤＭＡ）通信信号を送信することと、
前記第１のＳＣ−ＦＤＭＡ通信信号の前記送信と同時に、前記アンライセンススペクトラムにおいて前記ワイヤレスノードに第２のＳＣ−ＦＤＭＡ通信信号を送信することと、前記第２のＳＣ−ＦＤＭＡ通信信号は、インターリーブされた信号を備え、前記インターリーブされた信号は、前記アンライセンスススペクトラムにおける公称帯域幅占有率を上げる、
を、行わせるためにプロセッサによって実行可能な、無線通信のためのコンピュータプログラム命令を記憶した、非一時的コンピュータ可読媒体。
【請求項３６】
前記第１のＯＦＤＭＡ通信信号のフレーム構造は、前記第２のＯＦＤＭＡ通信信号のフレーム構造に対して固定されたオフセットをもつ、請求項３５に記載の非一時的コンピュータ可読媒体。
【請求項３７】
前記固定されたオフセットは０に等しい、請求項３６に記載の非一時的コンピュータ可読媒体。
【手続補正２】
【補正対象書類名】明細書
【補正対象項目名】０２９８
【補正方法】変更
【補正の内容】
【０２９８】
[0353]本開示のこれまでの説明は、当業者が本開示を構成または使用することを可能にするために与えられる。本開示への様々な修正が当業者には容易に明らかであり、本明細書で定義された一般的な原理は、本開示の趣旨または範囲から逸脱することなく他の変形形態に適用され得る。本開示全体にわたって、「例」または「例示的」という用語は、例または事例を示すものであり、述べられた例に対する選好を何ら暗示せず、または要求しない。したがって、本開示は、本明細書で説明された例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］ワイヤレス通信のための方法であって、
ライセンススペクトラムにおいて第１の直交周波数分割多元接続（ＯＦＤＭＡ）通信信号をワイヤレスノードに送信することと、
前記第１のＯＦＤＭＡ通信信号の前記送信と同時に、アンライセンススペクトラムにおいて第２のＯＦＤＭＡ通信信号を前記ワイヤレスノードに送信することと、
を備える方法。
［Ｃ２］前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、Ｃ１に記載の方法。
［Ｃ３］前記固定されたオフセットは０に等しい、Ｃ２に記載の方法。
［Ｃ４］前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信することをさらに備える、Ｃ１に記載の方法。
［Ｃ５］前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信することをさらに備える、Ｃ４に記載の方法。
［Ｃ６］前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、Ｃ４に記載の方法。
［Ｃ７］前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信することをさらに備える、Ｃ６に記載の方法。
［Ｃ８］前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信することをさらに備える、Ｃ１に記載の方法。
［Ｃ９］前記ワイヤレスノードはユーザ機器（ＵＥ）を備える、Ｃ１に記載の方法。
［Ｃ１０］前記第１のＯＦＤＭＡ通信信号および前記第２のＯＦＤＭＡ通信信号は、進化型ノードＢ（ｅＮＢ）から送信される、Ｃ１に記載の方法。
［Ｃ１１］前記第１のＯＦＤＭＡ通信信号および前記第２のＯＦＤＭＡ通信信号の各々は、ロングタームエボリューション（ＬＴＥ）信号を備える、Ｃ１に記載の方法。
［Ｃ１２］ワイヤレス通信のための装置であって、
ライセンススペクトラムにおいて第１の直交周波数分割多元接続（ＯＦＤＭＡ）通信信号をワイヤレスノードに送信するための手段と、
前記第１のＯＦＤＭＡ通信信号の前記送信と同時に、アンライセンススペクトラムにおいて第２のＯＦＤＭＡ通信信号を前記ワイヤレスノードに送信するための手段と、
を備える装置。
［Ｃ１３］前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、Ｃ１２に記載の装置。
［Ｃ１４］前記固定されたオフセットは０に等しい、Ｃ１３に記載の装置。
［Ｃ１５］前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信するための手段をさらに備える、Ｃ１２に記載の装置。
［Ｃ１６］前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するための手段をさらに備える、Ｃ１５に記載の装置。
［Ｃ１７］前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、Ｃ１５に記載の装置。
［Ｃ１８］前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するための手段をさらに備える、Ｃ１７に記載の装置。
［Ｃ１９］前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信するための手段をさらに備える、Ｃ１２に記載の装置。
［Ｃ２０］前記ワイヤレスノードはユーザ機器（ＵＥ）を備える、Ｃ１２に記載の装置。
［Ｃ２１］前記第１のＯＦＤＭＡ通信信号および前記第２のＯＦＤＭＡ通信信号は、進化型ノードＢ（ｅＮＢ）から送信される、Ｃ１２に記載の装置。
［Ｃ２２］前記第１のＯＦＤＭＡ通信信号および前記第２のＯＦＤＭＡ通信信号の各々は、ロングタームエボリューション（ＬＴＥ）信号を備える、Ｃ１２に記載の装置。
［Ｃ２３］ワイヤレス通信のための装置であって、
プロセッサと、
前記プロセッサと電気的に通信しているメモリと、
前記メモリに記憶された命令と、を備え、前記命令は、
ライセンススペクトラムにおいて第１の直交周波数分割多元接続（ＯＦＤＭＡ）通信信号をワイヤレスノードに送信し、
前記第１のＯＦＤＭＡ通信信号の前記送信と同時に、アンライセンススペクトラムにおいて第２のＯＦＤＭＡ通信信号を前記ワイヤレスノードに送信するように、前記プロセッサによって実行可能である、装置。
［Ｃ２４］前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期される、Ｃ２３に記載の装置。
［Ｃ２５］前記固定されたオフセットは０に等しい、Ｃ２４に記載の装置。
［Ｃ２６］前記命令は、
前記第１のＯＦＤＭＡ通信信号および前記第２のＯＦＤＭＡ通信信号の前記送信と同時に、前記ライセンススペクトラムにおいて第１のシングルキャリア周波数分割多元接続（ＳＣ−ＦＤＭＡ）通信信号を前記ワイヤレスノードから受信するように、前記プロセッサによって実行可能である、Ｃ２３に記載の装置。
［Ｃ２７］前記命令は、
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するように、前記プロセッサによって実行可能である、Ｃ２６に記載の装置。
［Ｃ２８］前記ライセンススペクトラムにおいて前記ワイヤレスノードから受信される前記第１のＳＣ−ＦＤＭＡ通信信号は、前記アンライセンススペクトラムにおいて送信された前記第２のＯＦＤＭＡ通信信号に関するシグナリング情報または他の制御情報を搬送する、Ｃ２６に記載の装置。
［Ｃ２９］前記命令は、
前記第１のＯＦＤＭＡ通信信号および前記第２のＯＦＤＭＡ通信信号の前記送信と同時に、前記アンライセンススペクトラムにおいて前記ワイヤレスノードから第２のＳＣ−ＦＤＭＡ通信信号を受信するように、前記プロセッサによって実行可能である、Ｃ２８に記載の装置。
［Ｃ３０］前記命令は、
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信し、前記アンライセンススペクトラムにおいて前記ワイヤレスノードから第２のＳＣ−ＦＤＭＡ通信信号を受信するように、前記プロセッサによって実行可能である、Ｃ２３に記載の装置。
［Ｃ３１］前記ワイヤレスノードはユーザ機器（ＵＥ）を備える、Ｃ２３に記載の装置。
［Ｃ３２］前記第１のＯＦＤＭＡ通信信号および前記第２のＯＦＤＭＡ通信信号は、進化型ノードＢ（ｅＮＢ）から送信される、Ｃ２３に記載の装置。
［Ｃ３３］前記第１のＯＦＤＭＡ通信信号および前記第２のＯＦＤＭＡ通信信号の各々は、ロングタームエボリューション（ＬＴＥ）信号を備える、Ｃ２３に記載の装置。
［Ｃ３４］ワイヤレス通信システムにおけるワイヤレス通信装置による通信のためのコンピュータプログラム製品であって、前記ワイヤレス通信装置に、
ライセンススペクトラムにおいて第１の直交周波数分割多元接続（ＯＦＤＭＡ）通信信号をワイヤレスノードへ送信させ、
前記第１のＯＦＤＭＡ通信信号の前記送信と同時に、アンライセンススペクトラムにおいて第２のＯＦＤＭＡ通信信号を前記ワイヤレスノードへ送信させるように、
プロセッサによって実行可能な命令を記憶した、非一時的コンピュータ可読媒体を備える、コンピュータプログラム製品。
［Ｃ３５］前記アンライセンススペクトラムにおける前記第２のＯＦＤＭＡ通信信号の前記送信は、前記第１のＯＦＤＭＡ通信信号のフレーム構造と前記第２のＯＦＤＭＡ通信信号のフレーム構造との間に固定されたオフセットを伴って、前記ライセンススペクトラムにおける前記第１のＯＦＤＭＡ通信信号と時間同期する、Ｃ３４に記載のコンピュータプログラム製品。
［Ｃ３６］前記固定されたオフセットは０に等しい、Ｃ３５に記載のコンピュータプログラム製品。
［Ｃ３７］前記命令は、前記ワイヤレス通信装置に、
前記第１のＯＦＤＭＡ通信信号および前記第２のＯＦＤＭＡ通信信号の前記送信と同時に、前記ライセンススペクトラムにおいて前記ワイヤレスノードから第１のＳＣ−ＦＤＭＡ通信信号を受信させ、前記アンライセンススペクトラムにおいて前記ワイヤレスノードから第２のＳＣ−ＦＤＭＡ通信信号を受信させるように、前記プロセッサによって実行可能である、Ｃ３４に記載のコンピュータプログラム製品。
［Ｃ３８］前記ワイヤレスノードはユーザ機器（ＵＥ）を備える、Ｃ３４に記載のコンピュータプログラム製品。
［Ｃ３９］ワイヤレス通信のための方法であって、
ライセンススペクトラムにおいて第１のＳＣ−ＦＤＭＡ通信信号をワイヤレスノードから受信することと、
前記第１のＳＣ−ＦＤＭＡ通信信号の前記受信と同時に、アンライセンススペクトラムにおいて第２のＳＣ−ＦＤＭＡ信号を前記ワイヤレスノードから受信することと、
を備える方法。
［Ｃ４０］前記ワイヤレスノードはユーザ機器（ＵＥ）を備える、Ｃ３９に記載の方法。
［Ｃ４１］前記第１のＳＣ−ＦＤＭＡ通信信号および前記第２のＳＣ−ＦＤＭＡ通信信号は、進化型ノードＢ（ｅＮＢ）において受信される、Ｃ３９に記載の方法。
［Ｃ４２］前記第１のＳＣ−ＦＤＭＡ通信信号および前記第２のＳＣ−ＦＤＭＡ通信信号の各々は、ロングタームエボリューション（ＬＴＥ）信号を備える、Ｃ３９に記載の方法。
［Ｃ４３］ワイヤレス通信のための装置であって、
ライセンススペクトラムにおいて第１のＳＣ−ＦＤＭＡ通信信号をワイヤレスノードから受信するための手段と、
前記第１のＳＣ−ＦＤＭＡ通信信号の前記受信と同時に、アンライセンススペクトラムにおいて第２のＳＣ−ＦＤＭＡ信号を前記ワイヤレスノードから受信するための手段と、
を備える装置。
［Ｃ４４］前記ワイヤレスノードはユーザ機器（ＵＥ）を備える、Ｃ４３に記載の装置。
［Ｃ４５］前記第１のＳＣ−ＦＤＭＡ通信信号および前記第２のＳＣ−ＦＤＭＡ通信信号は、進化型ノードＢ（ｅＮＢ）において受信される、Ｃ４３に記載の方法。
［Ｃ４６］前記第１のＳＣ−ＦＤＭＡ通信信号および前記第２のＳＣ−ＦＤＭＡ通信信号の各々は、ロングタームエボリューション（ＬＴＥ）信号を備える、Ｃ４３に記載の装置。
［Ｃ４７］ワイヤレス通信のための装置であって、
プロセッサと、
前記プロセッサと電気的に通信しているメモリと、
前記メモリに記憶された命令と、を備え、前記命令は、
ライセンススペクトラムにおいて第１のＳＣ−ＦＤＭＡ通信信号をワイヤレスノードから受信し、
前記第１のＳＣ−ＦＤＭＡ通信信号の前記受信と同時に、アンライセンススペクトラムにおいて第２のＳＣ−ＦＤＭＡ信号を前記ワイヤレスノードから受信するように、
前記プロセッサによって実行可能である、装置。
［Ｃ４８］前記ワイヤレスノードはユーザ機器（ＵＥ）を備える、Ｃ４７に記載の装置。
［Ｃ４９］前記第１のＳＣ−ＦＤＭＡ通信信号および前記第２のＳＣ−ＦＤＭＡ通信信号は、進化型ノードＢ（ｅＮＢ）において受信される、Ｃ４７に記載の装置。
［Ｃ５０］前記第１のＳＣ−ＦＤＭＡ通信信号および前記第２のＳＣ−ＦＤＭＡ通信信号の各々は、ロングタームエボリューション（ＬＴＥ）信号を備える、Ｃ４７に記載の装置。
［Ｃ５１］ワイヤレス通信システムにおけるワイヤレス通信装置による通信のためのコンピュータプログラム製品であって、前記ワイヤレス通信装置に、
ライセンススペクトラムにおいて第１のＳＣ−ＦＤＭＡ通信信号をワイヤレスノードから受信させ、
前記第１のＳＣ−ＦＤＭＡ通信信号の前記受信と同時に、アンライセンススペクトラムにおいて第２のＳＣ−ＦＤＭＡ信号を前記ワイヤレスノードから受信させるように、
プロセッサによって実行可能である命令を記憶した、非一時的コンピュータ可読媒体を備える、コンピュータプログラム製品。
［Ｃ５２］前記ワイヤレスノードはユーザ機器（ＵＥ）を備える、Ｃ５１に記載のコンピュータプログラム製品。
［Ｃ５３］ワイヤレス通信のための方法であって、
ライセンススペクトラムにおいて第１の直交周波数分割多元接続（ＯＦＤＭＡ）通信信号をワイヤレスノードから受信することと、
前記第１のＯＦＤＭＡ通信信号の前記受信と同時に、アンライセンススペクトラムにおいて第２のＯＦＤＭＡ通信信号を前記ワイヤレスノードから受信することと、
を備える方法。
［Ｃ５４］前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信することをさらに備える、Ｃ５３に記載の方法。
［Ｃ５５］前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信することをさらに備える、Ｃ５４に記載の方法。
［Ｃ５６］前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、Ｃ５４に記載の方法。
［Ｃ５７］前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信することをさらに備える、Ｃ５６に記載の方法。
［Ｃ５８］前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信することをさらに備える、Ｃ５３に記載の方法。
［Ｃ５９］前記ワイヤレスノードは進化型ノードＢ（ｅＮＢ）を備える、Ｃ５３に記載の方法。
［Ｃ６０］前記第１のＯＦＤＭＡ通信信号および前記第２のＯＦＤＭＡ通信信号は、ユーザ機器（ＵＥ）において受信される、Ｃ５３に記載の方法。
［Ｃ６１］前記第１のＯＦＤＭＡ通信信号および前記第２のＯＦＤＭＡ通信信号の各々は、ロングタームエボリューション（ＬＴＥ）信号を備える、Ｃ５３に記載の方法。
［Ｃ６２］ワイヤレス通信のための装置であって、
ライセンススペクトラムにおいて第１の直交周波数分割多元接続（ＯＦＤＭＡ）通信信号をワイヤレスノードから受信するための手段と、
前記第１のＯＦＤＭＡ通信信号の前記受信と同時に、アンライセンススペクトラムにおいて第２のＯＦＤＭＡ通信信号を前記ワイヤレスノードから受信するための手段と、
を備える装置。
［Ｃ６３］前記第１のＯＦＤＭＡ通信信号および前記第２のＯＦＤＭＡ通信信号の前記受信と同時に、ライセンススペクトラムにおいて前記ワイヤレスノードに第１のＳＣ−ＦＤＭＡ通信信号を送信するための手段をさらに備える、Ｃ６２に記載の装置。
［Ｃ６４］前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するための手段をさらに備える、Ｃ６３に記載の装置。
［Ｃ６５］前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、Ｃ６３に記載の装置。
［Ｃ６６］前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するための手段をさらに備える、Ｃ６５に記載の装置。
［Ｃ６７］前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信するための手段をさらに備える、Ｃ６２に記載の装置。
［Ｃ６８］前記ワイヤレスノードは進化型ノードＢ（ｅＮＢ）を備える、Ｃ６２に記載の装置。
［Ｃ６９］前記第１のＯＦＤＭＡ通信信号および前記第２のＯＦＤＭＡ通信信号は、ユーザ機器（ＵＥ）において受信される、Ｃ６２に記載の装置。
［Ｃ７０］前記第１のＯＦＤＭＡ通信信号および前記第２のＯＦＤＭＡ通信信号の各々はＬＴＥ信号を備える、Ｃ６２に記載の装置。
［Ｃ７１］ワイヤレス通信のための装置であって、
プロセッサと、
前記プロセッサと電気的に通信しているメモリと、
前記メモリに記憶された命令と、
を備え、前記命令は、
ライセンススペクトラムにおいて第１の直交周波数分割多元接続（ＯＦＤＭＡ）通信信号をワイヤレスノードから受信し、
前記第１のＯＦＤＭＡ通信信号の前記受信と同時に、アンライセンススペクトラムにおいて第２のＯＦＤＭＡ通信信号を前記ワイヤレスノードから受信するように、
前記プロセッサによって実行可能である、装置。
［Ｃ７２］前記命令は、
前記第１のＯＦＤＭＡ通信信号および前記第２のＯＦＤＭＡ通信信号の前記受信と同時に、ライセンススペクトラムにおいて前記ワイヤレスノードに第１のＳＣ−ＦＤＭＡ通信信号を送信するように、前記プロセッサによって実行可能である、Ｃ７１に記載の装置。
［Ｃ７３］前記命令は、
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するように、前記プロセッサによって実行可能である、Ｃ７２に記載の装置。
［Ｃ７４］前記ライセンススペクトラムにおいて前記ワイヤレスノードに送信される前記第１のＳＣ−ＦＤＭＡ通信信号は、前記アンライセンススペクトラムにおいて受信された前記第２のＯＦＤＭＡ信号に関するシグナリング情報または他の制御情報を搬送する、Ｃ７２に記載の装置。
［Ｃ７５］前記命令は、
前記第１のＯＦＤＭＡ通信信号および前記第２のＯＦＤＭＡ通信信号の前記受信と同時に、前記アンライセンススペクトラムにおいて前記ワイヤレスノードに第２のＳＣ−ＦＤＭＡ通信信号を送信するように、前記プロセッサによって実行可能である、Ｃ７４に記載の装置。
［Ｃ７６］前記命令は、
前記第１のＯＦＤＭＡ通信信号および前記第２のＯＦＤＭＡ通信信号の前記受信と同時に、前記ライセンススペクトラムにおいて前記ワイヤレスノードに第１のＳＣ−ＦＤＭＡ通信信号を送信し、前記アンライセンススペクトラムにおいて前記ワイヤレスノードに第２のＳＣ−ＦＤＭＡ通信信号を送信するように、前記プロセッサによって実行可能である、Ｃ７１に記載の装置。
［Ｃ７７］前記ワイヤレスノードは進化型ノードＢ（ｅＮＢ）を備える、Ｃ７１に記載の装置。
［Ｃ７８］前記第１のＯＦＤＭＡ通信信号および前記第２のＯＦＤＭＡ通信信号は、ユーザ機器（ＵＥ）において受信される、Ｃ７１に記載の装置。
［Ｃ７９］前記第１のＯＦＤＭＡ通信信号および前記第２のＯＦＤＭＡ通信信号の各々はＬＴＥ信号を備える、Ｃ７１に記載の装置。
［Ｃ８０］ワイヤレス通信システムにおけるワイヤレス通信装置による通信のためのコンピュータプログラム製品であって、前記ワイヤレス通信装置に、
ライセンススペクトラムにおいて第１の直交周波数分割多元接続（ＯＦＤＭＡ）通信信号をワイヤレスノードから受信させ、
前記第１のＯＦＤＭＡ通信信号の前記受信と同時に、アンライセンススペクトラムにおいて第２のＯＦＤＭＡ通信信号を前記ワイヤレスノードから受信させるように、
プロセッサによって実行可能な命令を記憶した、非一時的コンピュータ可読媒体を備える、コンピュータプログラム製品。
［Ｃ８１］前記命令は、前記ワイヤレス通信装置に、
前記第１のＯＦＤＭＡ通信信号および前記第２のＯＦＤＭＡ通信信号の前記受信と同時に、ライセンススペクトラムにおいて前記ワイヤレスノードへ第１のＳＣ−ＦＤＭＡ通信信号を送信させるように、前記プロセッサによって実行可能である、Ｃ８０に記載のコンピュータプログラム製品。
［Ｃ８２］前記命令は、前記ワイヤレス通信装置に、
前記第１のＯＦＤＭＡ通信信号および前記第２のＯＦＤＭＡ通信信号の前記受信と同時に、前記アンライセンススペクトラムにおいて前記ワイヤレスノードへ第２のＳＣ−ＦＤＭＡ通信信号を送信させるように、前記プロセッサによって実行可能である、Ｃ８１に記載のコンピュータプログラム製品。
［Ｃ８３］前記ワイヤレスノードは進化型ノードＢ（ｅＮＢ）を備える、Ｃ８０に記載のコンピュータプログラム製品。
［Ｃ８４］ワイヤレス通信のための方法であって、
ライセンススペクトラムにおいて第１のＳＣ−ＦＤＭＡ通信信号をワイヤレスノードに送信することと、
前記第１のＳＣ−ＦＤＭＡ通信信号の前記送信と同時に、アンライセンススペクトラムにおいて第２のＳＣ−ＦＤＭＡ通信信号を前記ワイヤレスノードに送信することと、
を備える方法。
［Ｃ８５］前記ワイヤレスノードは進化型ノードＢ（ｅＮＢ）を備える、Ｃ８４に記載の方法。
［Ｃ８６］前記第１のＯＦＤＭＡ通信信号および前記第２のＯＦＤＭＡ通信信号は、ユーザ機器（ＵＥ）において受信される、Ｃ８４に記載の方法。
［Ｃ８７］前記第１のＳＣ−ＦＤＭＡ通信信号および前記第２のＳＣ−ＦＤＭＡ通信信号の各々は、ロングタームエボリューション（ＬＴＥ）信号を備える、Ｃ８４に記載の方法。
［Ｃ８８］ワイヤレス通信のための装置であって、
ライセンススペクトラムにおいて第１のＳＣ−ＦＤＭＡ通信信号をワイヤレスノードに送信するための手段と、
前記第１のＳＣ−ＦＤＭＡ通信信号の前記送信と同時に、アンライセンススペクトラムにおいて第２のＳＣ−ＦＤＭＡ通信信号を前記ワイヤレスノードに送信するための手段と、
を備える装置。
［Ｃ８９］前記ワイヤレスノードは進化型ノードＢ（ｅＮＢ）を備える、Ｃ８８に記載の装置。
［Ｃ９０］前記第１のＳＣ−ＦＤＭＡ通信信号および前記第２のＳＣ−ＦＤＭＡ通信信号は、ユーザ機器（ＵＥ）から送信される、Ｃ８８に記載の装置。
［Ｃ９１］前記第１のＳＣ−ＦＤＭＡ通信信号および前記第２のＳＣ−ＦＤＭＡ通信信号の各々は、ロングタームエボリューション（ＬＴＥ）信号を備える、Ｃ８８に記載の装置。
［Ｃ９２］ワイヤレス通信のための装置であって、
プロセッサと、
前記プロセッサと電気的に通信しているメモリと、
前記メモリに記憶された命令と、
を備え、前記命令は、
ライセンススペクトラムにおいて第１のＳＣ−ＦＤＭＡ通信信号をワイヤレスノードに送信し、
前記第１のＳＣ−ＦＤＭＡ通信信号の前記送信と同時に、アンライセンススペクトラムにおいて第２のＳＣ−ＦＤＭＡ通信信号を前記ワイヤレスノードに送信するように、
前記プロセッサによって実行可能である、装置。
［Ｃ９３］前記ワイヤレスノードは進化型ノードＢ（ｅＮＢ）を備える、Ｃ９２に記載の装置。
［Ｃ９４］前記第１のＳＣ−ＦＤＭＡ通信信号および前記第２のＳＣ−ＦＤＭＡ通信信号は、ユーザ機器（ＵＥ）から送信される、Ｃ９２に記載の装置。
［Ｃ９５］前記第１のＳＣ−ＦＤＭＡ通信信号および前記第２のＳＣ−ＦＤＭＡ通信信号の各々は、ロングタームエボリューション（ＬＴＥ）信号を備える、Ｃ９２に記載の装置。
［Ｃ９６］ワイヤレス通信システムにおけるワイヤレス通信装置による通信のためのコンピュータプログラム製品であって、前記ワイヤレス通信装置に、
ライセンススペクトラムにおいて第１のＳＣ−ＦＤＭＡ通信信号をワイヤレスノードへ送信させ、
前記第１のＳＣ−ＦＤＭＡ通信信号の前記送信と同時に、アンライセンススペクトラムにおいて第２のＳＣ−ＦＤＭＡ通信信号を前記ワイヤレスノードへ送信させるように、
プロセッサによって実行可能な命令を記憶した、非一時的コンピュータ可読媒体を備える、コンピュータプログラム製品。
［Ｃ９７］前記ワイヤレスノードは進化型ノードＢ（ｅＮＢ）を備える、Ｃ９６に記載のコンピュータプログラム製品。
［Ｃ９８］ワイヤレス通信のための方法であって、
アンライセンススペクトラムにおけるダウンリンクのための周期的なゲーティング間隔を生成することと、
前記周期的なゲーティング間隔の少なくとも１つの境界を、前記ダウンリンクのプライマリコンポーネントキャリア（ＰＣＣ）と関連付けられる周期的なフレーム構造の少なくとも１つの境界と同期させることと、
を備える方法。
［Ｃ９９］前記ＰＣＣはライセンススペクトラム中の搬送波を備える、Ｃ９８に記載の方法。
［Ｃ１００］前記周期的なゲーティング間隔はリッスンビフォアトーク（ＬＢＴ）フレームを備え、前記周期的なフレーム構造はロングタームエボリューション（ＬＴＥ）無線フレームを備える、Ｃ９８に記載の方法。
［Ｃ１０１］前記周期的なゲーティング間隔の継続時間は、前記周期的なフレーム構造の継続時間の整数倍である、Ｃ９８に記載の方法。
［Ｃ１０２］前記周期的なゲーティング間隔の継続時間は、前記周期的なフレーム構造の継続時間の約数である、Ｃ９８に記載の方法。
［Ｃ１０３］前記ダウンリンクはロングタームエボリューション（ＬＴＥ）信号を搬送する、Ｃ９８に記載の方法。
［Ｃ１０４］ワイヤレス通信のための装置であって、
アンライセンススペクトラムにおけるダウンリンクのための周期的なゲーティング間隔を生成するための手段と、
前記周期的なゲーティング間隔の少なくとも１つの境界を、前記ダウンリンクのプライマリコンポーネントキャリア（ＰＣＣ）と関連付けられる周期的なフレーム構造の少なくとも１つの境界と同期させるための手段と、
を備える装置。
［Ｃ１０５］前記ＰＣＣはライセンススペクトラム中の搬送波を備える、Ｃ１０４に記載の装置。
［Ｃ１０６］前記周期的なゲーティング間隔はリッスンビフォアトーク（ＬＢＴ）フレームを備え、前記周期的なフレーム構造はロングタームエボリューション（ＬＴＥ）無線フレームを備える、Ｃ１０４に記載の装置。
［Ｃ１０７］前記周期的なゲーティング間隔の継続時間は、前記周期的なフレーム構造の継続時間の整数倍である、Ｃ１０４に記載の装置。
［Ｃ１０８］前記周期的なゲーティング間隔の継続時間は、前記周期的なフレーム構造の継続時間の約数である、Ｃ１０４に記載の装置。
［Ｃ１０９］前記ダウンリンクはロングタームエボリューション（ＬＴＥ）信号を搬送する、Ｃ１０４に記載の装置。
［Ｃ１１０］ワイヤレス通信のための装置であって、
プロセッサと、
前記プロセッサと電気的に通信しているメモリと、
前記メモリに記憶された命令と、
を備え、前記命令は、
アンライセンススペクトラムにおけるダウンリンクのための周期的なゲーティング間隔を生成し、
前記周期的なゲーティング間隔の少なくとも１つの境界を、前記セルラーダウンリンクのプライマリコンポーネントキャリア（ＰＣＣ）と関連付けられる周期的なフレーム構造の少なくとも１つの境界と同期させるように、前記プロセッサによって実行可能である、装置。
［Ｃ１１１］前記ＰＣＣはライセンススペクトラム中の搬送波を備える、Ｃ１１０に記載の装置。
［Ｃ１１２］前記周期的なゲーティング間隔はリッスンビフォアトーク（ＬＢＴ）フレームを備え、前記周期的なフレーム構造はロングタームエボリューション（ＬＴＥ）無線フレームを備える、Ｃ１１０に記載の装置。
［Ｃ１１３］前記周期的なゲーティング間隔の継続時間は、前記周期的なフレーム構造の継続時間の整数倍である、Ｃ１１０に記載の装置。
［Ｃ１１４］前記周期的なゲーティング間隔の継続時間は、前記周期的なフレーム構造の継続時間の約数である、Ｃ１１０に記載の装置。
［Ｃ１１５］前記ダウンリンクはロングタームエボリューション（ＬＴＥ）信号を搬送する、Ｃ１１０に記載の装置。
［Ｃ１１６］ワイヤレス通信システムにおけるワイヤレス通信装置による通信のためのコンピュータプログラム製品であって、前記ワイヤレス通信装置に、
アンライセンススペクトラムにおけるダウンリンクのための周期的なゲーティング間隔を生成させ、
前記周期的なゲーティング間隔の少なくとも１つの境界を、前記セルラーダウンリンクのプライマリコンポーネントキャリア（ＰＣＣ）と関連付けられる周期的なフレーム構造の少なくとも１つの境界と同期させるように、
プロセッサによって実行可能な命令を記憶した、非一時的コンピュータ可読媒体を備える、コンピュータプログラム製品。
［Ｃ１１７］前記ＰＣＣはライセンススペクトラム中の搬送波を備える、Ｃ１１６に記載のコンピュータプログラム製品。
［Ｃ１１８］前記周期的なゲーティング間隔はリッスンビフォアトーク（ＬＢＴ）フレームを備え、前記周期的なフレーム構造はロングタームエボリューション（ＬＴＥ）無線フレームを備える、Ｃ１１６に記載のコンピュータプログラム製品。
【外国語明細書】
2020048201000001.pdf